(57)【要約】      （修正有）【課題】スクラッチくじ等の隠蔽情報部による特有の効果を発揮することができると共に、使い捨てコップの内部にスクラッチ印刷等の隠蔽層を形成する特殊インキの剥離片が付着したり残留したりするといった事態を生じることがない使い捨てコップ用スリーブの提供。【解決手段】スリーブ１０の巻回部１４に隠蔽情報部２０を設ける。隠蔽情報部２０は、第１の情報部及び第２の情報部を備える。第１の情報部は読解可能情報としての賞種別情報を有する。第２の情報部は、読解不能情報としてのコードからなる賞内容情報を有する。【選択図】図１
2017043408.tif 000002
【特許請求の範囲】
【請求項１】
使い捨てコップの外周面に装着自在とされると共に、少なくとも表面側に印刷基材を有する巻回部と、
前記巻回部の印刷基材に隠蔽印刷により設けられた隠蔽情報部とを備え、
前記隠蔽情報部は、
前記隠蔽部の第１の部分に印刷により設けられた第１の情報部と、
前記隠蔽部において前記第１の部分と隣接する第２の部分に印刷により設けられた第２の情報部と、
前記第１の情報部及び前記第２の情報部を隠蔽すると共に、外力により剥離されて前記第１の情報部及び前記第２の情報部を露出する隠蔽層とを備え、
前記第１の情報部及び前記第２の情報部は、たがいに協働して、くじに関する複合的な情報であって、かつ、互いに内容的な関連性を有する複数の異なる種類の情報からなる複合くじ情報を表すものであり、
前記第１の情報部は、前記複合くじ情報の一つを構成する情報であって、くじの賞の種別を表す賞種別情報を第１の情報として有し、
前記第２の情報部は、前記複合くじ情報の他の一つを構成する情報であって、くじの賞の具体的内容を説明する賞内容情報を第２の情報として有し、
前記第１の情報は、使い捨てコップの被提供者が目視により読解可能な読解可能情報として前記隠蔽情報部に設けられ、
前記第２の情報は、使い捨てコップの被提供者が目視によっては読解不能となるように、所定のコード体系で符号化したコードからなる読解不能情報として前記隠蔽情報部に設けられることを特徴とする使い捨てコップ用スリーブ。
【請求項２】
請求項１に記載の使い捨てコップ用スリーブと、
前記第２の情報のコードを読み取ると共に、そのコードを前記所定のコード体系にしたがって復号化し、前記第２の情報を使い捨てコップの被提供者が目視により読解可能な読解可能情報へと変換するコード読取手段と、
前記コード読取手段によって読解可能情報へと変換された第２の情報を、前記第１の情報と共に前記コード読取手段の表示手段に表示するコード変換表示手段と
を備えることを特徴とする使い捨てコップ用スリーブの情報処理システム。
【発明の詳細な説明】
【技術分野】
【０００１】
本発明は、使い捨てコップの外側面に巻き回した状態で保持され、使い捨てコップに対して断熱機能等の諸機能を付与する使い捨てコップ用スリーブに関する。
【背景技術】
【０００２】
従来、コーヒー、紅茶、ジュース等の飲料を提供する飲料容器として、紙コップやプラスチックコップ等の使い捨てコップが使用されている。また、使い捨てコップのうち、特に紙コップの外周面の表面には、意匠性や広告等の目的で、所定の模様やロゴ等からなる印刷層が設けられることがある。このような紙コップに類した紙製容器の外周面の表面に印刷を施す発明として特許文献１に記載の発明がある。
【０００３】
特許文献１には、紙製容器及び該容器の外周面にスリーブ状に設けられた断熱保温性シートからなる断熱保温性容器が開示されている。前記断熱保温性シートは、紙基材と該基材の一方の面に貼着された、発泡倍率が３倍以上であり厚さが１ｍｍ以上の水溶性高分子樹脂発泡層からなる。該シートの前記水溶性高分子樹脂発泡層と前記紙製容器の外周面の少なくとも１部は密着している。（以上、特許文献１の要約参照。）
【０００４】
この断熱保温性容器は、紙製容器でありながら発泡ポリスチレン樹脂から成る容器に匹敵する充分な断熱特性を有すると共に、容器の表面には意匠性や美麗性を目的とした印刷を施すことが出来る上、容器の成型加工適性にも優れている、とされている（段落０００８）。
【先行技術文献】
【特許文献】
【０００５】
【特許文献１】特開２０００−２７１０１１号公報
【発明の概要】
【発明が解決しようとする課題】
【０００６】
しかし、特許文献１に記載の断熱保温性容器は、あくまで、外周面の表面に意匠性等を付与する目的で印刷を施すことを開示しているだけであり、これにより、意匠性や外観品質の向上といった一定の効果は期待できるが、それ以上の効果を期待することは難しい。ここで、本発明者は、使い捨てコップの技術分野とは全く異なる技術分野であるが、印刷技術分野において、スクラッチ印刷なる印刷技術が使用されていることに着目した。このスクラッチ印刷は、典型的には、スクラッチくじで使用されるものであり、紙製のシート状をなす印刷用の基材（以下、「印刷基材」という）の表面の所定部位（以下、「隠蔽部位」という）に、くじの当落情報（例えば、「当たり」又は「外れ」等の文字等）や当落種類（例えば、「１等」、「２等」、「残念賞」等の文字）等を所定の印刷技術（典型的にはオフセット印刷）により通常インキを使用して印刷すると共に、その隠蔽部位の全体を銀色等の特殊インキで覆うように所定の印刷技術（典型的にはスクリーン印刷）で印刷して、その隠蔽部位を前記特殊インキによる隠蔽層で隠蔽するものである。なお、隠蔽部位には、文字以外に、所定の絵柄や記号が印刷されることもある。また、前記当落情報や当落種類の隠蔽部位における通常印刷インキによる通常印刷層と前記特殊インキによる隠蔽層との間には、通常、透明なニスからなる剥離層が所定の印刷技術（典型的にはオフセット印刷）により印刷され、その剥離層を介して、隠蔽層が通常印刷層の上に剥離自在に配設されている。そして、そのスクラッチくじを購入又は（キャンペーン等により）入手した使用者が、スクラッチくじの隠蔽層をコインや爪などにより擦り取ることにより、隠蔽部位が露出して外部から視認可能となり、使用者が、その隠蔽部位の当落情報や当落種類を確認できるようになっている。なお、隠蔽部位の当落情報や当落種類の印刷に使用する通常インキによる印刷色（通常はグレー）と、特殊インキによる隠蔽層の印刷色（通常は銀色）とは同色又は近似色とされ、隠蔽層による通常印刷部位の隠蔽効果を確保するようになっている。また、シート状の基材に裏面は、裏面側から前記隠蔽部位の文字等を透かして見ることができないよう、墨ベタで印刷されている。
【０００７】
そして、本発明者は、上記のような使い捨てコップの外周面の表面の所定部位に、上記のようなスクラッチ印刷を使用してスクラッチくじ等の特有の情報部（以下、「隠蔽情報部」という）を設ければ、使い捨てコップの嗜好性や娯楽効果を増大し、ひいては、特に使い捨てコップにより飲料を提供する事業者に対して大きな広告効果を得るような使用態様を提案できるのではないかと考え、本発明の着想を得た。一方、使い捨てコップは、その保管時及び搬送時には、保管スペースを節約するために、上下方向に（即ち、使い捨てコップの軸心方向に）嵌合状態で積み重ねて保管及び搬送されるが、このとき、下側の使い捨てコップの内周面と上側の使い捨てコップの外周面とが接触することになる。したがって、使い捨てコップの外周面の表面にスクラッチ印刷を施すと、特に搬送時に、上下に積み重ねた使い捨てコップの外周面と内周面とが互いにこすれ合い、摩擦によって上側の使い捨てコップの外周面の表面のスクラッチ印刷層である隠蔽層が（部分的にであっても）剥離又は擦り取られる可能性がある。この場合、使い捨てコップは内容物として飲料を収容するものであり、食品衛生法（特に、「第三章  器具及び容器包装」）により、「営業上使用する器具及び容器包装は、清潔で衛生的でなければならない。」（第十五条）、及び、「有毒な、若しくは有害な物質が含まれ、若しくは付着して人の健康を損なうおそれがある器具若しくは容器包装又は食品若しくは添加物に接触してこれらに有害な影響を与えることにより人の健康を損なうおそれがある器具若しくは容器包装は、これを販売し、販売の用に供するために製造し、若しくは輸入し、又は営業上使用してはならない。」（第十六条）とされており、上記のように、微量であってもスクラッチ印刷の隠蔽層の特殊インキが剥離して、その特殊インキの剥離片が使い捨てコップの（飲料に直接接触する）内周面の表面に付着したり残留したりするといった事態は、確実に防止する必要がある。
【０００８】
そこで、本発明者は、使い捨てコップ自体ではなく、使い捨てコップに付随して使用される物品について鋭意研究を重ねた結果、使い捨てコップの外周面に嵌合状態で装着される紙製スリーブ（「コーヒースリーブ」、「カップスリーブ」とも呼ばれる）に着目した。なお、この紙製スリーブは、使い捨てコップの内容物としての飲料がホットコーヒー等の温飲料の場合に、使い捨てコップを把持する飲用者の手指に温飲料の温熱が直接加わらないよう、使い捨てコップの外周に巻き回して、或いは、嵌合して装着されるものである。この紙製スリーブにより、使い捨てコップの内部の温飲料の熱が飲用者の手指に伝達することを抑制又は遮断することができる。或いは、紙製スリーブは、使い捨てコップの内容物としての飲料がアイスコーヒー等の冷飲料の場合も、使い捨てコップを把持する飲用者の手指に冷飲料の冷熱が直接加わらないよう、或いは、使い捨てコップの外周面に結露により発生した水滴が飲用者の手指に付着しないよう、使い捨てコップの外周面に装着される。このように、紙製スリーブは、必要時に後付けで使い捨て紙コップに装着されてその機能を発揮するため、使い捨てコップ自体ではなく、紙製スリーブにスクラッチ印刷によるスクラッチくじを設けて、その紙製スリーブを後付けで使い捨て紙コップの外周面に装着すれば、使い捨て紙コップ自体にスクラッチ印刷によるスクラッチくじを設けた場合と同様に、スクラッチくじによる特有の効果を発揮することができるということに、本発明者は想到した。同時に、この場合、使い捨てコップの内部に（紙製スリーブに設けた）スクラッチ印刷の特殊インキの剥離片が付着したり残留したりするといった事態を生じることはないことにも、本発明者は着目した。そして、本発明者は、このような紙製スリーブにスクラッチ印刷をする技術について鋭意研究開発を重ね、本発明に係る使い捨てコップ用スリーブに想到した。更に、本発明者は、従来のスクラッチ印刷による各種の技術的思想を使い捨てコップ及び使い捨てコップ用スリーブとの関係で鋭意検討することにより、使い捨てコップ及び／又は使い捨てコップ用スリーブに特有の特性又は属性との関係で独創的な効果を発揮すると共に、それらの関係に基づく相乗効果を発揮することができる使い捨てコップ用スリーブの発明にも想到した。
【０００９】
更に、スクラッチ印刷と同様、銀インキ等の特殊インキによる隠蔽性を利用して、印刷基材にくじ等の情報を隠蔽状態で設ける印刷技術として、セロハンテープオフ印刷なる印刷技術がある。このセロハンテープオフ印刷技術は、印刷基材の隠蔽部位に、スクラッチくじと同様、くじの当落情報や当落種類又はクイズの解答等の文字や絵柄や記号等を通常インキにより所定の印刷技術（典型的にはオフセット印刷）を使用して印刷することで通常印刷層を形成し、その通常印刷層の上に、スクラッチ印刷と同様に透明なニスからなる剥離層を所定の印刷技術（典型的にはグラビア印刷）により印刷し、その剥離層の上に銀インキ等の特殊インキからなる隠蔽層を所定の印刷技術（典型的にはグラビア印刷）によって剥離自在に配設するものである。本発明者は、このセロハンテープオフ印刷によってくじ等を使い捨てコップ用スリーブに設けることによっても、スクラッチ印刷によってくじ等を使い捨てコップ用スリーブに設けた場合と同様の特有の効果が得られることにも着目した。そして、本発明者は、これらスクラッチ印刷やセロハンテープオフ印刷のように、印刷基材に印刷した所定の通常印刷部を隠蔽層により隠蔽すると共に必要時にその隠蔽層を剥離することができる印刷技術（以下、説明の便宜上、「隠蔽印刷」という）を利用して、本願に係る使い捨てコップ用スリーブの発明を完成した。
【００１０】
そこで、本発明は、使い捨て紙コップ自体に隠蔽印刷によるスクラッチくじ等の特有の隠蔽情報部を設けた場合と同様に、スクラッチくじ等の隠蔽情報部による特有の効果を発揮することができると共に、使い捨てコップの内部にスクラッチ印刷等の隠蔽層を形成する特殊インキの剥離片が付着したり残留したりするといった事態を生じることがない使い捨てコップ用スリーブの提供を課題とする。
【００１１】
また、本発明は、使い捨てコップ及び／又は使い捨てコップ用スリーブに特有の特性又は属性との関係で隠蔽情報部による独創的な効果を発揮すると共に、隠蔽情報部による効果とそれら使い捨てコップ及び／又は使い捨てコップ用スリーブによる効果との相乗効果を発揮することができる使い捨てコップ用スリーブの提供を課題とする。
【課題を解決するための手段】
【００１２】
本発明の一つの観点に係る使い捨てコップ用スリーブは、使い捨てコップの外周面に装着自在とされると共に、少なくとも表面側に印刷基材を有する巻回部と、前記巻回部の印刷基材に隠蔽印刷により設けられた隠蔽情報部とを備えている。前記隠蔽情報部は、前記隠蔽部の第１の部分に印刷により設けられた第１の情報部と、前記隠蔽部において前記第１の部分と隣接する第２の部分に印刷により設けられた第２の情報部と、前記第１の情報部及び前記第２の情報部を隠蔽すると共に、外力により剥離されて前記第１の情報部及び前記第２の情報部を露出する隠蔽層とを備えている。前記第１の情報部及び前記第２の情報部は、たがいに協働して、くじに関する複合的な情報であって、かつ、互いに内容的な関連性を有する複数の異なる種類の情報からなる複合くじ情報を表すものである。前記第１の情報部は、前記複合くじ情報の一つを構成する情報であって、くじの賞の種別を表す賞種別情報を第１の情報として有している。前記第２の情報部は、前記複合くじ情報の他の一つを構成する情報であって、くじの賞の具体的内容を説明する賞内容情報を第２の情報として有している。前記第１の情報は、使い捨てコップの被提供者が目視により読解可能な読解可能情報として前記隠蔽情報部に設けられる。前記第２の情報は、使い捨てコップの被提供者が目視によっては読解不能となるように、所定のコード体系で符号化したコードからなる読解不能情報として前記隠蔽情報部に設けられる。
【００１３】
本発明の他の観点に係る使い捨てコップ用スリーブの情報処理システムは、上記使い捨てコップ用スリーブと、前記第２の情報のコードを読み取ると共に、そのコードを前記所定のコード体系にしたがって復号化し、前記第２の情報を使い捨てコップの被提供者が目視により読解可能な読解可能情報へと変換するコード読取手段と、前記コード読取手段によって読解可能情報へと変換された第２の情報を、前記第１の情報と共に前記コード読取手段の表示手段に表示するコード変換表示手段とを備える。
【発明の効果】
【００１４】
本発明の一つの観点に係る使い捨てコップ用スリーブは、使い捨て紙コップ自体に隠蔽印刷によるスクラッチくじ等の特有の隠蔽情報部を設けた場合と同様に、スクラッチくじ等の隠蔽情報部による特有の効果を発揮することができると共に、使い捨てコップの内部にスクラッチ印刷等の隠蔽層を形成する特殊インキの剥離片が付着したり残留したりするといった事態を生じることがない。
【００１５】
本発明の他の観点に係る使い捨てコップ用スリーブの情報処理システムは、使い捨てコップ及び／又は使い捨てコップ用スリーブに特有の特性又は属性との関係で隠蔽情報部による独創的な効果を発揮すると共に、隠蔽情報部による効果とそれら使い捨てコップ及び／又は使い捨てコップ用スリーブによる効果との相乗効果を発揮することができる。
【図面の簡単な説明】
【００１６】
【図１】図１は本発明の実施の形態１に係る使い捨てコップ用スリーブを使い捨てコップに装着した状態を示す斜視図である。
【図２】図２は本発明の実施の形態１に係る使い捨てコップ用スリーブを使い捨てコップに装着した状態を示す正面図である。
【図３】図３は本発明の実施の形態１に係る使い捨てコップ用スリーブの隠蔽部の情報部の構成を説明するための正面図であり、上側に装着状態の使い捨てスリーブを示し、下側に使い捨てスリーブの隠蔽情報部の構成を説明的に示す。
【図４】図４は本発明の実施の形態１に係る使い捨てコップ用スリーブの使い捨てコップを示し、（ａ）は使い捨てコップ用スリーブを使い捨てコップに装着した状態を示す正面図であり、（ｂ）は使い捨てコップ用スリーブの（使い捨てコップへの非装着時の）展開状態を示す正面図である。
【図５】図５は本発明の実施の形態１に係る使い捨てコップ用スリーブを使い捨てコップに装着した状態を示す平面図であり、一点鎖線で示す円形内に使い捨てコップ用スリーブの層構造及び隠蔽情報部の層構造を拡大して示す。
【図６】図６は本発明の実施の形態１に係る使い捨てコップ用スリーブを使い捨てコップに装着した状態を示す縦断面図であり、一点鎖線で示す円形内に使い捨てコップ用スリーブの層構造及び隠蔽情報部の層構造を拡大して示す。
【図７】図７は本発明の実施の形態１に係る使い捨てコップ用スリーブの製造方法の好適例を概略的に説明するための説明図である。
【図８】図８は本発明の実施の形態１に係る使い捨てコップ用スリーブの隠蔽情報部の第１の情報及び第２の情報を使用したスリーブ用情報処理システムの一例を機能ブロック等を使用して説明するための説明図である。
【図９】図９は本発明の実施の形態１に係る使い捨てコップ用スリーブの隠蔽情報部の第２の情報部のデータ構造の一例を説明するための説明図である。
【図１０】図１０は本発明の実施の形態１に係る使い捨てコップ用スリーブの隠蔽情報部の第１の情報及び第２の情報を使用したスリーブ用情報処理システムのデータベースのデータ構造（テーブル構成）を示す説明図である。
【図１１】図１１は本発明の実施の形態１に係る使い捨てコップ用スリーブの隠蔽情報部の第１の情報及び第２の情報を使用したスリーブ用情報処理システムの機能実現手段（コード情報管理手段、当落情報管理手段、公告情報管理手段）の構成を概略的に説明するための説明図である。
【図１２】図１２は本発明の実施の形態２に係る使い捨てコップ用スリーブを示し、（ａ）は使い捨てコップ用スリーブを使い捨てコップに装着した状態を示す正面図であり、（ｂ）は使い捨てコップ用スリーブの（使い捨てコップへの非装着時の）展開状態を示す正面図であり、（ｃ）は使い捨てコップ用スリーブの隠蔽部の情報部の構成を説明するための正面図である。
【図１３】図１３は本発明の実施の形態３に係る使い捨てコップ用スリーブを示し、（ａ）は使い捨てコップ用スリーブの展開状態を示す拡大正面図であり、（ｂ）は使い捨てコップ用スリーブの隠蔽部の情報部の構成を説明するための拡大正面図である。
【図１４】図１４は本発明の実施の形態４に係る使い捨てコップ用スリーブを示し、（ａ）は使い捨てコップ用スリーブを使い捨てコップに装着した状態を示す正面図であり、（ｂ）は使い捨てコップ用スリーブの展開状態を示す正面図である。
【図１５】図１５は本発明の実施の形態５に係る使い捨てコップ用スリーブの巻き回し状態（使用時の状態）を示す斜視図である。
【図１６】図１６は本発明の実施の形態５に係る使い捨てコップ用スリーブを示し、（ａ）は使い捨てコップ用スリーブを使い捨てコップに装着した状態を示す正面図であり、（ｂ）は使い捨てコップ用スリーブの（使い捨てコップへの非装着時の）展開状態を示す正面図である。
【発明を実施するための形態】
【００１７】
以下、本発明を実施するための形態（以下、実施の形態という）を説明する。なお、各実施の形態を通じ、同一の部材、要素または部分には同一の符号を付して、その説明を省略する。
【００１８】
実施の形態１
実施の形態１に係る使い捨てコップ用スリーブ（以下、単に「スリーブ」という）１０は、図１、図２及び図４（ａ）に示すように、使い捨てコップ１の外周面の表面に巻き回した状態で装着自在なシート構造を有している。詳細には、図４（ｂ）に示すように、スリーブ１０は、展開状態では、所定の幅寸法（図４中の上下方向寸法）で所定の長さ寸法（図４中の左右方向寸法）だけ延びる帯状のシート状をなす。スリーブ１０の幅寸法は、装着対象の使い捨てコップ１の高さ寸法（図１の上下方向寸法）よりも小さい寸法とされ、スリーブ１０の長さ寸法は、装着対象の使い捨てコップ１の外周面の全周長よりも所定長さだけ（即ち、接合部分の長さだけ）長い寸法とされている。スリーブ１０の巻回部１４の長さ方向一端縁には、所定形状（例えば、ひし形状）の突片状の係止部１５が、スリーブ１０の長さ方向に突出するよう一体形成され、巻回部１４の長さ方向他端部には、前記係止部１５を挿入して係止自在なスリット状の係合部１６が、スリーブ１０の幅方向に延びるよう形成されている。そして、スリーブ１０は、巻回部１４を所定寸法の使い捨てコップ１の外周面の表面に巻き回し、係止部１５を係合部１６に挿入して係止することにより、使い捨てコップ１の外周面の表面の所定位置に後付けで装着して取り付けることができる。即ち、スリーブ１０は、使い捨てコップに対して後付け可能（及び、別体で着脱自在）な構造を有している。
【００１９】
［スリーブ］
図５及び図６に示すように、スリーブ１０は、例えば、所定の層構造（例えば、段ボール原紙と同様の層構造）を有する所定素材（典型的には紙素材）の原料シートから形成されている。スリーブ１０は、実施の形態１では、波形シート状の内側層１１と、平坦シート状の外側層１２とを重ねて接合した二層構造とされている。外側層１２の表面（即ち、スリーブ１０の外表面）は、平滑面とされ、その表面に所定の印刷技術により所望の印刷を施せるようになっている。即ち、実施の形態１では、スリーブ１０の巻回部１４における外側層１２は、外側表面を平滑面とした印刷基材層を構成しており、印刷基材層としての外側層１２の表面に、所定の印刷技術（例えば、スクリーン印刷、オフセット印刷、スクラッチ印刷用の特殊印刷等）を使用して所望の態様の（文字、記号、図形、模様等からなる）印刷部を形成自在である。そして、巻回部１４の外側層１２の表面には、長さ方向の所定部位（図示の例の場合は長さ方向中央部）に、印刷部としての隠蔽情報部２０が印刷により一体的に形成されている。
【００２０】
［隠蔽情報部］
隠蔽情報部２０は、内側層としての印刷層２１と、中間層としての剥離層２２と、外側層としての隠蔽層２３を厚さ方向に順次積層してなる三層構造を有している。印刷層２１は、従来のスクラッチ印刷やセロハンテープオフ印刷の通常印刷層に相当する。また、剥離層２２は、従来のスクラッチ印刷やセロハンテープオフ印刷の剥離層に相当する。更に、隠蔽部２３は、従来のスクラッチ印刷やセロハンテープオフ印刷の隠蔽層に相当する。なお、図５及び図６では、説明の便宜上、印刷層２１、剥離層２２及び隠蔽層２３は、視認可能な程度の厚みを持つよう描画しているが、実際は、各層とも視認困難な程度の厚みの層として形成される。
【００２１】
［隠蔽情報部の情報］
図３に示すように、実施の形態１では、隠蔽情報部２０は、印刷層２１に所定の情報部を印刷してなるものであり、前記所定の情報部として、第１の情報部３１及び第２の情報部３２を有している。実施の形態１では、隠蔽情報部２０の前記所定の情報部の情報は、くじに関する情報（以下、「くじ情報」という）から構成されている。また、実施の形態１では、隠蔽情報部２０は、くじ情報として、単一の情報ではなく、くじに関する複合的な情報であって、かつ、互いに内容的な関連性を有する複数の異なる種類の情報（以下、「複合くじ情報」という）を印刷層２１に設けている。詳細には、第１の情報部３１は、前記くじ情報のうち、前記複合くじ情報の一つを構成する情報であって、くじの景品や賞の階級やランク又は種類や種別を表す情報（以下、「賞種別情報」という）を印刷層２１に印刷してなる。なお、このような賞種別情報としては、例えば、「Ａ賞」、「Ｂ賞」、「Ｃ賞」、「Ｄ賞」のように賞や景品のランクを上位から下位へと文字により表したものや、「１等」、「２等」、「３等」、「４等」のように賞や景品のランクを上位から下位へと数字により表したものや、「無料券」、「割引券」、「特典引換券」のように賞や景品の種類を文言で表したものがあり、また、これらの文字や数字や文言からなる賞種別情報を直感的に把握できるように記号や図形や絵柄で表現したものもある。図３の例では、第１の情報部３１は、くじ情報として、「Ａ賞」、「Ｂ賞」、「Ｃ賞」、「Ｄ賞」のように賞や景品のランクを上位から下位へと文字により表した場合における「Ａ賞」という賞種別情報を有している。
【００２２】
第２の情報部３２は、くじ情報のうち、前記複合くじ情報の他の一つを構成する情報であって、くじの賞や景品の具体的内容を説明する情報（以下、「賞内容情報」という）を印刷層２１に印刷してなる。なお、このような賞内容情報としては、例えば、「１０００円」、「５００円」のように賞が賞金の場合の金額を表すものや、「マグカップ」、「トレー」のように賞が景品の場合の景品の具体的内容（景品名等）を表すものや、「ドリンク無料券」、「ランチ割引券」、「大盛り無料券」のように賞が「無料券」や「割引券」や「特典引換券」の場合のそれらの券の具体的内容を表すものがある。一方、実施の形態１では、第２の情報部３２は、上記の賞内容情報を、そのまま（文字や数字や文言で）印刷層２１に印刷するのではなく、賞内容情報を含む所定の情報を直接的視認によっては理解不能又は読解不能な態様で（即ち、文字や数字や文言のように直接的にそれらを読解することでは内容を理解することができないような態様で）コード化してなる所定のコードを印刷層２１に印刷している。このようなコードとしては、バーコードのような一次元コード、及び、二次元コードがあるが、より多くの情報量を確保できる点からは、二次元コードを使用することが好ましい。
【００２３】
［コード読取手段］
一方、第２の情報部３２の第２の情報のコードは、コード読取手段としてのバーコードスキャナーにより読み取り自在な構成である。具体的には、コード読取手段は、スマートフォンやタブレット等の携帯端末装置に実装したバーコードスキャナアプリケーションにより実現することができる。この場合、図示はしないが、携帯端末装置は、一般的なコンピュータ装置と同様、ハードウエア資源として、中央処理装置（ＣＰＵ）、記憶装置（ＲＯＭ、ＲＡＭ、内部ストレージ）、入出力装置（Ｉ／Ｏ）等を備える構成となる。また、携帯端末装置は、スマートフォンやタブレット等の携帯型通信端末装置であって、電話網を介して間接的に、又は、電話網を介さずに無線ＬＡＮ設備等を利用して直接的にインターネットに接続することができる通信端末装置とすることができる。或いは、携帯端末装置は、少なくともコード読取手段とネットワーク通信手段とを備えた携帯型の情報端末装置であればよく、例えば、バーコードや二次元コードを読み取るために専用に製作されたハンディスキャナ等の専用の携帯型情報端末装置により構成することもできる。
【００２４】
［使用形態］
実施の形態１のスリーブ１０の使用形態について簡単に説明すると、基本的には、顧客等の使用者に飲料物等の内容物を提供する提供者（例えば、飲食店舗やコンビニエンスストア等）が、使い捨てコップ１に飲料等の内容物を収容して被提供者（例えば、飲食店舗やコンビニエンスストアの顧客）に提供する際に、内容物が高温等の場合、上記のとおり、使い捨てコップ１にスリーブ１０を装着して提供するが、この際、提供者は、被提供者に対して、スリーブ１０の隠蔽情報部２０によりくじ引きをすることができる旨をまず告知する。例えば、提供者は、チラシのような店舗外告知手段や掲示板のような店舗内告知手段により、スリーブ１０の隠蔽情報部２０によりくじ引きができる旨を被提供者に告知する。そして、被提供者は、くじ引きに参加する場合、スリーブ１０の隠蔽情報部２０の隠蔽層２３を剥離する。例えば、被提供者が、自己のスリーブ１０の隠蔽情報部２０の隠蔽層２３を、隠蔽層２３がスクラッチ印刷の場合はコイン等で、セロハンテープオフ印刷の場合はセロハンテープで剥離すると、隠蔽情報部２０の印刷層２１が、そのくじ情報を透明な剥離層２２を介して外部に露出し、外部から視認可能な状態となる。即ち、これにより、第１の情報部３１が、被提供者に対し、その者の有するスリーブ１０の賞種別情報を視覚により直接的に読み取って確認又は理解可能な情報（以下、「読解可能情報」という）として提示する。よって、被提供者は、自己のくじ引き結果としての賞の種別をその場で（即ち、即時的に）かつ視覚により直接的に確認することができる。例えば、図３の例では、第１の情報部３１が、第１の情報として「Ａ賞」という文字を印刷しており、第１の情報部３１は、被提供者に対し、その者の賞が「Ａ賞」であることを即時的かつ直接的に確認可能な状態とする。
【００２５】
一方、このとき、第２の情報部３２の第２の情報は、所定のコード（図３の場合は二次元コード）により所定の符号化方式で符号化されているので、第２の情報部３２の第２の情報は、被提供者には即時的又は直接的には確認不能な情報となっており、被提供者にとって視覚によっては直接的に読み取って確認又は理解不能な情報（以下、「読解不能情報」という）となっている。したがって、被提供者が、スリーブ１０側では読解不能情報として設けられている第２の情報を、自己が視覚により直接的に読取って確認又は理解可能な情報（即ち、読解可能情報）として取得するには、被提供者は、必ず、前記コード読取手段により第２の情報部３２のコードをスキャンして読み取る必要がある。具体的には、被提供者が、スリーブ１０の第２の情報部３２のコード（即ち、読解不能情報）を、例えば携帯端末装置のコード読取手段によりスキャンすると、第２の情報部のコードの（符号化された）第２の情報が復号化され、その復号化された第２の情報が、文字又は文言等、被提供者が直接的に読解可能な態様で（即ち、読解可能情報として）、被提供者の携帯端末装置の表示手段としてのディスプレイに表示される。これにより、被提供者は、第２の情報部３２の第２の情報による賞内容情報を直接的に視認によって理解可能な態様で取得することができる。なお、この第２の情報の読取処理及び賞内容情報の表示処理等、実施の形態１のスリーブ１０の隠蔽情報部２０の情報を利用した各種処理を実行するためのスリーブ用情報処理システムについては、後段で詳述する。
【００２６】
［第３の情報部］
ここで、実施の形態１では、隠蔽情報部２０は、更に、前記所定の情報部として、第１の情報部３１及び第２の情報部３２に加えて、第３の情報部３３を有している。第３の情報部３３は、第２の情報部３２の情報が賞内容情報をコード化したコード情報であり、第２の情報部を視認しても、その賞内容情報の内容を直接的に確認することができず、その内容を確認するためには、上記のとおり、第２の情報部３２のコードのスキャン動作が必要であることから、被提供者にコードのスキャン動作を促すための第３の情報を追加的に印刷したものである。なお、第３の情報部３３の第３の情報は、被提供者にコードのスキャン動作を促す文言から構成され、例えば、図３に示すように、「賞の内容はコードをスキャン！！」のような文言からなる。なお、第３の情報部３３は、上記のように、被提供者にコードのスキャン動作を促す目的で設けられるため、被提供者が提供者による告知情報等により、隠蔽情報部２０のくじの賞内容情報を取得するためには、第２の情報部３２のコードのスキャンが必要であることを容易又は確実に認識できる場合、省略してもよい。
【００２７】
［製造方法］
次に、実施の形態１のスリーブ１０の製造方法の好適例について図７にしたがって説明する。スリーブ１０を製造するには、まず、図７（ａ）に示すように、原紙裁断工程で、所定幅寸法の原紙ロールＲＢを一定方向に連続給紙すると共にその給紙方向に一定間隔で裁断し、図７（ｂ）に示すように、前記所定幅寸法及び一定長さ寸法（例えば、幅４０ｃｍで長さ８０ｃｍ）を有する平坦シート状の原紙シートＳＢを製作する。このとき、各１枚の原紙シートＳＢは、図７（ｂ）に一点鎖線で示すように、スリーブ１０の外形輪郭に対応する囲繞形状の切断予定線ＣＬが、所定の複数本（図７の例では８本）、原紙シートＳＢの長さ方向に沿って並設して配置されている。なお、原紙シートＳＢにおいて各切断予定線ＣＬにより囲まれる囲繞部分を、説明の便宜上、印刷前スリーブ１０Ａと称する。次に、図７（ｂ）に示すように、係合部形成工程で、各原紙シートＳＡの各印刷前スリーブ１０Ａの所定位置には、前記スリット状の係合部１６が切込み加工により形成される。次に、図７（ｃ）に示すように、情報部印刷工程で、各原紙シートＳＡの描く印刷前スリーブ１０Ａの所定位置には、前記隠蔽情報部２０が印刷により形成される。これにより、原紙シートＳＡの印刷前スリーブ１０Ａにそれぞれ隠蔽情報部２０を印刷してなる印刷済原紙シートＰＢが得られる。なお、印刷済原紙シートＰＢにおいて各切断予定線ＣＬにより囲まれる囲繞部分を、説明の便宜上、印刷済スリーブ１０Ｂと称する。次に、切断工程で、前記印刷済み原紙シートＰＢから、各印刷済スリーブ１０Ｂを前記切断予定線ＣＬに沿って打ち抜き加工等によって切断する。これにより、図７（ｄ）に示すように、実施の形態１のスリーブ１０を得ることができる。
【００２８】
このように、平坦シート状の原紙シートＳＢの印刷前スリーブ１０Ａに隠蔽情報部２０を印刷することにより、ロール状の原紙ロールＲＢにおいてスリーブ１０に対応する部分の所定位置に直接隠蔽情報部２０を印刷する場合と比較して、隠蔽情報部２０の印刷を確実に行うことができ、印刷ミスを防止することができる。即ち、本発明者は、従来の使い捨てコップ用のスリーブにスクラッチ印刷等からなる隠蔽情報部２０を設けるという独自の技術思想に想到する一方で、そのスリーブ１０に隠蔽情報部２０を（特にスクラッチ印刷やセロハンテープオフ印刷のような特殊印刷技術による印刷ミスを防止して）確実に形成する技術思想についても同時に鋭意検討した結果、上記のような独自の製造方法の発明に想到したものである。換言すれば、本発明者の知見によれば、ロール状の原紙ロールＲＢにおいてスリーブ１０に対応する部分の所定位置に直接隠蔽情報部２０を印刷した場合、隠蔽情報部２０の印刷時に原紙ロールＲＢの印刷面が湾曲しているため、特殊印刷技術による隠蔽情報部２０の印刷が良好に行われず、印刷漏れ部分等の印刷ミスが発生する可能性がある一方で、上記のように、原紙ロールＲＢを平坦シート状の原紙シートＳＢとした後に、印刷前スリーブ１０Ａに隠蔽情報部２０を印刷することで、このような印刷ミスを確実に防止することができる。なお、前記係合部形成工程は、前記情報部形成工程の後に行ってもよく、或いは、前記切断工程と同時に行ってもよい。
なお、
【００２９】
［スリーブ用情報処理システム］
次に、実施の形態１のスリーブ１０の隠蔽情報部２０を使用したスリーブ用情報処理システムの一例について、図８〜図１０にしたがって説明する。スリーブ用情報処理システムは、実施の形態１のスリーブ１０の隠蔽情報部２０の特に第２の情報を利用して、第２の情報の読取処理、読み取った第２の情報に対応する賞内容情報の取得処理、取得した賞内容情報の表示処理等、被提供者の端末側コンピュータ措置（典型的には、被提供者が所有するスマートフォン等の携帯端末装置）で第２の情報のコード（即ち、読解不能情報）を読み取ってから、その第２の情報に対応する賞内容情報を含む所定の情報を読解可能情報へと変換して、最終的に被提供者の端末側コンピュータ措置のディスプレイ（典型的には、被提供者が所有するスマートフォン等の携帯端末装置のディスプレイ）に表示するまでの各種処理を実行するシステム構成を備えている。このスリーブ用情報処理システムは、一般的なクライアントサーバーシステムや、クラウドコンピューティングシステムにより構成することができ、クライアント装置やサーバー装置等、コンピュータ装置のハードウエア資源（ＣＰＵ、ＲＯＭ、ＲＡＭ、ＨＤＤ、ネットワークデバイス，Ｉ／Ｏ等）及び、ソフトウエア資源（０Ｓ、ミドルウエア、ＤＢＭＳ、ＡＰＩ、各種アプリケーション等）、並びに、携帯電話網やインターネット等のネットワーク資源を協働させることで、上記の所定の各種処理を実行するものである。スリーブ用情報処理システムは、スリーブ１０の隠蔽情報部２０の第２の情報のコードを読み取ると共に、そのコードを前記所定のコード体系にしたがって復号化し、前記第２の情報を使い捨てコップの被提供者が目視により読解可能な読解可能情報へと変換するコード読取手段と、前記コード読取手段によって読解可能情報へと変換された第２の情報を、前記第１の情報と共に前記コード読取手段の表示手段に表示するコード変換表示手段とを備えている。
【００３０】
［携帯端末装置（送信時の構成）］
詳細には、図８に示すように、スリーブ用情報処理システムは、クライアント側の構成として、前記コード読取手段としての携帯端末装置４０を備えている。また、スリーブ用情報処理システムは、サーバー側の構成として、情報管理サーバー５０を備えている。携帯端末装置４０は、典型的には、被提供者が有する上記構成のスマートフォンやタブレット等からなり、実装したバーコードスキャナーによりスリーブ１０の第２の情報部３２のバーコード（図８の場合は二次元コード）ＢＣを読取自在であり、かつ、読み取ったコードＢＣに対応するコード情報ＣＩ１を、携帯電話網やインターネット等のネットワークを介して、所定の送信先としての前記情報管理サーバー５０に送信自在である。より詳細には、携帯端末装置４０は、インターネット上において前記情報管理サーバー５０に一意に割り当てられた所定のアドレスに、前記コード情報ＣＩ１を送信自在である。このとき、携帯端末装置４０は、バーコードスキャナーによって読み取ったバーコードＢＣを復号化して第２の情報に対応するコード情報ＣＩ１へと変換した上で、そのコード情報ＣＩ１を情報管理サーバー５０に送信する。（なお、前記所定のアドレスは、正確には、当該管理サーバー５０が前記コード情報ＣＩ１の受信用に設けた特定のアドレスであって、典型的には、ＨＴＴＰによるリクエストを受信すると共にそのリクエストに対するレスポンスを送信する特定のＵＲＬのことをいうｌ以下、この特定のＵＲＬを「送信先ＵＲＬ」という。）また、このとき、携帯端末装置４０は、前記コード情報ＣＩ１を、所定の通信プロトコルにしたがって（典型的にはＨＴＴＰによるリクエストとして）情報管理サーバー５０に送信する。
【００３１】
［情報管理サーバー］
一方、情報管理サーバー５０は、くじ情報格納部５１に所定のくじ情報を格納及び管理すると共に、くじ情報に基づく所定の情報処理を実行して実行結果の情報を格納及び管理するサーバー装置であって、クラウドサーバー等を好適に使用することができる。詳細には、サーバー装置５０は、コンピュータ装置のハードウエア資源（ＣＰＵ，ＲＯＭ，ＲＡＭ等）及びソフトウエア資源（０Ｓ，ＡＰＩ等）を利用して所定の機能を実現する手段として、情報格納部５１と、コード情報管理手段５２と、当落情報管理手段５３と、広告情報管理手段５４と、情報抽出加工手段５５とを備えている。より詳細には、情報格納部５１は、ＲＤＢ（リレーショナルデータベース）等の一般的なデータベースサーバー装置により構成することができ、ハードウエア震源としてのＨＤＤ等の記憶装置とソフトウエア資源としてのＤＢＭＳ（データベース管理システム）とを備えている。また、コード情報管理手段５２、当落情報管理手段５３、広告情報管理手段５４、及び、常法抽出加工手段５５は、それぞれ、ウエブサーバー（及び、必要な場合は、これに加えてアプリケーションサーバー）のハードウエア資源及びソフトウエア資源により、自らの所定の機能を実現するようになっている。そして、情報管理サーバー５０は、前記送信先ＵＲＬに前記コード情報ＣＩ１を（典型的には、前記ＨＴＴＰによるリクエストとして）受信すると、情報抽出加工手段５５を使用して、そのコード情報ＣＩ１に対応する当落情報ＩＦ１及び広告情報ＩＦ２を前記情報格納部５１から抽出（及び必要に応じて加工）して、インターネットや携帯電話網等のネットワークを介して、所定の送信先としての前記携帯端末装置４０に送信する。このとき、情報管理サーバー５０は、前記コード情報ＣＩ１の送信に使用された所定の通信プロトコルにしたがって（典型的にはＨＴＴＰによるリクエストに対するレスポンスとして）、前記当落情報ＩＦ１及び広告情報ＩＦ２を携帯端末装置４０に送信する。
【００３２】
［携帯端末装置（受信時の構成）］
すると、携帯端末装置４０は、当落情報ＩＦ１に対応する情報として、第１の情報としての賞種別情報ＤＩ１及び第２の情報としての賞内容情報ＤＩ２をディスプレイ４１に表示すると共に、この賞内容情報ＤＩ２と同時に（即ち、この賞内容情報ＤＩ２と関連付けて）、前記広告情報ＩＦ２に対応する情報として、広告情報ＤＩ３をディスプレイ４１に表示する。即ち、情報管理サーバー５０は、携帯端末装置４０に対して（前記レスポンスとして）、前記賞種別情報ＤＩ１、賞内容情報ＤＩ２及び広告情報ＤＩ３からなるウエブページを送信する。このとき、このウエブページは、（典型的には、レスポンシブＷｅｂデザインによりモバイル端末としての携帯端末装置４０のディスプレイ４１での表示に最適化した）所定の表示態様となるよう調整されて、前記携帯端末装置４０に送信される。なお、前記賞種別情報ＤＩ１は、前記第１の情報としての賞種別情報に対応する情報であり、図８では、第１の情報に対応して「Ａ賞」なる賞種別情報ＤＩ１（この場合、同一の文字からなる情報）として表示されている。また、前記賞内容情報ＤＩ２は、前記第２の情報としての賞内容情報に対応する情報であるが、第２の情報としての賞内容情報が前記読解不能情報であるのに対し、賞内容情報ＤＩ２は、読解可能情報として表示される。即ち、図８では、賞内容情報ＤＩ２は、一例として、第２の情報に対応する「コーヒーメーカー」（この場合は賞品名）という賞種別情報（この場合、視認して直接的に読解可能な文字情報）として表示されている。なお、前記広告情報ＤＩ３は、文字や画像等からなる任意の広告用コンテンツからなる。
【００３３】
［コード情報］
上記のとおり、前記スリーブ１０の隠蔽情報部２０の第２の情報部３２に印刷されたバーコードＢＣは、第２の情報を読解不能情報としてコード化したものであるが、このバーコードＢＣに対応するコード情報ＣＩ１は、例えば、図９に示すデータ構造のコード情報とすることができる。即ち、図９の場合、バーコードＢＣに対応するコード情報ＣＩ１は、当落情報ページＵＲＬ、及び、くじＩＤを必須のデータ（即ち、１レコード中のフィールド）として含むよう構成することができる。当落情報ページＵＲＬは、前記情報管理サーバー５０の送信先ＵＲＬに相当するものであり、コード情報ＣＩ１の送信先としての前記情報管理サーバー５０の特定のウエブページのアドレス（ドメイン名又はＩＰアドレス等）を示す情報である。典型的には、当落情報ページＵＲＬは、インターネットでの前記情報管理サーバー５０のアドレス情報としてのＵＲＬを含み、典型的には、「ｈｔｔｐ：／／ｈｏｓｔ．ｎｅｔ／ｐａｇｅ」のように、「スキーム名＋ホスト名＋パス」からなる文字列情報からなる。また、くじＩＤは、前記スリーブ１０の隠蔽情報部２０の各々に一意に割り当てられたＩＤであり、多数用意されるスリーブ１０の隠蔽情報部２０は、それぞれ、互いに重複しない一意のくじＩＤを有している。また、前記コード情報ＣＩ１の送信時に、前記くじＩＤは、前記特定の通信プロトコル（典型的には、ＨＴＴＰ）に応じた所定のパラメータ（図９の場合はパラメータ１）として、前記当落情報ページＵＲＬと共に情報管理サーバー５０に送信される。即ち、携帯端末装置４０は、典型的には、ＨＴＴＰのｇｅｔメソッドまたはｐｏｓｔメソッドを使用して、「名前＋値」の対からなる情報として、くじＩＤを送信可能であるが、この場合、ｇｅｔメソッドによれば、「ｈｔｔｐ：／／ｈｏｓｔ．ｎｅｔ／ｐａｇｅ／？ｌｏｔＩＤ＝Ｌ００１」のようなＵＲＬ情報が情報管理サーバー５０に送信される。
【００３４】
［コード情報のパラメータ］
また、バーコードＢＣに対応するコード情報ＣＩ１は、図９中に二点鎖線で示すように、追加のパラメータを含むよう構成することもできる。即ち、この場合の追加のパラメータとしては、第１の情報ＩＤ（パラメータ２）、第２の情報ＩＤ（パラメータ３）、ロットＩＤ（パラメータ４）、店ＩＤ（パラメータ５）、広告ＩＤ（パラメータ６）等がある。第１の情報ＩＤは、スリーブ１０の第１の情報部に印刷される第１の情報に一意に割り当てられたＩＤであり、第１の情報ＩＤにより賞種別情報を一意に特定することができる。また、第２の情報ＩＤは、スリーブ１０の第２の情報部に印刷される第２の情報に一意に割り当てられたＩＤであり、第２の情報ＩＤにより賞内容情報を一意に特定することができる。また、ロットＩＤは、製造ロットごとにスリーブ１０を管理するためのＩＤであり、（例えば、１万個のスリーブを１ロットとして）スリーブ１０の属するロットごとに一意に割り当てられたＩＤであって、ロットＩＤにより個々のスリーブ１０の属するロットを一意に特定することができる。また、店ＩＤは、スリーブ１０の製造業者がスリーブ１０の購入者（即ち、前記スリーブ１０の提供者）としての店（飲食店舗やコンビニエンスストア等）を管理するためのＩＤであり、スリーブ１０を購入した店ごとに一意に割り当てられたＩＤであって、店ＩＤにより（通常はロット単位での販売となる）スリーブ１０の販売先である店を一意に特定することができる。また、広告ＩＤは、スリーブ１０の購入者である店の広告用に用意された広告コンテンツを管理するためのＩＤであり、スリーブ１０を購入した店の広告コンテンツごとに一意に割り当てられたＩＤであって、広告ＩＤにより（前記コード情報ＣＩ１に応じて情報管理サーバー５０から携帯端末装置４０に送信されることになる）広告内容を一意に特定することができる。これらのパラメータも、パラメータ１としてのくじＩＤと同様、前記コード情報ＣＩ１の送信時に、前記特定の通信プロトコル（典型的には、ＨＴＴＰ）に応じた所定のパラメータ（図９の場合はパラメータ２〜ｎ）として前記当落情報ページＵＲＬと共に情報管理サーバー５０に送信することができる。即ち、この場合、携帯端末装置４０は、典型的には、ＨＴＴＰのｇｅｔメソッドまたはｐｏｓｔメソッドを使用して、「名前＋値」の対からなる情報として、くじＩＤを送信可能であるが、この場合、ｇｅｔメソッドによれば、「ｈｔｔｐ：／／ｈｏｓｔ．ｎｅｔ／ｐａｇｅ０１／？ｌｏｔＩＤ＝Ｌ００１＆１ｓｔＩｎｆｏＩＤ＝Ｋ２＆２ｎｄＩｎｆｏＩＤ＝Ｐ２＆・・・」のようなＵＲＬ情報が情報管理サーバー５０に送信される。
【００３５】
［情報格納部］
情報格納部５１は、典型的には、リレーショナルデータベース（ＲＤＢ）により構成することができ、この場合、一例として、図１０に示すようなデータ構造（データスキーマ）を備えるよう構成することができる。詳細には、図１０の場合、情報格納部５１は、マスタファイル（即ち、ＲＤＢの場合はマスタテーブル）として、当落情報ファイルとしての当落情報テーブルＴ１、賞種別ファイルとしての賞種別テーブルＴ２、賞内容ファイルとしての賞内容テーブルＴ３、広告情報ファイルとしての広告情報テーブルＴ４、取引ファイルとしての取引テーブルＴ５、店ファイルとしての店テーブルＴ６を備えると共に、トランザクションファイル（即ち、ＲＤＢの場合はトランザクションテーブル）として引換情報ファイルとしての引換情報テーブルＴ７を備える。
【００３６】
［当落情報テーブルＴ１］
当落情報テーブルＴ１は、各レコードのフィールドとして、ロットＩＤ、くじＩＤ、賞種別ＩＤ、及び、賞内容ＩＤを格納する。なお、当落情報テーブルＴ１の主キーはくじＩＤであるが、ロットＩＤとくじＩＤとを複合キーとして使用することもできる。ロットＩＤは、スリーブ１０を製造する場合の１製造単位（例えば、１千個〜１万個等の１製造単位）としてのロットごとに一意に割り当てられたＩＤであり、ロットＩＤにより、特定のスリーブ１０が属するロットを判断することができる。また、くじＩＤは、スリーブ１０ごと（即ち、くじ情報を格納する隠蔽情報部２０ごと）に一意に割り当てられたＩＤであり、くじＩＤにより、特定のスリーブ１０のくじ情報（即ち、そのくじの賞種別や賞内容）を判断することができる。賞種別ＩＤは、前記第１の情報ＩＤに対応するものであり、賞種別情報を一意に特定するためのＩＤである。賞内容ＩＤは、前記第２の情報ＩＤに対応するものであり、賞内容情報を一意に特定するためのＩＤである。
【００３７】
［賞種別テーブルＴ２］
賞種別テーブルＴ２は、各レコードのフィールドとして、賞種別ＩＤ、及び、賞種別を格納する。賞種別ＩＤは、前記当落情報テーブルＴ１の賞種別ＩＤと同一のＩＤであり、例えば、図の例では、「Ｋ１」、「Ｋ２」、「Ｋ３」といったＩＤ体系にしたがって一意となるよう賞種別ごとに割り当てられている。賞種別は、賞種別ＩＤごとの賞の具体的な種別を表すものであり、例えば、図の例では、「Ａ賞」、「Ｂ賞」、「Ｃ賞」といった賞の種別を表す文字列が、それぞれ、賞種別ＩＤごとに予め定めた賞の種別に対応して格納されている。なお、賞種別テーブルＴ２の主キーは賞種別ＩＤである。そして、賞種別テーブルＴ２の賞種別ＩＤを主キーとし、前記当落情報テーブルＴ１の賞種別ＩＤを外部キーとして、当落情報テーブルＴ１と賞種別テーブルＴ２とが互いに関連付けられている。
【００３８】
［賞内容テーブルＴ３］
賞内容テーブルＴ３は、各レコードのフィールドとして、賞内容ＩＤ、及び、賞内容を格納する。賞内容ＩＤは、前記当落情報テーブルＴ１の賞内容ＩＤと同一のＩＤであり、例えば、図の例では、「Ｐ１」、「Ｐ２」、「Ｐ３」といったＩＤ体系にしたがって一意となるよう賞内容ごとに割り当てられている。賞内容は、賞内容ＩＤごとの賞の具体的な内容を表すものであり、例えば、図の例では、「コーヒーメーカー」、「マグカップ」、「カップトレー」といった賞の内容を表す文字列が、それぞれ、賞内容ＩＤごとに予め定めた賞の内容に対応して格納されている。なお、賞内容テーブルＴ３の主キーは賞内容ＩＤである。そして、賞内容テーブルＴ３の賞内容ＩＤを主キーとし、前記当落情報テーブルＴ１の賞内容ＩＤを外部キーとして、当落情報テーブルＴ１と賞内容テーブルＴ３とが互いに関連付けられている。
【００３９】
［店テーブルＴ４］
店テーブルＴ４は、各レコードのフィールドとして、店ＩＤ、及び、店名を格納する。店ＩＤは、前記パラメータとしての店ＩＤに対応するＩＤであり、（前記提供者として）スリーブ１０の製造者（又は卸業者）からスリーブ１０を購入する店ごとに一意に割り当てられたＩＤであって、例えば、図の例では、「Ｂ００１」、「Ｂ００２」、「Ｂ００３」といったＩＤ体系にしたがって一意となるよう割り当てられている。店名は、店ＩＤごとの店名を表すものである。なお、店テーブルＴ４の主キーは店ＩＤである。
【００４０】
［取引テーブルＴ５］
取引テーブルＴ５は、各レコードのフィールドとして、ロットＩＤ、及び、店ＩＤを格納する。ロットＩＤは、前記当落情報テーブルＴ１のロットＩＤと同一のＩＤである。また、店ＩＤは、前記店テーブルＴ４の店ＩＤと同一のＩＤである。なお、取引テーブルＴ５の主キーはロットＩＤである。そして、前記店テーブルＴ４の店ＩＤを主キーとし、取引テーブルＴ５の店ＩＤを外部キーとして、店テーブルＴ４と取引テーブルＴ５とが互いに関連付けられている。また、取引テーブルＴ５のロットＩＤを主キーとし、前記当落情報テーブルＴ１のロットＩＤを外部キーとして、取引テーブルＴ５と当落情報テーブルＴ１とが互いに関連付けられている。
【００４１】
［広告情報テーブルＴ６］
広告情報テーブルＴ６は、各レコードのフィールドとして、店ＩＤ、広告ＩＤ、広告内容、及び、賞内容ＩＤを格納する。店ＩＤは、前記店テーブルＴ４の店ＩＤと同一のＩＤである。広告ＩＤは、店が所有する広告コンテンツごとに一意に割り当てられたＩＤであって、例えば、図の例では、「Ｃ１」、「Ｃ２」、「Ｃ３」といったＩＤ体系にしたがって一意となるよう割り当てられている。広告内容は、前記広告ＩＤごとに対応付けられた広告コンテンツであり、典型的には、広告コンテンツを表示する（静的又は動的）ウエブページに対するリンク情報等からなる（図では、図示上の便宜上、「コンテンツ１」、「コンテンツ２」、「コンテンツ３」と表示されているが、実際は、リンク情報としてのＵＲＬ等が表示される）。賞内容ＩＤは、前記賞内容テーブルＴ３の賞内容ＩＤと同一のＩＤである。なお、広告情報テーブルＴ４の主キーは広告ＩＤである。また、広告情報テーブルＴ４の主キーは、店ＩＤと広告ＩＤとの複合キーとすることもできる。そして、前記店テーブルＴ４の店ＩＤを主キーとし、広告情報テーブルＴ６の店ＩＤを外部キーとして、店テーブルＴ４と広告情報テーブルＴ６とが互いに関連付けられている。
【００４２】
［広告連結テーブルＴ７］
広告連結テーブルＴ７は、各レコードのフィールドとして、賞内容ＩＤ、及び、広告ＩＤを格納する。賞内容ＩＤは、前記賞内容テーブルＴ３の賞内容ＩＤと同一のＩＤである。また、広告ＩＤは、前記広告情報テーブルＴ６の広告ＩＤと同一のＩＤである。なお、広告連結テーブルＴ７の主キーは賞内容ＩＤである。そして、前記広告情報テーブルＴ６の広告ＩＤを主キーとし、広告連結テーブルＴ７の広告ＩＤを外部キーとして、広告情報テーブルＴ６と広告連結テーブルＴ７とが互いに関連付けられている。
【００４３】
［引換情報テーブルＴ８］
引換情報テーブルＴ８は、各レコードのフィールドとして、くじＩＤ、コード受信日時、くじ引換日時、コードフラグ、及び、引換フラグを格納する。くじＩＤは、前記当落情報テーブルＴ１のくじＩＤと同一のＩＤである。また、コード受信日時には、前記スリーブ１０の被提供者（飲料の飲用者等）によって隠蔽情報部２０の第２の情報部３２のバーコードＢＣが携帯端末装置４０等のコード読取手段により読み取られ、そのバーコードＢＣに対応する第２の情報（前記くじＩＤ等）がコード読取手段から情報管理サーバー５０に送信されてきたときに、その第２の情報の送信日時が自動的に格納される。くじ引換日時は、前記スリーブ１０の提供者（飲料の販売者等）によって（被提供者からのくじの引換要求にしたがって）くじの引換が実行されると共に、提供者側のコンピュータ装置（以下、「提供者ＰＣ」という）によって、その被提供者のスリーブ１０のくじに関するくじの引換の事実を登録するための所定の処理（以下、「引換登録処理」という）が実行されたことを示す情報（以下、「引換登録情報」という）が情報管理サーバー５０に送信されてきたときに、その引換登録処理の実行時の日時（以下、「引換登録日時」という）が自動的に格納される。コードフラグは、例えば、第２の情報がコード読取手段から情報管理サーバー５０に送信されてきたときに、その第２の情報に含まれるくじＩＤについて賞内容の確認処理が実行されたことを示すフラグが「１」に設定して格納される。なお、コードフラグには、第２の情報に含まれるくじＩＤについて賞内容の確認処理が実行されたことを示すフラグが「１」に設定して格納されるまでは、「０」が初期値として格納されている。また、引換フラグは、例えば、引換登録情報が提供者ＰＣから情報管理サーバー５０に送信されてきたときに、その引換登録処理に係るくじＩＤについて引換登録処理が実行されたことを示すフラグが「１」に設定して格納される。なお、引換フラグには、引換登録情報に含まれるくじＩＤについて引換登録処理が実行されたことを示すフラグが「１」に設定して格納されるまでは、「０」が初期値として格納されている。なお、引換情報テーブルＴ８の主キーはくじＩＤである。引換情報テーブルＴ８は、くじＩＤにより当落情報テーブルＴ１と関連付けてもよい。
【００４４】
［情報処理手段による情報処理］
実施の形態１のスリーブ用情報処理システムは、図９に示す情報処理手段としてのコード情報管理手段５２、当落情報管理手段５３、広告情報管理手段５４、及び、情報抽出加工手段５５により、図１０の各テーブルＴ１〜Ｔ８を使用して、下記の所定の情報処理をコンピュータに実行させる機能を実現することができる。
【００４５】
［当落情報管理手段］
詳細には、図１１に示すように、当落情報管理手段５３は、各スリーブ１０に固有に割り当てた（即ち、固有の第２の情報部３２に含まれる）各くじＩＤについて、当落情報テーブルＴ１及び賞種別テーブルＴ２を参照して、そのくじＩＤに対応付けた賞種別ＩＤから賞種別を取得して、（そのくじＩＤがどのランクの賞に該当するのかを示す）賞ランクＩＦ１１として（即ち、前記賞種別情報ＤＩ１として）前記当落情報ＩＦ１に含める。また、当落情報管理手段５３は、そのくじＩＤについて、当落情報テーブルＴ１及び賞内容テーブルＴ３を参照して、そのくじＩＤに対応付けた賞内容ＩＤから賞内容を取得して、（そのくじＩＤがどの内容の賞に該当するのかを示す）賞内容ＩＦ１１１として（即ち、前記賞内容情報ＤＩ２として）前記当落情報ＩＦ１に含める。ここで、実施の形態１のスリーブ用情報処理システムは、一つのくじＩＤに対して、単一の賞内容を対応付けることもできるが、複数の賞内容ＩＦ１１１，Ｆ１１２，１１３，・・・，ｍを対応付けることもできる。即ち、スリーブ用情報処理システムは、一つの賞ランクＩＦ１１に対して所定の複数の賞内容ＩＦ１１１，ＩＦ１１２，ＩＦ１１３，・・・，ｍを対応付けるよう、各くじＩＤ（及び、そのくじＩＤに固有の一つの賞種別ＩＤ）に対して所定の複数の賞内容ＩＤを対応付けて（図１０に示すものと異なるデータ構造として）前記当落情報テーブルＴ１を構成することもできる。
【００４６】
［広告情報管理手段］
広告情報管理手段５４は、各店ＩＤについて、店テーブルＴ４及び広告情報テーブルＴ６を参照して、その店ＩＤに対応付けた店名ＩＦ２１を取得すると共に、その店ＩＤに対応付けた広告ＩＤを取得し、その広告ＩＤから（各店名ＩＦ２１に対応付けられる）広告内容ＩＦ２１１を取得する。ここで、実施の形態１のスリーブ用情報処理システムは、一つの店ＩＤに対して、単一の広告内容を対応付けることもできるが、複数の広告内容２１１，Ｆ２１２，２１３，・・・，ｌを対応付けることもできる。即ち、スリーブ用情報処理システムは、一つの店名ＩＦ２１に対して所定の複数の広告内容ＩＦ２１１，ＩＦ２１２，ＩＦ２１３，・・・，ｌを対応付けるよう、各店ＩＤに対して所定の複数の広告ＩＤを対応付けて（図１０に示すように）前記広告情報テーブルＴ６を構成することもできる。
【００４７】
［当落情報と広告情報との連携］
実施の形態１のスリーブ用情報処理システムは、前記情報抽出加工手段５５により、各賞内容ＩＤについて、広告連結テーブルＴ７及び広告情報テーブルＴ６を参照して、その賞内容ＩＤに対応付けた広告ＩＤから広告内容（コンテンツ）を取得し、更に、当落情報テーブルＴ１及び賞内容テーブルＴ３を参照して、その賞内容ＩＤに対応付けた広告内容を、その賞内容ＩＤが属するくじＩＤに対応付けて取得し、その広告内容をそのくじＩＤに対応付けて、前記広告情報ＤＩ３として前記当落情報ＩＦ１に含める。
【００４８】
ここで、上記のように、スリーブ用情報処理システムが、一つのくじＩＤに対して、複数の賞内容Ｆ１１１，Ｆ１１２，１１３，・・・，ｍを対応付ける場合、一つのスリーブ１０に固有のくじＩＤについて、単一の賞種別Ｆ１１を割り当てると共に、所定の複数の賞内容Ｆ１１１，Ｆ１１２，１１３，・・・，ｍを割り当てておき、それら複数の賞内容Ｆ１１１，Ｆ１１２，１１３，・・・，ｍの中から（例えば、予め定めた選択ロジックにより、又は、ランダム抽出により）選択した特定の賞内容を、前記当落情報ＩＦ１に含めることができる。この場合、当落情報ＩＦ１の賞内容情報を複数の選択肢から選択して被提供者の携帯端末装置４０のディスプレイ４１に表示することができ、特定の賞種別であっても場合に応じて異なる賞内容が被提供者に提示されるようにすることで、くじの嗜好性をより向上することができる。
【００４９】
また、この場合、実施の形態１のスリーブ用情報処理システムは、所定の複数の賞内容Ｆ１１１，Ｆ１１２，Ｆ１１３，・・・，ｍに対して、それぞれ、同一の複数の異なる広告内容ＩＦ２１１，ＩＦ２１２，ＩＦ２１３，・・・，ｌを割り当てておくことで、当落情報ＩＦ１の賞内容情報ＩＤ２を複数の選択肢の賞内容Ｆ１１１，Ｆ１１２，Ｆ１１３，・・・，ｍから選択して被提供者の携帯端末装置４０のディスプレイ４１に表示すると共に、各賞内容情報ＩＤ２に対応して異なる内容の広告情報ＩＤ３をディスプレイ４１に表示することができ、特定の賞種別であっても、場合に応じて異なる広告内容が被提供者に提示されるようにすることで、広告効果をより向上することができる。或いは、実施の形態１のスリーブ用情報処理システムは、一つの賞内容（例えば、賞内容Ｆ１１１）に対して、所定の複数の異なる広告内容ＩＦ２１１，ＩＦ２１２，ＩＦ２１３，・・・，ｌを割り当てておくことで、当落情報ＩＦ１の賞内容情報ＩＤ２を特定の単一の賞内容Ｆ１１１として被提供者の携帯端末装置４０のディスプレイ４１に表示すると共に、特定の単一の賞内容情報ＩＤ２に対応して異なる内容の広告情報ＩＤ３をディスプレイ４１に表示することができ、この場合も、特定の賞種別であっても、場合に応じて異なる広告内容が被提供者に提示されるようにすることで、広告効果をより向上することができる。
【００５０】
［コード情報管理手段］
コード情報管理手段５２は、各くじＩＤについて、当落情報テーブルＴ１及び取引テーブルＴ５を参照して、そのくじＩＤに対応付けたロットＩＤを取得すると共に、そのロットＩＤに対応付けた店ＩＤを取得し、更に、店テーブルＴ４を参照して、その店ＩＤに対応付けた店名を取得する。また、コード情報管理手段５２は、（情報管理サーバー５０に送信されてきた）前記バーコードＢＣに対応するコード情報ＣＩに含まれる（特定のくじＩＤに対応付けられた）当落情報ページＵＲＬを取得し、特定のくじＩＤと対応付けて管理する。なお、スリーブ用情報処理システムは、同一のロットＩＤについては、同一ＵＲＬのウエブページにより情報を提供するよう構成してもよいが、同一のロットＩＤであっても、くじＩＤの範囲ごとに異なＵＲＬのウエブページを用意し、各ＵＲＬのウエブページによって、異なるくじＩＤの範囲ごとに異なるコンテンツのウエブページを提示するよう構成することもできる。
【００５１】
［後付け物品としてのスリーブの性質］
ここで、実施の形態１のスリーブ用情報処理システムは、基本的には、一つのくじＩＤに対して、単一の店ＩＤ及び店名を対応付ける（即ち、あるくじＩＤを割り当てたスリーブ１０は一つの店舗に提供される）ことを想定し、また、通常は、同一ロットのスリーブ１０については単一の店舗に提供することを想定して上記の処理を構成している。しかし、例えば、あるロットＩＤのスリーブ１０の提供先である当初の店舗（以下、「当初提供先」という）が、（例えば、あるキャンペーン用に提供を受けた）そのロットＩＤのスリーブ１０を全く（即ち、１枚も）使用していない場合（例えば、それらのスリーブ１０を使用することなくキャンペーンが終了した場合）、その当初店舗のロットＩＤのスリーブ１０を、非使用のまま、他の新たな店ＩＤの店舗（以下、「新提供先」という）に提供することができる。例えば、図１１の店ＩＤ０１（店名０１）の当初提供先から、新提供先として、店ＩＤ０２（店名０２）、店ＩＤ０３（店名０３）、・・・、店ＩＤｋ（店名ｋ）へと、非使用のスリーブ１０を順次提供していくことができる。
【００５２】
この場合、スリーブ用情報処理システムは、広告連結テーブルＴ７において、そのロットＩＤに属する全てのくじＩＤについて、賞内容ＩＤに対する広告ＩＤの対応付けを、当初提供先の店ＩＤに対応付けた広告ＩＤから、新提供先の店ＩＤに対応付けた広告ＩＤとなるように更新するだけで、新品の場合とまったく同様にしてスリーブ１０を使用することができ、そのスリーブ１０に対して上記と同様の情報処理を実行することができる。なお、この場合、スリーブ用情報処理システムは、取引テーブルＴ５において、そのロットＩＤに対する店ＩＤの対応付けを、当初提供先の店ＩＤから新提供先の店ＩＤに更新することもできるが、更新しない場合でも、スリーブ１０のくじに関しては、同様の情報処理が可能である。また、当初提供先が、あるロットＩＤの一部の範囲のスリーブ１０を非使用の場合も、スリーブ用情報処理システムは、その範囲を（スリーブ１０に一意に割り当てた）くじＩＤにより特定することができるため、広告連結テーブルＴ７において、そのロットＩＤの非使用範囲に属する全てのくじＩＤについて、賞内容ＩＤに対する広告ＩＤの対応付けを、当初提供先の店ＩＤの広告ＩＤから新提供先の店ＩＤの広告ＩＤに更新するだけで、新品の場合とまったく同様にしてスリーブ１０を使用することができ、そのスリーブ１０に対して上記と同様の情報処理を実行することができる。
【００５３】
即ち、本実施の形態を含む本発明のスリーブを利用した情報処理システム（即ち、スリーブ利用くじ引きシステム）では、スリーブ１０は、装着対象の使い捨てコップとは別体として提供され、任意の使い捨てコップに後付けで装着されるという性質を備えており、また、装着対象の使い捨てコップも使い捨てとなる性質を備えているため、スリーブ１０ごとにくじＩＤは事前に付与して、スリーブ１０の量産性を損なわないようにする一方で、製造したスリーブ１０については、（典型的にはロットごとに）特定のキャンペーン用にスリーブ１０の使用を望む特定の提供先に提供し、その特定の提供先が非使用のスリーブ１０については、別の新たな提供先に提供することで、その新たな提供先の別のキャンペーンに使用することができる。この場合でも、その新たな提供先に応じて、スリーブ用情報処理システムにより広告連結テーブルＴ７等のデータを随時更新するだけで、全く同様にして、その新たな提供先の用途に完全にカスタマイズした状態で、使い捨てコップにスリーブ１０を装着してスリーブ１０によるくじ引きシステムを構築し、その新たな提供先が所望する所定のキャンペーンを実現することができる。また、スリーブ１０が後付け物品であることに着目し、スリーブ用情報処理システムは、当落情報テーブルＴ１において、くじＩＤに対する賞種別ＩＤや賞内容ＩＤの対応付けを更新することで、同一のスリーブ１０（即ち、同一のくじＩＤ）に対して、当初の賞種別や賞内容と異なる賞種別や賞内容、及び／又は、当初の広告内容と異なる広告内容を割り当てることもでき、使い捨てコップとの関係で、スリーブ１０によるくじ引きの自由度及び嗜好性を大幅に高めて、キャンペーンの用途に応じた柔軟なくじ引きシステムを構築することができる。
【００５４】
［くじ引換処理］
上記のように構成されたスリーブ用情報処理システムを利用して、スリーブ１０の被提供者（飲料の飲用者等）は、提供者から自己に提供された（飲料容器等としての外周に巻き回された）スリーブ１０の隠蔽情報部２０から、コイン等を利用して隠蔽層２３を剥離する。すると、被提供者は、印刷層２１に印刷された第１の情報部３１及び第２の情報部３２を視認することができる。このとき、被提供者は、自己のスリーブ１０に印刷されたくじ情報について、第１の情報部３１の読解可能情報としての賞種別情報、及び、第２の情報部３２の読解不能情報としての賞内容情報（即ち、読解不能なようにコード化された二次元コード等の情報）を視認することができる。一方、この状態では、被提供者は、賞種別については自己のスリーブ１０がどの賞種別に該当するのかを目視により確認することができるが、具体的な賞内容については目視により確認することができない。よって、被提供者は、必然的に、（賞内容を確認できないと、くじ本来の目的が達成できないため）賞内容を確認したいという欲求にしたがって、隠蔽情報部２０の第２の情報部３２のバーコードＢＣを、読取手段としての携帯端末装置４０のバーコードスキャナー等により読み取ることになる。
【００５５】
即ち、このとき、スリーブ用情報処理システムは、（ステップ１としての）コード情報読取処理により、携帯端末装置４０を使用して、スリーブ１０ごとに割り当てられた第２の情報部３２の賞内容情報を読解不能情報として含むバーコードＢＣを光学的に読み取る処理を実行し、次に、（ステップ２としての）コード送信処理により、携帯端末装置４０を使用して、読み取ったバーコードＢＣに対応するコード情報ＣＩ１を所定の通信プロトコルにしたがって情報管理サーバー５０に送信する。次に、スリーブ用情報処理システムは、（ステップ３としての）情報変換処理により、スリーブ１０ごとに割り当てられた読解不能情報としての第２の情報部３２のコード情報ＣＩ１に基づき、上記したように当落情報管理手段５３等を使用して、当落情報ＩＦ１及び広告情報ＩＦ２を生成し、次に、（ステップ４としての）情報送信処理により、携帯端末装置４０にその当落情報ＩＦ１及び広告情報ＩＦ２を送信する。次に、スリーブ用情報処理システムは、（ステップ５としての）情報表示処理により、携帯端末装置４０のディスプレイ４１に、賞種別情報ＤＩ１、賞内容情報ＤＩ２、及び、広告情報ＤＩ３を、それぞれ、読解可能情報として表示する。
【００５６】
このとき、ディスプレイ４１には、賞種別情報ＤＩ１が、前記第１の情報部３１の第１の情報と同様に読解可能情報として表示されているが、賞内容情報ＤＩ２は、（前記第２の情報部３２の第２の情報が読解不能情報として表示されているのに対し）読解可能情報として表示されている。したがって、被提供者は、ディスプレイ４１の賞種別情報ＤＩ１により（又はスリーブ１０の第１の情報部３１により）賞種別について自己のスリーブ１０がどの賞種別に該当するのかを目視により確認することができることに加え、具体的な賞内容についても、ディスプレイ４１の賞内容情報ＤＩ２を目視して読み取ることにより確認及び理解することができ、これにより、くじ本来の目的を達成することができる。
【００５７】
この状態で、スリーブ１０の被提供者が、自己のスリーブ１０について、賞内容情報ＤＩ２に応じたくじの引換処理を行うには、例えば、スリーブ１０の提供者に対して、自己の携帯端末装置４０のディスプレイ４１に表示されている賞種別情報ＤＩ１及び賞内容情報ＤＩ２を提示し、これに応じて、提供者が、賞内容情報ＤＩ２の賞内容に応じた賞品や景品（又は賞金）をその被提供者に贈呈するよう構成することができる。また、このとき、スリーブ１０の提供者は、そのスリーブ１０についてのくじの引換処理が完了したことを登録すべく、自己（提供者側）のコンピュータ装置（提供者ＰＣ）を使用して、ネットワークを介して、情報管理サーバー５０に対して引換登録情報を送信し、その被提供者のスリーブ１０のくじに関するくじの引換完了の事実を登録するための引換登録処理を実行するよう要求する。すると、情報管理サーバー５０が、前記当落情報管理手段５２等を使用して、該当するくじＩＤについて引換登録処理を実行する。
【００５８】
ここで、情報管理サーバー５０は、例えば、被提供者の携帯端末装置４０からコード情報ＣＩ１が送信されてきたときに、引換情報テーブルＴ８において、（例えば、情報管理サーバー５０の時計機能により）そのコード情報ＣＩ１の受信日時を特定し、その受信日時をコード受信日時としてそのくじＩＤに対応付けて格納すると共に、そのくじＩＤに対応付けたコードフラグを「１」に設定する。これにより、情報管理サーバー５０は、そのくじＩＤに対応するスリーブ１０についてくじ引きが行われたことを判断することができる。また、情報管理サーバー５０は、例えば、提供者ＰＣから引換処理情報が送信されてきたときに、引換情報テーブルＴ８において、（例えば、情報管理サーバー５０の時計機能により）その引換処理情報の受信日時を特定し、その受信日時をくじ引換日時としてそのくじＩＤに対応付けて格納すると共に、そのくじＩＤに対応付けた引換フラグを「１」に設定する。これにより、情報管理サーバー５０は、そのくじＩＤに対応するスリーブ１０についてくじ引換処理が行われたことを判断することができる。これにより、スリーブ用情報処理システムは、上記したように、引換情報テーブルＴ８のコードフラグや引換フラグを参照することにより、非使用のスリーブ１０（即ち、そのスリーブ１０のくじＩＤ）を特定することができる。また、情報管理サーバー５０は、引換情報テーブルＴ８のコード受信日時を参照することで、被提供者が、いつ、スリーブ１０の隠蔽情報部２０のバーコードＢＣを読み取ったかを確認することができると共に、引換情報テーブルＴ８のくじ引換日時を参照することで、非提供者が、いつ、くじの引換を行ったかを確認することができる。
【００５９】
実施の形態２
実施の形態２に係るスリーブ１０では、図１２に示すように、隠蔽情報部１２０の構成が実施の形態１の隠蔽情報部２０と異なっている。詳細には、隠蔽情報部１２０は、第１の情報部としての質問情報部Ｑ１，Ｑ２，Ｑ３と、質問情報部Ｑ１，Ｑ２，Ｑ３に対応する第２の情報部としての回答情報部Ａ１，Ａ２，Ａ３とを備えている。なお、図示の例では、３個の質問情報部Ｑ１，Ｑ２，Ｑ３と、これに対応して、同一数（３個）の回答情報部Ａ１，Ａ２，Ａ３とが隠蔽情報部１２０に設けられているが、２個または４個以上の質問情報部と回答情報部とを隠蔽情報部１２０に設けてもよく、単一の質問情報部と回答情報部とを隠蔽情報部１２０に設けてもよい。質問情報部Ｑ１，Ｑ２，Ｑ３には、それぞれ、所定の質問内容の文字列等（以下、「質問内容」という）が印刷される。また、回答情報部Ａ１，Ａ２，Ａ３には、それぞれ、質問情報部Ｑ１，Ｑ２，Ｑ３の質問内容に対応する所定の複数の異なる回答内容の文字列等（以下、「回答内容」という）が印刷される。また、回答情報部Ａ１，Ａ２，Ａ３は、それぞれ、複数対（図示の例では３対）の回答内容対Ａ１１ａ，Ａ１１ｂ：Ａ１２ａ，Ａ１２ｂ：Ａ１３ａ，Ａ１３ｂ：Ａ２１ａ，Ａ２１ｂ：・・・：Ａ３１ａ，Ａ３１ｂ：・・・を備えている。各回答内容対は、読解可能情報としての回答内容Ａ１１ａ，Ａ１２ａ，Ａ１３ａを回答の選択肢として備えると共に、回答内容Ａ１１ａ，Ａ１２ａ，Ａ１３ａとそれぞれ対となる読解不能情報としてのコード（二次元コード）Ａ１１ｂ，Ａ１２ｂ，Ａ１３ｂを備えている。更に、隠蔽情報部１２０は、実施の形態１の隠蔽情報部２０のように全体が隠蔽層２３により被覆されておらず、コードＡ１１ｂ，Ａ１２ｂ，Ａ１３ｂに対応する部分のみが、それぞれ、（個別にコードＡ１１ｂ，Ａ１２ｂ，Ａ１３ｂを完全に被覆するよう）隠蔽層２３により被覆されている。
【００６０】
実施の形態２では、スリーブ１０の被提供者が、質問情報部Ｑ１，Ｑ２，Ｑ３の質問内容に応じた回答内容の回答内容Ａ１１ａ，Ａ１２ａ，Ａ１３ａを選択し、選択した回答内容Ａ１１ａ，Ａ１２ａ，Ａ１３ａに対応する（即ち、その直下にある）隠蔽層２３を剥離することで、選択した回答内容Ａ１１ａ，Ａ１２ａ，Ａ１３ａに対応するコードＡ１１ｂ，Ａ１２ｂ，Ａ１３ｂが露出する。これにより、被提供者は、そのコードＡ１１ｂ，Ａ１２ｂ，Ａ１３ｂを、実施の形態１と同様にして、コード読取手段により読み取ることで、対応するコード情報を情報管理サーバー５０に送信することができる。なお、このコード情報は、実施の形態の１のコード情報ＣＩ１と同様のデータ構造（例えば、図９に示すようなデータ構造）とすることができ、そのコード情報に対応して、実施の形態１と同様にしてくじ引きに関する情報処理が実行されるよう、スリーブ用情報処理システムを構成することができる。即ち、実施の形態２では、質問内容に対する回答内容に応じて、異なるくじ引きの結果（及び、そのくじ引きの結果に対応する広告内容）が得られるように、スリーブ用情報処理システムを構成することができる。
【００６１】
実施の形態３
実施の形態３に係るスリーブ１０では、図１３に示すように、隠蔽情報部２２０の構成が実施の形態１の隠蔽情報部２０と異なっている。詳細には、隠蔽情報部２２０は、実施の形態２の隠蔽情報部１２０と同様、第１の情報部としての質問情報部Ｑ１，Ｑ２，Ｑ３と、質問情報部Ｑ１，Ｑ２，Ｑ３に対応する第２の情報部としての回答情報部Ａ１，Ａ２，Ａ３とを備えている。質問情報部Ｑ１，Ｑ２，Ｑ３には、それぞれ、所定の質問内容（質問１等）が印刷される。また、回答情報部Ａ１，Ａ２，Ａ３には、それぞれ、質問情報部Ｑ１，Ｑ２，Ｑ３の質問内容に対応する所定の複数の異なる回答内容が印刷される。また、回答情報部Ａ１，Ａ２，Ａ３は、それぞれ、実施の形態２と同様の複数対（図示の例では３対）の回答内容対を備えている。各回答内容対は、読解可能情報としての回答内容を回答の選択肢として備えると共に、回答内容とそれぞれ対となる読解不能情報としてのコードＢＣを備えている。更に、隠蔽情報部２２０は、実施の形態２の隠蔽情報部１２０と同様、回答情報部Ａ１，Ａ２，Ａ３のコードＢＣに対応する部分のみが、それぞれ、隠蔽層２３により被覆されている。
【００６２】
実施の形態３では、スリーブ１０の被提供者が、質問情報部Ｑ１，Ｑ２，Ｑ３の質問内容に応じた回答内容を回答内容部Ａ１，Ａ２，Ａ３から選択し、選択した回答内容に対応する（即ち、その直右にある）隠蔽層２３を剥離することで、選択した回答内容に対応するコードＢＣが露出する。これにより、被提供者は、そのコードＢＣを、実施の形態１と同様にして、コード読取手段により読み取ることで、対応するコード情報を情報管理サーバー５０に送信することができる。なお、このコード情報は、実施の形態の１のコード情報ＣＩ１と同様のデータ構造（例えば、図９に示すようなデータ構造）とすることができ、そのコード情報に対応して、実施の形態１と同様にしてくじ引きに関する情報処理が実行されるよう、スリーブ用情報処理システムを構成することができる。即ち、実施の形態３でも、実施の形態２と同様、質問内容に対する回答内容に応じて、異なるくじ引きの結果（及び、そのくじ引きの結果に対応する広告内容）が得られるように、スリーブ用情報処理システムを構成することができる。また、実施の形態３では（及び、実施の形態３においても）、図１３（ｂ）に示すように、３つの回答内容部Ａ１，Ａ２，Ａ３のそれぞれのコードＢＣの選択結果に応じて、異なるくじ引きの結果（及び、そのくじ引きの結果に対応する広告内容）が得られるように、スリーブ用情報処理システムを構成することができる。
【００６３】
実施の形態４
実施の形態４に係るスリーブ１０では、図１４に示すように、隠蔽情報部３２０の構成が実施の形態１の隠蔽情報部２０と異なっている。詳細には、隠蔽情報部３２０は、３行３列のマトリックスとなるようスリーブ１０に配設された選択隠蔽部３２１〜３２９を備えている。選択隠蔽部３２１〜３２９は、それぞれ、読解不能情報としてのコードＢＣを備えると共に、それぞれのコードＢＣを隠蔽層２３により被覆している。実施の形態４に係るスリーブ１０では、例えば、３行３列のマトリックス状の選択隠蔽部３２１〜３２９の任意の３つの被覆層２３を剥離してコードＢＣを露出し、それら３つのコードＢＣをコード読取手段により順次読み取ることで、３つのコードＢＣの選択結果に応じて、異なるくじ引きの結果（及び、そのくじ引きの結果に対応する広告内容）が得られるように、スリーブ用情報処理システムを構成することができる。
【００６４】
実施の形態５
実施の形態５に係るスリーブ１０では、図１５及び図１６に示すように、スリーブ１００の構成、及び、隠蔽情報部４２０の構成が、実施の形態１のスリーブ１０及び隠蔽情報部２０と異なっている。詳細には、スリーブ１００は、実施の形態１のスリーブ１０と同様、使い捨てコップ１の外周面の表面に巻き回した状態で装着自在なシート構造を有し、図１６（ｂ）に示すように、展開状態では、所定の幅寸法（図１６中の上下方向寸法）で所定の長さ寸法（図１６中の左右方向寸法）だけ延びる帯状のシート状をなすと共に、そその幅寸法は、実施の形態１のスリーブ１０と同様、装着対象の使い捨てコップ１の高さ寸法よりも小さい寸法とされている。一方、実施の形態５のスリーブ１００は、その長さ寸法が、装着対象の使い捨てコップ１のうち、最大寸法の使い捨てコップ１の外周面の全周長よりも所定長さだけ（即ち、接合部分の長さだけ）長い寸法とされているが、更に、複数種類の寸法（図示の例では、大中小の３種類の寸法）の使い捨てコップ１に装着できるよう、使い捨てコップ１への装着状態でその長さ寸法を調節自在なように構成されている。なお、スリーブ１００は、大小２種類の寸法の使い捨てコップ１に装着できるよう、使い捨てコップ１への装着状態でその長さ寸法を調節自在なように構成することもできる。
【００６５】
［スリーブの寸法調整手段］
具体的には、スリーブ１００の巻回部１４４の長さ方向一端縁には、所定形状（例えば、平行四辺形状）の突片状の係止部１１５が、スリーブ１００の幅方向上端側から下端付近まで延びるよう一体形成され、巻回部１４４の長さ方向他端部には、前記係止部１１５を挿入して係止自在な所定形状（例えば、平行四辺形状）の突片状の係合部１１６が、スリーブ１００の幅方向に延びるよう形成されている。係合部１１６は、スリーブ１００の長さ方向に一定間隔をおいて形成された第１の係合部１１６Ａ、第２の係合部１１６Ｂ、及び、第３の係合部１１６Ｃからなる。第１の係合部１１６Ａ、第２の係合部１１６Ｂ、及び、第３の係合部１１６Ｃは、それぞれ、前記係止部１１５と（スリーブ１００の幅方向中心線に対して）線対称となる突片状をなしている。更に、第１の係合部１１６Ａ、第２の係合部１１６Ｂ、及び、第３の係合部１１６Ｃの相互の寸法の差異は、装着対象の使い捨てコップ１の寸法の差異に合わせて設定されている。即ち、スリーブ１００の長さ方向で最も内側となる第１の係合部１１６Ａについては、前記係止部１１５の内側縁（図１６中の右側縁）と第１の係合部１１６Ａの内側縁（図１６中の左側縁）との間の間隔が、装着対象の使い捨てコップ１のうちの最小寸法の使い捨てコップ１の外周長と同一になるよう、スリーブ１００の長さ方向における位置及び寸法が設定されている。また、スリーブ１００の長さ方向で中間となる第２の係合部１１６Ｂについては、前記係止部１１５の内側縁と第２の係合部１１６Ｂの内側縁（図１６中の左側縁）との間の間隔が、装着対象の使い捨てコップ１のうちの中間寸法の使い捨てコップ１の外周長と同一になるよう、スリーブ１００の長さ方向における位置及び寸法が設定されている。また、スリーブ１００の長さ方向で最も外側となる第３の係合部１１６Ｃについては、前記係止部１１５の内側縁と第３の係合部１１６Ｃの内側縁（図１６中の左側縁）との間の間隔が、装着対象の使い捨てコップ１のうちの最大寸法の使い捨てコップ１の外周長と同一になるよう、スリーブ１００の長さ方向における位置及び寸法が設定されている。
【００６６】
そして、スリーブ１００は、巻回部１４４を使い捨てコップ１の外周面の表面に巻き回し、その使い捨てコップ１の寸法（即ち、外周長）に合わせて、第１の係合部１１６Ａ、第２の係合部１１６Ｂ、及び、第３の係合部１１６Ｃのうちのいずれかの内側縁に係止部１１５の内側縁を挿入して係止することにより、使い捨てコップ１の外周面の表面の所定位置に後付けで装着して取り付けることができる。即ち、前記係止部１１５及び係合部１１６は、スリーブ１００の寸法調整手段を構成すると共に、係止部１１５は寸法調整手段の固定部を構成し、係合部１１６の第１の係合部１１６Ａ、第２の係合部１１６Ｂ、及び、第３の係合部１１６Ｃは、それぞれ、寸法調整手段の可変部を構成している。そして、実施の形態５のスリーブ１００は、寸法調整手段を介して（即ち、固定部としての係止部１１５を、可変部としての第１の係合部１１６Ａ、第２の係合部１１６Ｂ、及び、第３の係合部１１６Ｃのいずれかと係合することで）、複数種類の寸法の使い捨てコップに対して後付け可能（及び、別体で着脱自在）な構造を有している。
【００６７】
なお、スリーブ１００は、実施の形態１と同様の所定の層構造を有する所定素材の原料シートから形成されると共に、巻回部１０４の外側層の表面（即ち、スリーブ１００の外表面）は、平滑面とされ、その表面に所定の印刷技術により所望の印刷を施せるようになっている。即ち、実施の形態５では、実施の形態１と同様、スリーブ１００の巻回部１０４における外側層は、外側表面を平滑面とした印刷基材層を構成しており、印刷基材層としての外側層の表面に、実施の形態１と同様の印刷技術を使用して所望の態様の印刷部を形成自在である。そして、巻回部の外側層の表面には、長さ方向の所定部位（図示の例の場合は長さ方向中央部）に、印刷部としての隠蔽情報部４２０が印刷により一体的に形成されている。
【００６８】
［隠蔽情報部］
隠蔽情報部４２０は、第１の隠蔽情報部４２０Ａ、第２の隠蔽情報部４２０Ｂ、及び、第３の隠蔽情報部４２０Ｃを備えている。第１の隠蔽情報部４２０Ａ、第２の隠蔽情報部４２０Ｂ、及び、第３の隠蔽情報部４２０Ｃは、それぞれ、実施の形態１の隠蔽情報部２０と同様の三層構造を有している。また、第１の隠蔽情報部４２０Ａ、第２の隠蔽情報部４２０Ｂ、及び、第３の隠蔽情報部４２０Ｃは、それぞれ、スリーブ１００の幅方向に直線的に延びる細長い長方形状又は帯状をなし、互いに隣接又は密接して平行に配設されている。更に、第１の隠蔽情報部４２０Ａ、第２の隠蔽情報部４２０Ｂ、及び、第３の隠蔽情報部４２０Ｃは、それぞれ、実施の形態１の隠蔽情報部２０と同様、読解可能情報としての賞種別情報を印刷した第１の情報部４２１Ａ，４２１Ｂ，４２１Ｃと、賞内容情報を所定のコード（二次元コード）へとコード化してなる読解不能情報としての第２の情報部４２２Ａ，４２２Ｂ，４２２Ｃとを有している。また、スリーブ１００において、第１の隠蔽情報部４２０Ａ、第２の隠蔽情報部４２０Ｂ、及び、第３の隠蔽情報部４２０Ｃの直上の位置には、それぞれ、「小」、「中」、「大」等の寸法の程度を表す文字又は記号等からなる寸法表示部４２３が印刷等により設けられている。
【００６９】
一方、第１の情報隠蔽部４２０Ａ、第２の情報隠蔽部４２０Ｂ、及び、第３の情報隠蔽部４２０Ｃの（スリーブ１００の長さ方向における）相互の位置関係は、装着対象の使い捨てコップ１の寸法の差異に合わせて設定されている。即ち、スリーブ１００の長さ方向で（寸法調整手段の固定部となる）係止部１１５に最も近接する第１の情報隠蔽部４２０Ａについては、前記係止部１１５の内側縁を第１の係合部１１６Ａの内側縁に係止して、スリーブ１００を装着対象の使い捨てコップ１のうちの最小寸法の使い捨てコップ１に装着したときに、第１の情報隠蔽部４２０Ａが、使い捨てコップ１上のスリーブ１００の周方向中央位置にくるよう（即ち、係止部１１５の内側縁と第１の係合部１１６Ａの内側縁との間の中間位置にくるよう）、スリーブ１００の長さ方向における配設位置が設定されている。また、スリーブ１００の長さ方向で係止部１１５に２番目に近接する第２の情報隠蔽部４２０Ｂについては、前記係止部１１５の内側縁を第２の係合部１１６Ｂの内側縁に係止して、スリーブ１００を装着対象の使い捨てコップ１のうちの中間寸法の使い捨てコップ１に装着したときに、第２の情報隠蔽部４２０Ｂが、使い捨てコップ１上のスリーブ１００の周方向中央位置にくるよう（即ち、係止部１１５の内側縁と第２の係合部１１６Ｂの内側縁との間の中間位置にくるよう）、スリーブ１００の長さ方向における配設位置が設定されている。また、スリーブ１００の長さ方向で係止部１１５から最も離間する第３の情報隠蔽部４２０Ｃについては、前記係止部１１５の内側縁を第３の係合部１１６Ｃの内側縁に係止して、スリーブ１００を装着対象の使い捨てコップ１のうちの最大寸法の使い捨てコップ１に装着したときに、第３の情報隠蔽部４２０Ｃが、使い捨てコップ１上のスリーブ１００の周方向中央位置にくるよう（即ち、係止部１１５の内側縁と第３の係合部１１６Ｃの内側縁との間の中間位置にくるよう）、スリーブ１００の長さ方向における配設位置が設定されている。
【００７０】
そして、スリーブ１００は、巻回部１４４を使い捨てコップ１の外周面の表面に巻き回し、その使い捨てコップ１の寸法に合わせて、第１の係合部１１６Ａ、第２の係合部１１６Ｂ、及び、第３の係合部１１６Ｃのうちのいずれかの内側縁に係止部１１５の内側縁を挿入して係止することにより、使い捨てコップ１の外周面の表面の所定位置に後付けで装着して取り付けたときに、装着対象の使い捨てコップ１の寸法に応じて、第１の情報隠蔽部４２０Ａ、第２の情報隠蔽部４２０Ｂ、及び、第３の情報隠蔽部４２０Ｃのうちのいずれかが、使い捨てコップ１上のスリーブ１００の周方向中央位置にくる（即ち、そのときに互いに係止状態にある係止部１１５と第１〜第３の係合部１１６Ａ〜１１６Ｃとの間の中間位置にくる）ようになっている。例えば、最小寸法の使い捨てコップ１にスリーブ１００を（係止部１１５と第１の係合部１１６Ａにより）装着すると、第１の情報隠蔽部４２０Ａがスリーブ１００の周方向中央位置に配置されると共に、その直上の寸法表示部の「小」がスリーブ１００の周方向中央位置に配置される。また、例えば、中間寸法の使い捨てコップ１にスリーブ１００を（係止部１１５と第２の係合部１１６Ｂにより）装着すると、第２の情報隠蔽部４２０Ｂがスリーブ１００の周方向中央位置に配置されると共に、その直上の寸法表示部４２３の「中」がスリーブ１００の周方向中央位置に配置される。また、例えば、最大寸法の使い捨てコップ１にスリーブ１００を（係止部１１５と第３の係合部１１６Ｃにより）装着すると、第３の情報隠蔽部４２０Ｃがスリーブ１００の周方向中央位置に配置されると共に、その直上の寸法表示部の「大」がスリーブ１００の周方向中央位置に配置される。
【００７１】
即ち、実施の形態５では、隠蔽情報部４２０は、スリーブ１００の装着対象の使い捨てコップ１の寸法に応じて３種類の隠蔽情報部（第１の情報隠蔽部４２０Ａ、第２の情報隠蔽部４２０Ｂ、及び、第３の情報隠蔽部４２０Ｃ）を設けると共に、（スリーブ１００を装着した使い捨てコップ１による飲料等の）提供者が、被提供者に対して、提供された飲料等のサイズ（即ち、使い捨てコップ１の寸法）に合わせて、第１〜第３の情報隠蔽部４２０Ａ〜４２０Ｃのいずれかの隠蔽層を剥離して、その第２の情報部４２２Ａ〜４２２Ｃによりくじ引きを行うよう促すことで、くじ引きに伴う上記の情報処理において、例えば、第２の情報部４２２Ａ〜４２２Ｃのコードに、スリーブ１００が装着された使い捨てコップ１の寸法を表す情報（例えば、「小」、「中」、「大」のような寸法を表す情報）を含ませることで）その被提供者に提供された飲料等のサイズを自動的に認識し、その後の販売管理等に活用することができる。この際、提供された飲料等のサイズ（即ち、使い捨てコップ１の寸法）に合わせて、第１〜第３の情報隠蔽部４２０Ａ〜４２０Ｃのいずれかが使い捨てコップ１の周方向中央位置に自動的に配置されると共に、その直上に、「小」、「中」又は「大」の寸法表示部４２３が表示されているため、被提供者は、自己が提供された飲料等のサイズに合わせて第１〜第３の情報隠蔽部４２０Ａ〜４２０Ｃのいずれかの剥離層を剥離し、その第２の情報部４２２Ａ〜４２２Ｃによるくじ引きを実行することができる。
【００７２】
［別例］
ところで、本発明において、上記賞種別情報と賞内容情報とは、当落情報ＩＦ１を構成する。ここで、前記くじ情報の賞種別情報としては、上記のように賞や景品のランクや種別を表す情報以外に、くじが「当選」したか「落選」したかの区別を表す情報（以下、「当落情報」という）を使用することもできるが、消費者が必ずバーコードＢＣを読取り手段により読み取ってスリーブ用情報処理システムにアクセスするインセンティブを与えるためには、くじの結果が必ず「当選」であり、何らかの景品や特典がもらえること保証することが好ましいため、景品や特典のランク情報とすることが好ましい。また、本発明では、上記のとおり、賞内容情報を読解不能情報として設けることで、賞内容情報の具体的な内容を知るために、スリーブの被提供者（飲料の消費者等）が必ずバーコードＢＣを読取り手段により読み取ってスリーブ用情報処理システムにアクセスするインセンティブを与えている。そして、これにより、スリーブ用情報処理システムにより、スリーブの被提供者のスマートフォン等のディスプレイに、賞内容情報と共に広告情報を表示することで、スリーブの被提供者が、必ず、（賞内容情報の近傍位置にある）広告情報を閲覧するようにして、広告閲覧効果を大幅に向上することができる。
【００７３】
［スリーブの別例］
また、本発明のスリーブは、巻回部の厚さ方向一側の表面が全体的に又は部分的に平滑面を有し、その平滑面に前記隠蔽情報部を印刷により形成可能な構成とする限りにおいて、任意の構成とすることができる。即ち、スリーブは、隠蔽情報部を印刷するための印刷基材層を、少なくとも隠蔽情報部の外形を内包する形状で、かつ、隠蔽部の面積以上の面積で備える構成であれば、任意の構成とすることができる。例えば、スリーブは、巻回部の外側層において隠蔽情報部に対応する部分にのみ印刷基材層を設け、それ以外の部分は印刷基材層以外の構成（例えば、印刷可能な平滑面ではなく、印刷不能又は印刷困難な凹凸面や波形状面の構成）としてもよい。また、スリーブは、少なくとも隠蔽情報部を設ける部分に印刷基材層を備える限りにおいて、上記の二層構造とする以外にも、三層以上の層構造としたり、一層構造としたりしてもよい。スリーブの素材も、前記印刷基材層を形成できる限りにおいて、紙素材以外にも任意の素材から形成することができる。
【００７４】
［隠蔽情報部の情報の範囲］
更に、隠蔽情報部の情報部の情報としては、典型的には、使い捨てコップを事業の用等で提供する提供者（例えば、飲食店舗やコンビニエンスストア等）の営業上の企画（以下、「営業企画」という）に関連する情報であって、かつ、親子関係のような木構造等の階層構造を有する情報を印刷することができる。営業企画に関連する情報（以下、「営業企画関連情報」という）としては、例えば、（１）使用者が、使い捨てコップを利用する自らの商品（例えば、コーヒーや紅茶等の飲料等）に関連付けてキャンペーンやイベントやアンケート等、販促や顧客属性情報取得等を目的とした営業企画を行う場合に、その営業企画での集客の増大やアンケート用の母集団の獲得等を目的として、隠蔽情報部２０の情報部の情報として、くじに関する情報（以下、「くじ情報」という）を印刷することができる。
【産業上の利用可能性】
【００７５】
本発明の使い捨てコップ用スリーブは、飲料を提供する店舗等における販促キャンペーン用に使い捨てコップに装着して提供されるスリーブとして利用することができる。
【符号の説明】
【００７６】
１：使い捨てコップ、２：キャップ
１０：使い捨てコップ用スリーブ、１４：巻回部
２０：隠蔽情報部
３１：第１の情報部、３２：第２の情報部、３３：第３の情報部
【図１】
2017043408.tif 000003
【図２】
2017043408.tif 000004
【図３】
2017043408.tif 000005
【図４】
2017043408.tif 000006
【図５】
2017043408.tif 000007
【図６】
2017043408.tif 000008
【図７】
2017043408.tif 000009
【図８】
2017043408.tif 000010
【図９】
2017043408.tif 000011
【図１０】
2017043408.tif 000012
【図１１】
2017043408.tif 000013
【図１２】
2017043408.tif 000014
【図１３】
2017043408.tif 000015
【図１４】
2017043408.tif 000016
【図１５】
2017043408.tif 000017
【図１６】
2017043408.tif 000018
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
使い捨てコップの外周面に装着自在とされると共に、少なくとも表面側に印刷基材を有する巻回部と、
前記巻回部の印刷基材に隠蔽印刷により設けられた隠蔽情報部とを備え、
前記隠蔽情報部は、
前記隠蔽情報部の第１の部分に印刷により設けられた第１の情報部と、
前記隠蔽情報部において前記第１の部分と隣接する第２の部分に印刷により設けられた第２の情報部と、
前記第１の情報部及び前記第２の情報部を隠蔽すると共に、外力により剥離されて前記第１の情報部及び前記第２の情報部を露出する隠蔽層とを備え、
前記第１の情報部及び前記第２の情報部は、たがいに協働して、くじに関する複合的な情報であって、かつ、互いに内容的な関連性を有する複数の異なる種類の情報からなる複合くじ情報を表すものであり、
前記第１の情報部は、前記複合くじ情報の一つを構成する情報であって、くじの賞の種別を表す賞種別情報を第１の情報として有し、
前記第２の情報部は、前記複合くじ情報の他の一つを構成する情報であって、くじの賞の具体的内容を説明する賞内容情報を第２の情報として有し、
前記第１の情報は、使い捨てコップの被提供者が目視により読解可能な読解可能情報として前記隠蔽情報部に設けられ、
前記第２の情報は、使い捨てコップの被提供者が目視によっては読解不能となるように、所定のコード体系で符号化したコードからなる読解不能情報として前記隠蔽情報部に設けられ、
前記第２の情報は、前記コードからなる読解不能情報としてのコード情報として、所定の端末装置によってそのコード情報が読み取られたときにそのコード情報の送信先となる所定のコンピュータ装置のアドレスを表す送信先アドレス用のＩＤと、少なくとも前記賞内容情報を識別するための賞内容情報識別用のＩＤとを格納していることを特徴とする使い捨てコップ用スリーブ。
【請求項２】
請求項１に記載の使い捨てコップ用スリーブを使用したコップ用スリーブの情報処理システムであって、
前記端末装置としての携帯端末装置と、情報管理サーバーとを備え、
前記携帯端末装置は、前記コード情報を読み取ることで、前記送信先アドレス用のＩＤに基づき、前記情報処理サーバーに前記コード情報を送信自在であり、
前記情報管理サーバーは、前記複合くじ情報に対応するくじ情報としての当落情報と、広告情報とを格納及び管理し、
前記情報管理サーバーは、前記コード情報を受信すると、そのコード情報の前記賞内容情報識別用のＩＤに基づき、そのコード情報における前記読解不能情報としての賞内容情報を識別し、前記当落情報から、その読解不能情報としての賞内容情報に対応する情報であって、読解可能情報からなる賞内容情報を抽出すると共に、前記広告情報から、その賞内容情報に対応付けた広告情報を抽出し、その抽出した読解可能情報からなる賞内容情報と、その賞内容情報に対応付けた広告情報とを、前記携帯端末装置に送信し、
前記携帯端末装置は、前記情報管理サーバーから送信された前記読解可能情報からなる賞内容情報と、その賞内容情報に対応付けた広告情報とを、ディスプレイに表示することを特徴とする使い捨てコップ用スリーブの情報処理システム。
【請求項３】
前記賞内容情報識別用のＩＤは、前記スリーブの隠蔽情報部に割り当てられたくじＩＤであり、
前記情報管理サーバーは、一つのくじＩＤに対して複数の賞内容を対応付け、かつ、一つのくじＩＤについて単一の賞種別を割り当てると共に所定の複数の賞内容を割り当て、それら複数の賞内容の中から選択した特定の賞内容を、前記当落情報に含めることを特徴とする請求項２記載の使い捨てコップ用スリーブの情報処理システム。
【請求項４】
前記情報管理サーバーは、所定の複数の賞内容に対して、それぞれ、異なる広告内容を割り当て、前記当落情報の賞内容情報を、前記複数の賞内容から選択して前記携帯端末装置に送信して、前記携帯端末装置のディスプレイに表示させると共に、前記賞内容情報の各々に対応して前記異なる広告内容の広告情報を前記携帯端末装置に送信して、前記携帯端末装置のディスプレイに表示させることを特徴とする請求項２記載の使い捨てコップ用スリーブの情報処理システム。
【請求項５】
前記情報管理サーバーは、一つの賞内容に対して、所定の複数の異なる広告内容を割り当て、前記当落情報の賞内容情報を、前記一つの賞内容として前記携帯端末装置に送信して、前記携帯端末装置のディスプレイに表示させると共に、前記一つの賞内容情報に対応して異なる広告内容の広告情報をディスプレイに表示させることを特徴とする請求項２記載の使い捨てコップ用スリーブの情報処理システム。
【手続補正２】
【補正対象書類名】明細書
【補正対象項目名】全文
【補正方法】変更
【補正の内容】
【発明の詳細な説明】
【技術分野】
【０００１】
本発明は、使い捨てコップの外側面に巻き回した状態で保持され、使い捨てコップに対して断熱機能等の諸機能を付与する使い捨てコップ用スリーブに関する。
【背景技術】
【０００２】
従来、コーヒー、紅茶、ジュース等の飲料を提供する飲料容器として、紙コップやプラスチックコップ等の使い捨てコップが使用されている。また、使い捨てコップのうち、特に紙コップの外周面の表面には、意匠性や広告等の目的で、所定の模様やロゴ等からなる印刷層が設けられることがある。このような紙コップに類した紙製容器の外周面の表面に印刷を施す発明として特許文献１に記載の発明がある。
【０００３】
特許文献１には、紙製容器及び該容器の外周面にスリーブ状に設けられた断熱保温性シートからなる断熱保温性容器が開示されている。前記断熱保温性シートは、紙基材と該基材の一方の面に貼着された、発泡倍率が３倍以上であり厚さが１ｍｍ以上の水溶性高分子樹脂発泡層からなる。該シートの前記水溶性高分子樹脂発泡層と前記紙製容器の外周面の少なくとも１部は密着している。（以上、特許文献１の要約参照。）
【０００４】
この断熱保温性容器は、紙製容器でありながら発泡ポリスチレン樹脂から成る容器に匹敵する充分な断熱特性を有すると共に、容器の表面には意匠性や美麗性を目的とした印刷を施すことが出来る上、容器の成型加工適性にも優れている、とされている（段落０００８）。
【先行技術文献】
【特許文献】
【０００５】
【特許文献１】特開２０００−２７１０１１号公報
【発明の概要】
【発明が解決しようとする課題】
【０００６】
しかし、特許文献１に記載の断熱保温性容器は、あくまで、外周面の表面に意匠性等を付与する目的で印刷を施すことを開示しているだけであり、これにより、意匠性や外観品質の向上といった一定の効果は期待できるが、それ以上の効果を期待することは難しい。ここで、本発明者は、使い捨てコップの技術分野とは全く異なる技術分野であるが、印刷技術分野において、スクラッチ印刷なる印刷技術が使用されていることに着目した。このスクラッチ印刷は、典型的には、スクラッチくじで使用されるものであり、紙製のシート状をなす印刷用の基材（以下、「印刷基材」という）の表面の所定部位（以下、「隠蔽部位」という）に、くじの当落情報（例えば、「当たり」又は「外れ」等の文字等）や当落種類（例えば、「１等」、「２等」、「残念賞」等の文字）等を所定の印刷技術（典型的にはオフセット印刷）により通常インキを使用して印刷すると共に、その隠蔽部位の全体を銀色等の特殊インキで覆うように所定の印刷技術（典型的にはスクリーン印刷）で印刷して、その隠蔽部位を前記特殊インキによる隠蔽層で隠蔽するものである。なお、隠蔽部位には、文字以外に、所定の絵柄や記号が印刷されることもある。また、前記当落情報や当落種類の隠蔽部位における通常印刷インキによる通常印刷層と前記特殊インキによる隠蔽層との間には、通常、透明なニスからなる剥離層が所定の印刷技術（典型的にはオフセット印刷）により印刷され、その剥離層を介して、隠蔽層が通常印刷層の上に剥離自在に配設されている。そして、そのスクラッチくじを購入又は（キャンペーン等により）入手した使用者が、スクラッチくじの隠蔽層をコインや爪などにより擦り取ることにより、隠蔽部位が露出して外部から視認可能となり、使用者が、その隠蔽部位の当落情報や当落種類を確認できるようになっている。なお、隠蔽部位の当落情報や当落種類の印刷に使用する通常インキによる印刷色（通常はグレー）と、特殊インキによる隠蔽層の印刷色（通常は銀色）とは同色又は近似色とされ、隠蔽層による通常印刷部位の隠蔽効果を確保するようになっている。また、シート状の基材に裏面は、裏面側から前記隠蔽部位の文字等を透かして見ることができないよう、墨ベタで印刷されている。
【０００７】
そして、本発明者は、上記のような使い捨てコップの外周面の表面の所定部位に、上記のようなスクラッチ印刷を使用してスクラッチくじ等の特有の情報部（以下、「隠蔽情報部」という）を設ければ、使い捨てコップの嗜好性や娯楽効果を増大し、ひいては、特に使い捨てコップにより飲料を提供する事業者に対して大きな広告効果を得るような使用態様を提案できるのではないかと考え、本発明の着想を得た。一方、使い捨てコップは、その保管時及び搬送時には、保管スペースを節約するために、上下方向に（即ち、使い捨てコップの軸心方向に）嵌合状態で積み重ねて保管及び搬送されるが、このとき、下側の使い捨てコップの内周面と上側の使い捨てコップの外周面とが接触することになる。したがって、使い捨てコップの外周面の表面にスクラッチ印刷を施すと、特に搬送時に、上下に積み重ねた使い捨てコップの外周面と内周面とが互いにこすれ合い、摩擦によって上側の使い捨てコップの外周面の表面のスクラッチ印刷層である隠蔽層が（部分的にであっても）剥離又は擦り取られる可能性がある。この場合、使い捨てコップは内容物として飲料を収容するものであり、食品衛生法（特に、「第三章  器具及び容器包装」）により、「営業上使用する器具及び容器包装は、清潔で衛生的でなければならない。」（第十五条）、及び、「有毒な、若しくは有害な物質が含まれ、若しくは付着して人の健康を損なうおそれがある器具若しくは容器包装又は食品若しくは添加物に接触してこれらに有害な影響を与えることにより人の健康を損なうおそれがある器具若しくは容器包装は、これを販売し、販売の用に供するために製造し、若しくは輸入し、又は営業上使用してはならない。」（第十六条）とされており、上記のように、微量であってもスクラッチ印刷の隠蔽層の特殊インキが剥離して、その特殊インキの剥離片が使い捨てコップの（飲料に直接接触する）内周面の表面に付着したり残留したりするといった事態は、確実に防止する必要がある。
【０００８】
そこで、本発明者は、使い捨てコップ自体ではなく、使い捨てコップに付随して使用される物品について鋭意研究を重ねた結果、使い捨てコップの外周面に嵌合状態で装着される紙製スリーブ（「コーヒースリーブ」、「カップスリーブ」とも呼ばれる）に着目した。なお、この紙製スリーブは、使い捨てコップの内容物としての飲料がホットコーヒー等の温飲料の場合に、使い捨てコップを把持する飲用者の手指に温飲料の温熱が直接加わらないよう、使い捨てコップの外周に巻き回して、或いは、嵌合して装着されるものである。この紙製スリーブにより、使い捨てコップの内部の温飲料の熱が飲用者の手指に伝達することを抑制又は遮断することができる。或いは、紙製スリーブは、使い捨てコップの内容物としての飲料がアイスコーヒー等の冷飲料の場合も、使い捨てコップを把持する飲用者の手指に冷飲料の冷熱が直接加わらないよう、或いは、使い捨てコップの外周面に結露により発生した水滴が飲用者の手指に付着しないよう、使い捨てコップの外周面に装着される。このように、紙製スリーブは、必要時に後付けで使い捨て紙コップに装着されてその機能を発揮するため、使い捨てコップ自体ではなく、紙製スリーブにスクラッチ印刷によるスクラッチくじを設けて、その紙製スリーブを後付けで使い捨て紙コップの外周面に装着すれば、使い捨て紙コップ自体にスクラッチ印刷によるスクラッチくじを設けた場合と同様に、スクラッチくじによる特有の効果を発揮することができるということに、本発明者は想到した。同時に、この場合、使い捨てコップの内部に（紙製スリーブに設けた）スクラッチ印刷の特殊インキの剥離片が付着したり残留したりするといった事態を生じることはないことにも、本発明者は着目した。そして、本発明者は、このような紙製スリーブにスクラッチ印刷をする技術について鋭意研究開発を重ね、本発明に係る使い捨てコップ用スリーブに想到した。更に、本発明者は、従来のスクラッチ印刷による各種の技術的思想を使い捨てコップ及び使い捨てコップ用スリーブとの関係で鋭意検討することにより、使い捨てコップ及び／又は使い捨てコップ用スリーブに特有の特性又は属性との関係で独創的な効果を発揮すると共に、それらの関係に基づく相乗効果を発揮することができる使い捨てコップ用スリーブの発明にも想到した。
【０００９】
更に、スクラッチ印刷と同様、銀インキ等の特殊インキによる隠蔽性を利用して、印刷基材にくじ等の情報を隠蔽状態で設ける印刷技術として、セロハンテープオフ印刷なる印刷技術がある。このセロハンテープオフ印刷技術は、印刷基材の隠蔽部位に、スクラッチくじと同様、くじの当落情報や当落種類又はクイズの解答等の文字や絵柄や記号等を通常インキにより所定の印刷技術（典型的にはオフセット印刷）を使用して印刷することで通常印刷層を形成し、その通常印刷層の上に、スクラッチ印刷と同様に透明なニスからなる剥離層を所定の印刷技術（典型的にはグラビア印刷）により印刷し、その剥離層の上に銀インキ等の特殊インキからなる隠蔽層を所定の印刷技術（典型的にはグラビア印刷）によって剥離自在に配設するものである。本発明者は、このセロハンテープオフ印刷によってくじ等を使い捨てコップ用スリーブに設けることによっても、スクラッチ印刷によってくじ等を使い捨てコップ用スリーブに設けた場合と同様の特有の効果が得られることにも着目した。そして、本発明者は、これらスクラッチ印刷やセロハンテープオフ印刷のように、印刷基材に印刷した所定の通常印刷部を隠蔽層により隠蔽すると共に必要時にその隠蔽層を剥離することができる印刷技術（以下、説明の便宜上、「隠蔽印刷」という）を利用して、本願に係る使い捨てコップ用スリーブの発明を完成した。
【００１０】
そこで、本発明は、使い捨て紙コップ自体に隠蔽印刷によるスクラッチくじ等の特有の隠蔽情報部を設けた場合と同様に、スクラッチくじ等の隠蔽情報部による特有の効果を発揮することができると共に、使い捨てコップの内部にスクラッチ印刷等の隠蔽層を形成する特殊インキの剥離片が付着したり残留したりするといった事態を生じることがない使い捨てコップ用スリーブの提供を課題とする。
【００１１】
また、本発明は、使い捨てコップ及び／又は使い捨てコップ用スリーブに特有の特性又は属性との関係で隠蔽情報部による独創的な効果を発揮すると共に、隠蔽情報部による効果とそれら使い捨てコップ及び／又は使い捨てコップ用スリーブによる効果との相乗効果を発揮することができる使い捨てコップ用スリーブの提供を課題とする。
【課題を解決するための手段】
【００１２】
本発明の一つの観点に係る使い捨てコップ用スリーブは、使い捨てコップの外周面に装着自在とされると共に、少なくとも表面側に印刷基材を有する巻回部と、前記巻回部の印刷基材に隠蔽印刷により設けられた隠蔽情報部とを備えている。前記隠蔽情報部は、前記隠蔽情報部の第１の部分に印刷により設けられた第１の情報部と、前記隠蔽情報部において前記第１の部分と隣接する第２の部分に印刷により設けられた第２の情報部と、前記第１の情報部及び前記第２の情報部を隠蔽すると共に、外力により剥離されて前記第１の情報部及び前記第２の情報部を露出する隠蔽層とを備えている。前記第１の情報部及び前記第２の情報部は、たがいに協働して、くじに関する複合的な情報であって、かつ、互いに内容的な関連性を有する複数の異なる種類の情報からなる複合くじ情報を表すものである。前記第１の情報部は、前記複合くじ情報の一つを構成する情報であって、くじの賞の種別を表す賞種別情報を第１の情報として有している。前記第２の情報部は、前記複合くじ情報の他の一つを構成する情報であって、くじの賞の具体的内容を説明する賞内容情報を第２の情報として有している。前記第１の情報は、使い捨てコップの被提供者が目視により読解可能な読解可能情報として前記隠蔽情報部に設けられる。前記第２の情報は、使い捨てコップの被提供者が目視によっては読解不能となるように、所定のコード体系で符号化したコードからなる読解不能情報として前記隠蔽情報部に設けられる。前記第２の情報は、前記コードからなる読解不能情報としてのコード情報に、所定の端末装置によってそのコード情報が読み取られたときにそのコード情報の送信先となる所定のコンピュータ装置のアドレスを表す送信先アドレス用のＩＤと、少なくとも前記賞内容情報を識別するための賞内容情報識別用のＩＤとを格納している。
【００１３】
本発明の他の観点に係る使い捨てコップ用スリーブの情報処理システムは、上記使い捨てコップ用スリーブを使用したコップ用スリーブの情報処理システムであって、前記端末装置としての携帯端末装置と、情報管理サーバーとを備える。前記携帯端末装置は、前記コード情報を読み取ることで、前記送信先アドレス用のＩＤに基づき、前記情報処理サーバーに前記コード情報を送信自在である。前記情報管理サーバーは、前記複合くじ情報に対応するくじ情報としての当落情報と、広告情報とを格納及び管理する。前記情報管理サーバーは、前記コード情報を受信すると、そのコード情報の前記賞内容情報識別用のＩＤに基づき、そのコード情報における前記読解不能情報としての賞内容情報を識別し、前記当落情報から、その読解不能情報としての賞内容情報に対応する情報であって、読解可能情報からなる賞内容情報を抽出すると共に、前記広告情報から、その賞内容情報に対応付けた広告情報を抽出し、その抽出した読解可能情報からなる賞内容情報と、その賞内容情報に対応付けた広告情報とを、前記携帯端末装置に送信する。前記携帯端末装置は、前記情報管理サーバーから送信された前記読解可能情報からなる賞内容情報と、その賞内容情報に対応付けた広告情報とを、ディスプレイに表示する。
【００１４】
本発明の他の観点に係る使い捨てコップ用スリーブの情報処理システムは、請求項２の構成において、前記賞内容情報識別用のＩＤが、前記スリーブの隠蔽情報部に割り当てられたくじＩＤであり、前記情報管理サーバーは、一つのくじＩＤに対して複数の賞内容を対応付け、かつ、一つのくじＩＤについて単一の賞種別を割り当てると共に所定の複数の賞内容を割り当て、それら複数の賞内容の中から選択した特定の賞内容を、前記当落情報に含める。
【００１５】
本発明の他の観点に係る使い捨てコップ用スリーブの情報処理システムは、請求項２の構成において、前記情報管理サーバーが、所定の複数の賞内容に対して、それぞれ、異なる広告内容を割り当て、前記当落情報の賞内容情報を、前記複数の賞内容から選択して前記携帯端末装置に送信して、前記携帯端末装置のディスプレイに表示させると共に、前記賞内容情報の各々に対応して前記異なる広告内容の広告情報を前記携帯端末装置に送信して、前記携帯端末装置のディスプレイに表示させる。
【００１６】
本発明の他の観点に係る使い捨てコップ用スリーブの情報処理システムは、請求項２の構成において、前記情報管理サーバーが、一つの賞内容に対して、所定の複数の異なる広告内容を割り当て、前記当落情報の賞内容情報を、前記一つの賞内容として前記携帯端末装置に送信して、前記携帯端末装置のディスプレイに表示させると共に、前記一つの賞内容情報に対応して異なる広告内容の広告情報をディスプレイに表示させる。
【発明の効果】
【００１７】
本発明の一つの観点に係る使い捨てコップ用スリーブは、使い捨て紙コップ自体に隠蔽印刷によるスクラッチくじ等の特有の隠蔽情報部を設けた場合と同様に、スクラッチくじ等の隠蔽情報部による特有の効果を発揮することができると共に、使い捨てコップの内部にスクラッチ印刷等の隠蔽層を形成する特殊インキの剥離片が付着したり残留したりするといった事態を生じることがない。
【００１８】
本発明の他の観点に係る使い捨てコップ用スリーブの情報処理システムは、使い捨てコップ及び／又は使い捨てコップ用スリーブに特有の特性又は属性との関係で隠蔽情報部による独創的な効果を発揮すると共に、隠蔽情報部による効果とそれら使い捨てコップ及び／又は使い捨てコップ用スリーブによる効果との相乗効果を発揮することができる。
【図面の簡単な説明】
【００１９】
【図１】図１は本発明の実施の形態１に係る使い捨てコップ用スリーブを使い捨てコップに装着した状態を示す斜視図である。
【図２】図２は本発明の実施の形態１に係る使い捨てコップ用スリーブを使い捨てコップに装着した状態を示す正面図である。
【図３】図３は本発明の実施の形態１に係る使い捨てコップ用スリーブの隠蔽部の情報部の構成を説明するための正面図であり、上側に装着状態の使い捨てスリーブを示し、下側に使い捨てスリーブの隠蔽情報部の構成を説明的に示す。
【図４】図４は本発明の実施の形態１に係る使い捨てコップ用スリーブの使い捨てコップを示し、（ａ）は使い捨てコップ用スリーブを使い捨てコップに装着した状態を示す正面図であり、（ｂ）は使い捨てコップ用スリーブの（使い捨てコップへの非装着時の）展開状態を示す正面図である。
【図５】図５は本発明の実施の形態１に係る使い捨てコップ用スリーブを使い捨てコップに装着した状態を示す平面図であり、一点鎖線で示す円形内に使い捨てコップ用スリーブの層構造及び隠蔽情報部の層構造を拡大して示す。
【図６】図６は本発明の実施の形態１に係る使い捨てコップ用スリーブを使い捨てコップに装着した状態を示す縦断面図であり、一点鎖線で示す円形内に使い捨てコップ用スリーブの層構造及び隠蔽情報部の層構造を拡大して示す。
【図７】図７は本発明の実施の形態１に係る使い捨てコップ用スリーブの製造方法の好適例を概略的に説明するための説明図である。
【図８】図８は本発明の実施の形態１に係る使い捨てコップ用スリーブの隠蔽情報部の第１の情報及び第２の情報を使用したスリーブ用情報処理システムの一例を機能ブロック等を使用して説明するための説明図である。
【図９】図９は本発明の実施の形態１に係る使い捨てコップ用スリーブの隠蔽情報部の第２の情報部のデータ構造の一例を説明するための説明図である。
【図１０】図１０は本発明の実施の形態１に係る使い捨てコップ用スリーブの隠蔽情報部の第１の情報及び第２の情報を使用したスリーブ用情報処理システムのデータベースのデータ構造（テーブル構成）を示す説明図である。
【図１１】図１１は本発明の実施の形態１に係る使い捨てコップ用スリーブの隠蔽情報部の第１の情報及び第２の情報を使用したスリーブ用情報処理システムの機能実現手段（コード情報管理手段、当落情報管理手段、公告情報管理手段）の構成を概略的に説明するための説明図である。
【図１２】図１２は本発明の実施の形態２に係る使い捨てコップ用スリーブを示し、（ａ）は使い捨てコップ用スリーブを使い捨てコップに装着した状態を示す正面図であり、（ｂ）は使い捨てコップ用スリーブの（使い捨てコップへの非装着時の）展開状態を示す正面図であり、（ｃ）は使い捨てコップ用スリーブの隠蔽部の情報部の構成を説明するための正面図である。
【図１３】図１３は本発明の実施の形態３に係る使い捨てコップ用スリーブを示し、（ａ）は使い捨てコップ用スリーブの展開状態を示す拡大正面図であり、（ｂ）は使い捨てコップ用スリーブの隠蔽部の情報部の構成を説明するための拡大正面図である。
【図１４】図１４は本発明の実施の形態４に係る使い捨てコップ用スリーブを示し、（ａ）は使い捨てコップ用スリーブを使い捨てコップに装着した状態を示す正面図であり、（ｂ）は使い捨てコップ用スリーブの展開状態を示す正面図である。
【図１５】図１５は本発明の実施の形態５に係る使い捨てコップ用スリーブの巻き回し状態（使用時の状態）を示す斜視図である。
【図１６】図１６は本発明の実施の形態５に係る使い捨てコップ用スリーブを示し、（ａ）は使い捨てコップ用スリーブを使い捨てコップに装着した状態を示す正面図であり、（ｂ）は使い捨てコップ用スリーブの（使い捨てコップへの非装着時の）展開状態を示す正面図である。
【発明を実施するための形態】
【００２０】
以下、本発明を実施するための形態（以下、実施の形態という）を説明する。なお、各実施の形態を通じ、同一の部材、要素または部分には同一の符号を付して、その説明を省略する。
【００２１】
実施の形態１
実施の形態１に係る使い捨てコップ用スリーブ（以下、単に「スリーブ」という）１０は、図１、図２及び図４（ａ）に示すように、使い捨てコップ１の外周面の表面に巻き回した状態で装着自在なシート構造を有している。詳細には、図４（ｂ）に示すように、スリーブ１０は、展開状態では、所定の幅寸法（図４中の上下方向寸法）で所定の長さ寸法（図４中の左右方向寸法）だけ延びる帯状のシート状をなす。スリーブ１０の幅寸法は、装着対象の使い捨てコップ１の高さ寸法（図１の上下方向寸法）よりも小さい寸法とされ、スリーブ１０の長さ寸法は、装着対象の使い捨てコップ１の外周面の全周長よりも所定長さだけ（即ち、接合部分の長さだけ）長い寸法とされている。スリーブ１０の巻回部１４の長さ方向一端縁には、所定形状（例えば、ひし形状）の突片状の係止部１５が、スリーブ１０の長さ方向に突出するよう一体形成され、巻回部１４の長さ方向他端部には、前記係止部１５を挿入して係止自在なスリット状の係合部１６が、スリーブ１０の幅方向に延びるよう形成されている。そして、スリーブ１０は、巻回部１４を所定寸法の使い捨てコップ１の外周面の表面に巻き回し、係止部１５を係合部１６に挿入して係止することにより、使い捨てコップ１の外周面の表面の所定位置に後付けで装着して取り付けることができる。即ち、スリーブ１０は、使い捨てコップに対して後付け可能（及び、別体で着脱自在）な構造を有している。
【００２２】
［スリーブ］
図５及び図６に示すように、スリーブ１０は、例えば、所定の層構造（例えば、段ボール原紙と同様の層構造）を有する所定素材（典型的には紙素材）の原料シートから形成されている。スリーブ１０は、実施の形態１では、波形シート状の内側層１１と、平坦シート状の外側層１２とを重ねて接合した二層構造とされている。外側層１２の表面（即ち、スリーブ１０の外表面）は、平滑面とされ、その表面に所定の印刷技術により所望の印刷を施せるようになっている。即ち、実施の形態１では、スリーブ１０の巻回部１４における外側層１２は、外側表面を平滑面とした印刷基材層を構成しており、印刷基材層としての外側層１２の表面に、所定の印刷技術（例えば、スクリーン印刷、オフセット印刷、スクラッチ印刷用の特殊印刷等）を使用して所望の態様の（文字、記号、図形、模様等からなる）印刷部を形成自在である。そして、巻回部１４の外側層１２の表面には、長さ方向の所定部位（図示の例の場合は長さ方向中央部）に、印刷部としての隠蔽情報部２０が印刷により一体的に形成されている。
【００２３】
［隠蔽情報部］
隠蔽情報部２０は、内側層としての印刷層２１と、中間層としての剥離層２２と、外側層としての隠蔽層２３を厚さ方向に順次積層してなる三層構造を有している。印刷層２１は、従来のスクラッチ印刷やセロハンテープオフ印刷の通常印刷層に相当する。また、剥離層２２は、従来のスクラッチ印刷やセロハンテープオフ印刷の剥離層に相当する。更に、隠蔽部２３は、従来のスクラッチ印刷やセロハンテープオフ印刷の隠蔽層に相当する。なお、図５及び図６では、説明の便宜上、印刷層２１、剥離層２２及び隠蔽層２３は、視認可能な程度の厚みを持つよう描画しているが、実際は、各層とも視認困難な程度の厚みの層として形成される。
【００２４】
［隠蔽情報部の情報］
図３に示すように、実施の形態１では、隠蔽情報部２０は、印刷層２１に所定の情報部を印刷してなるものであり、前記所定の情報部として、第１の情報部３１及び第２の情報部３２を有している。実施の形態１では、隠蔽情報部２０の前記所定の情報部の情報は、くじに関する情報（以下、「くじ情報」という）から構成されている。また、実施の形態１では、隠蔽情報部２０は、くじ情報として、単一の情報ではなく、くじに関する複合的な情報であって、かつ、互いに内容的な関連性を有する複数の異なる種類の情報（以下、「複合くじ情報」という）を印刷層２１に設けている。詳細には、第１の情報部３１は、前記くじ情報のうち、前記複合くじ情報の一つを構成する情報であって、くじの景品や賞の階級やランク又は種類や種別を表す情報（以下、「賞種別情報」という）を印刷層２１に印刷してなる。なお、このような賞種別情報としては、例えば、「Ａ賞」、「Ｂ賞」、「Ｃ賞」、「Ｄ賞」のように賞や景品のランクを上位から下位へと文字により表したものや、「１等」、「２等」、「３等」、「４等」のように賞や景品のランクを上位から下位へと数字により表したものや、「無料券」、「割引券」、「特典引換券」のように賞や景品の種類を文言で表したものがあり、また、これらの文字や数字や文言からなる賞種別情報を直感的に把握できるように記号や図形や絵柄で表現したものもある。図３の例では、第１の情報部３１は、くじ情報として、「Ａ賞」、「Ｂ賞」、「Ｃ賞」、「Ｄ賞」のように賞や景品のランクを上位から下位へと文字により表した場合における「Ａ賞」という賞種別情報を有している。
【００２５】
第２の情報部３２は、くじ情報のうち、前記複合くじ情報の他の一つを構成する情報であって、くじの賞や景品の具体的内容を説明する情報（以下、「賞内容情報」という）を印刷層２１に印刷してなる。なお、このような賞内容情報としては、例えば、「１０００円」、「５００円」のように賞が賞金の場合の金額を表すものや、「マグカップ」、「トレー」のように賞が景品の場合の景品の具体的内容（景品名等）を表すものや、「ドリンク無料券」、「ランチ割引券」、「大盛り無料券」のように賞が「無料券」や「割引券」や「特典引換券」の場合のそれらの券の具体的内容を表すものがある。一方、実施の形態１では、第２の情報部３２は、上記の賞内容情報を、そのまま（文字や数字や文言で）印刷層２１に印刷するのではなく、賞内容情報を含む所定の情報を直接的視認によっては理解不能又は読解不能な態様で（即ち、文字や数字や文言のように直接的にそれらを読解することでは内容を理解することができないような態様で）コード化してなる所定のコードを印刷層２１に印刷している。このようなコードとしては、バーコードのような一次元コード、及び、二次元コードがあるが、より多くの情報量を確保できる点からは、二次元コードを使用することが好ましい。
【００２６】
［コード読取手段］
一方、第２の情報部３２の第２の情報のコードは、コード読取手段としてのバーコードスキャナーにより読み取り自在な構成である。具体的には、コード読取手段は、スマートフォンやタブレット等の携帯端末装置に実装したバーコードスキャナアプリケーションにより実現することができる。この場合、図示はしないが、携帯端末装置は、一般的なコンピュータ装置と同様、ハードウエア資源として、中央処理装置（ＣＰＵ）、記憶装置（ＲＯＭ、ＲＡＭ、内部ストレージ）、入出力装置（Ｉ／Ｏ）等を備える構成となる。また、携帯端末装置は、スマートフォンやタブレット等の携帯型通信端末装置であって、電話網を介して間接的に、又は、電話網を介さずに無線ＬＡＮ設備等を利用して直接的にインターネットに接続することができる通信端末装置とすることができる。或いは、携帯端末装置は、少なくともコード読取手段とネットワーク通信手段とを備えた携帯型の情報端末装置であればよく、例えば、バーコードや二次元コードを読み取るために専用に製作されたハンディスキャナ等の専用の携帯型情報端末装置により構成することもできる。
【００２７】
［使用形態］
実施の形態１のスリーブ１０の使用形態について簡単に説明すると、基本的には、顧客等の使用者に飲料物等の内容物を提供する提供者（例えば、飲食店舗やコンビニエンスストア等）が、使い捨てコップ１に飲料等の内容物を収容して被提供者（例えば、飲食店舗やコンビニエンスストアの顧客）に提供する際に、内容物が高温等の場合、上記のとおり、使い捨てコップ１にスリーブ１０を装着して提供するが、この際、提供者は、被提供者に対して、スリーブ１０の隠蔽情報部２０によりくじ引きをすることができる旨をまず告知する。例えば、提供者は、チラシのような店舗外告知手段や掲示板のような店舗内告知手段により、スリーブ１０の隠蔽情報部２０によりくじ引きができる旨を被提供者に告知する。そして、被提供者は、くじ引きに参加する場合、スリーブ１０の隠蔽情報部２０の隠蔽層２３を剥離する。例えば、被提供者が、自己のスリーブ１０の隠蔽情報部２０の隠蔽層２３を、隠蔽層２３がスクラッチ印刷の場合はコイン等で、セロハンテープオフ印刷の場合はセロハンテープで剥離すると、隠蔽情報部２０の印刷層２１が、そのくじ情報を透明な剥離層２２を介して外部に露出し、外部から視認可能な状態となる。即ち、これにより、第１の情報部３１が、被提供者に対し、その者の有するスリーブ１０の賞種別情報を視覚により直接的に読み取って確認又は理解可能な情報（以下、「読解可能情報」という）として提示する。よって、被提供者は、自己のくじ引き結果としての賞の種別をその場で（即ち、即時的に）かつ視覚により直接的に確認することができる。例えば、図３の例では、第１の情報部３１が、第１の情報として「Ａ賞」という文字を印刷しており、第１の情報部３１は、被提供者に対し、その者の賞が「Ａ賞」であることを即時的かつ直接的に確認可能な状態とする。
【００２８】
一方、このとき、第２の情報部３２の第２の情報は、所定のコード（図３の場合は二次元コード）により所定の符号化方式で符号化されているので、第２の情報部３２の第２の情報は、被提供者には即時的又は直接的には確認不能な情報となっており、被提供者にとって視覚によっては直接的に読み取って確認又は理解不能な情報（以下、「読解不能情報」という）となっている。したがって、被提供者が、スリーブ１０側では読解不能情報として設けられている第２の情報を、自己が視覚により直接的に読取って確認又は理解可能な情報（即ち、読解可能情報）として取得するには、被提供者は、必ず、前記コード読取手段により第２の情報部３２のコードをスキャンして読み取る必要がある。具体的には、被提供者が、スリーブ１０の第２の情報部３２のコード（即ち、読解不能情報）を、例えば携帯端末装置のコード読取手段によりスキャンすると、第２の情報部のコードの（符号化された）第２の情報が復号化され、その復号化された第２の情報が、文字又は文言等、被提供者が直接的に読解可能な態様で（即ち、読解可能情報として）、被提供者の携帯端末装置の表示手段としてのディスプレイに表示される。これにより、被提供者は、第２の情報部３２の第２の情報による賞内容情報を直接的に視認によって理解可能な態様で取得することができる。なお、この第２の情報の読取処理及び賞内容情報の表示処理等、実施の形態１のスリーブ１０の隠蔽情報部２０の情報を利用した各種処理を実行するためのスリーブ用情報処理システムについては、後段で詳述する。
【００２９】
［第３の情報部］
ここで、実施の形態１では、隠蔽情報部２０は、更に、前記所定の情報部として、第１の情報部３１及び第２の情報部３２に加えて、第３の情報部３３を有している。第３の情報部３３は、第２の情報部３２の情報が賞内容情報をコード化したコード情報であり、第２の情報部を視認しても、その賞内容情報の内容を直接的に確認することができず、その内容を確認するためには、上記のとおり、第２の情報部３２のコードのスキャン動作が必要であることから、被提供者にコードのスキャン動作を促すための第３の情報を追加的に印刷したものである。なお、第３の情報部３３の第３の情報は、被提供者にコードのスキャン動作を促す文言から構成され、例えば、図３に示すように、「賞の内容はコードをスキャン！！」のような文言からなる。なお、第３の情報部３３は、上記のように、被提供者にコードのスキャン動作を促す目的で設けられるため、被提供者が提供者による告知情報等により、隠蔽情報部２０のくじの賞内容情報を取得するためには、第２の情報部３２のコードのスキャンが必要であることを容易又は確実に認識できる場合、省略してもよい。
【００３０】
［製造方法］
次に、実施の形態１のスリーブ１０の製造方法の好適例について図７にしたがって説明する。スリーブ１０を製造するには、まず、図７（ａ）に示すように、原紙裁断工程で、所定幅寸法の原紙ロールＲＢを一定方向に連続給紙すると共にその給紙方向に一定間隔で裁断し、図７（ｂ）に示すように、前記所定幅寸法及び一定長さ寸法（例えば、幅４０ｃｍで長さ８０ｃｍ）を有する平坦シート状の原紙シートＳＢを製作する。このとき、各１枚の原紙シートＳＢは、図７（ｂ）に一点鎖線で示すように、スリーブ１０の外形輪郭に対応する囲繞形状の切断予定線ＣＬが、所定の複数本（図７の例では８本）、原紙シートＳＢの長さ方向に沿って並設して配置されている。なお、原紙シートＳＢにおいて各切断予定線ＣＬにより囲まれる囲繞部分を、説明の便宜上、印刷前スリーブ１０Ａと称する。次に、図７（ｂ）に示すように、係合部形成工程で、各原紙シートＳＡの各印刷前スリーブ１０Ａの所定位置には、前記スリット状の係合部１６が切込み加工により形成される。次に、図７（ｃ）に示すように、情報部印刷工程で、各原紙シートＳＡの描く印刷前スリーブ１０Ａの所定位置には、前記隠蔽情報部２０が印刷により形成される。これにより、原紙シートＳＡの印刷前スリーブ１０Ａにそれぞれ隠蔽情報部２０を印刷してなる印刷済原紙シートＰＢが得られる。なお、印刷済原紙シートＰＢにおいて各切断予定線ＣＬにより囲まれる囲繞部分を、説明の便宜上、印刷済スリーブ１０Ｂと称する。次に、切断工程で、前記印刷済み原紙シートＰＢから、各印刷済スリーブ１０Ｂを前記切断予定線ＣＬに沿って打ち抜き加工等によって切断する。これにより、図７（ｄ）に示すように、実施の形態１のスリーブ１０を得ることができる。
【００３１】
このように、平坦シート状の原紙シートＳＢの印刷前スリーブ１０Ａに隠蔽情報部２０を印刷することにより、ロール状の原紙ロールＲＢにおいてスリーブ１０に対応する部分の所定位置に直接隠蔽情報部２０を印刷する場合と比較して、隠蔽情報部２０の印刷を確実に行うことができ、印刷ミスを防止することができる。即ち、本発明者は、従来の使い捨てコップ用のスリーブにスクラッチ印刷等からなる隠蔽情報部２０を設けるという独自の技術思想に想到する一方で、そのスリーブ１０に隠蔽情報部２０を（特にスクラッチ印刷やセロハンテープオフ印刷のような特殊印刷技術による印刷ミスを防止して）確実に形成する技術思想についても同時に鋭意検討した結果、上記のような独自の製造方法の発明に想到したものである。換言すれば、本発明者の知見によれば、ロール状の原紙ロールＲＢにおいてスリーブ１０に対応する部分の所定位置に直接隠蔽情報部２０を印刷した場合、隠蔽情報部２０の印刷時に原紙ロールＲＢの印刷面が湾曲しているため、特殊印刷技術による隠蔽情報部２０の印刷が良好に行われず、印刷漏れ部分等の印刷ミスが発生する可能性がある一方で、上記のように、原紙ロールＲＢを平坦シート状の原紙シートＳＢとした後に、印刷前スリーブ１０Ａに隠蔽情報部２０を印刷することで、このような印刷ミスを確実に防止することができる。なお、前記係合部形成工程は、前記情報部形成工程の後に行ってもよく、或いは、前記切断工程と同時に行ってもよい。
【００３２】
［スリーブ用情報処理システム］
次に、実施の形態１のスリーブ１０の隠蔽情報部２０を使用したスリーブ用情報処理システムの一例について、図８〜図１０にしたがって説明する。スリーブ用情報処理システムは、実施の形態１のスリーブ１０の隠蔽情報部２０の特に第２の情報を利用して、第２の情報の読取処理、読み取った第２の情報に対応する賞内容情報の取得処理、取得した賞内容情報の表示処理等、被提供者の端末側コンピュータ装置（典型的には、被提供者が所有するスマートフォン等の携帯端末装置）で第２の情報のコード（即ち、読解不能情報）を読み取ってから、その第２の情報に対応する賞内容情報を含む所定の情報を読解可能情報へと変換して、最終的に被提供者の端末側コンピュータ装置のディスプレイ（典型的には、被提供者が所有するスマートフォン等の携帯端末装置のディスプレイ）に表示するまでの各種処理を実行するシステム構成を備えている。このスリーブ用情報処理システムは、一般的なクライアントサーバーシステムや、クラウドコンピューティングシステムにより構成することができ、クライアント装置やサーバー装置等、コンピュータ装置のハードウエア資源（ＣＰＵ、ＲＯＭ、ＲＡＭ、ＨＤＤ、ネットワークデバイス，Ｉ／Ｏ等）及び、ソフトウエア資源（０Ｓ、ミドルウエア、ＤＢＭＳ、ＡＰＩ、各種アプリケーション等）、並びに、携帯電話網やインターネット等のネットワーク資源を協働させることで、上記の所定の各種処理を実行するものである。スリーブ用情報処理システムは、スリーブ１０の隠蔽情報部２０の第２の情報のコードを読み取ると共に、そのコードを前記所定のコード体系にしたがって復号化し、前記第２の情報を使い捨てコップの被提供者が目視により読解可能な読解可能情報へと変換するコード読取手段と、前記コード読取手段によって読解可能情報へと変換された第２の情報を、前記第１の情報と共に前記コード読取手段の表示手段に表示するコード変換表示手段とを備えている。
【００３３】
［携帯端末装置（送信時の構成）］
詳細には、図８に示すように、スリーブ用情報処理システムは、クライアント側の構成として、前記コード読取手段としての携帯端末装置４０を備えている。また、スリーブ用情報処理システムは、サーバー側の構成として、情報管理サーバー５０を備えている。携帯端末装置４０は、典型的には、被提供者が有する上記構成のスマートフォンやタブレット等からなり、実装したバーコードスキャナーによりスリーブ１０の第２の情報部３２のバーコード（図８の場合は二次元コード）ＢＣを読取自在であり、かつ、読み取ったコードＢＣに対応するコード情報ＣＩ１を、携帯電話網やインターネット等のネットワークを介して、所定の送信先としての前記情報管理サーバー５０に送信自在である。より詳細には、携帯端末装置４０は、インターネット上において前記情報管理サーバー５０に一意に割り当てられた所定のアドレスに、前記コード情報ＣＩ１を送信自在である。このとき、携帯端末装置４０は、バーコードスキャナーによって読み取ったバーコードＢＣを復号化して第２の情報に対応するコード情報ＣＩ１へと変換した上で、そのコード情報ＣＩ１を情報管理サーバー５０に送信する。（なお、前記所定のアドレスは、正確には、当該管理サーバー５０が前記コード情報ＣＩ１の受信用に設けた特定のアドレスであって、典型的には、ＨＴＴＰによるリクエストを受信すると共にそのリクエストに対するレスポンスを送信する特定のＵＲＬのことをいう。以下、この特定のＵＲＬを「送信先ＵＲＬ」という。）また、このとき、携帯端末装置４０は、前記コード情報ＣＩ１を、所定の通信プロトコルにしたがって（典型的にはＨＴＴＰによるリクエストとして）情報管理サーバー５０に送信する。
【００３４】
［情報管理サーバー］
一方、情報管理サーバー５０は、くじ情報格納部５１に所定のくじ情報を格納及び管理すると共に、くじ情報に基づく所定の情報処理を実行して実行結果の情報を格納及び管理するサーバー装置であって、クラウドサーバー等を好適に使用することができる。詳細には、サーバー装置５０は、コンピュータ装置のハードウエア資源（ＣＰＵ，ＲＯＭ，ＲＡＭ等）及びソフトウエア資源（０Ｓ，ＡＰＩ等）を利用して所定の機能を実現する手段として、情報格納部５１と、コード情報管理手段５２と、当落情報管理手段５３と、広告情報管理手段５４と、情報抽出加工手段５５とを備えている。より詳細には、情報格納部５１は、ＲＤＢ（リレーショナルデータベース）等の一般的なデータベースサーバー装置により構成することができ、ハードウエア震源としてのＨＤＤ等の記憶装置とソフトウエア資源としてのＤＢＭＳ（データベース管理システム）とを備えている。また、コード情報管理手段５２、当落情報管理手段５３、広告情報管理手段５４、及び、情報抽出加工手段５５は、それぞれ、ウエブサーバー（及び、必要な場合は、これに加えてアプリケーションサーバー）のハードウエア資源及びソフトウエア資源により、自らの所定の機能を実現するようになっている。そして、情報管理サーバー５０は、前記送信先ＵＲＬに前記コード情報ＣＩ１を（典型的には、前記ＨＴＴＰによるリクエストとして）受信すると、情報抽出加工手段５５を使用して、そのコード情報ＣＩ１に対応する当落情報ＩＦ１及び広告情報ＩＦ２を前記情報格納部５１から抽出（及び必要に応じて加工）して、インターネットや携帯電話網等のネットワークを介して、所定の送信先としての前記携帯端末装置４０に送信する。このとき、情報管理サーバー５０は、前記コード情報ＣＩ１の送信に使用された所定の通信プロトコルにしたがって（典型的にはＨＴＴＰによるリクエストに対するレスポンスとして）、前記当落情報ＩＦ１及び広告情報ＩＦ２を携帯端末装置４０に送信する。
【００３５】
［携帯端末装置（受信時の構成）］
すると、携帯端末装置４０は、当落情報ＩＦ１に対応する情報として、第１の情報としての賞種別情報ＤＩ１及び第２の情報としての賞内容情報ＤＩ２をディスプレイ４１に表示すると共に、この賞内容情報ＤＩ２と同時に（即ち、この賞内容情報ＤＩ２と関連付けて）、前記広告情報ＩＦ２に対応する情報として、広告情報ＤＩ３をディスプレイ４１に表示する。即ち、情報管理サーバー５０は、携帯端末装置４０に対して（前記レスポンスとして）、前記賞種別情報ＤＩ１、賞内容情報ＤＩ２及び広告情報ＤＩ３からなるウエブページを送信する。このとき、このウエブページは、（典型的には、レスポンシブＷｅｂデザインによりモバイル端末としての携帯端末装置４０のディスプレイ４１での表示に最適化した）所定の表示態様となるよう調整されて、前記携帯端末装置４０に送信される。なお、前記賞種別情報ＤＩ１は、前記第１の情報としての賞種別情報に対応する情報であり、図８では、第１の情報に対応して「Ａ賞」なる賞種別情報ＤＩ１（この場合、同一の文字からなる情報）として表示されている。また、前記賞内容情報ＤＩ２は、前記第２の情報としての賞内容情報に対応する情報であるが、第２の情報としての賞内容情報が前記読解不能情報であるのに対し、賞内容情報ＤＩ２は、読解可能情報として表示される。即ち、図８では、賞内容情報ＤＩ２は、一例として、第２の情報に対応する「コーヒーメーカー」（この場合は賞品名）という賞内容情報（この場合、視認して直接的に読解可能な文字情報）として表示されている。なお、前記広告情報ＤＩ３は、文字や画像等からなる任意の広告用コンテンツからなる。
【００３６】
［コード情報］
上記のとおり、前記スリーブ１０の隠蔽情報部２０の第２の情報部３２に印刷されたバーコードＢＣは、第２の情報を読解不能情報としてコード化したものであるが、このバーコードＢＣに対応するコード情報ＣＩ１は、例えば、図９に示すデータ構造のコード情報とすることができる。即ち、図９の場合、バーコードＢＣに対応するコード情報ＣＩ１は、当落情報ページＵＲＬ、及び、くじＩＤを必須のデータ（即ち、１レコード中のフィールド）として含むよう構成することができる。当落情報ページＵＲＬは、前記情報管理サーバー５０の送信先ＵＲＬに相当するものであり、コード情報ＣＩ１の送信先としての前記情報管理サーバー５０の特定のウエブページのアドレス（ドメイン名又はＩＰアドレス等）を示す情報である。典型的には、当落情報ページＵＲＬは、インターネットでの前記情報管理サーバー５０のアドレス情報としてのＵＲＬを含み、典型的には、「ｈｔｔｐ：／／ｈｏｓｔ．ｎｅｔ／ｐａｇｅ」のように、「スキーム名＋ホスト名＋パス」からなる文字列情報からなる。また、くじＩＤは、前記スリーブ１０の隠蔽情報部２０の各々に一意に割り当てられたＩＤであり、多数用意されるスリーブ１０の隠蔽情報部２０は、それぞれ、互いに重複しない一意のくじＩＤを有している。また、前記コード情報ＣＩ１の送信時に、前記くじＩＤは、前記特定の通信プロトコル（典型的には、ＨＴＴＰ）に応じた所定のパラメータ（図９の場合はパラメータ１）として、前記当落情報ページＵＲＬと共に情報管理サーバー５０に送信される。即ち、携帯端末装置４０は、典型的には、ＨＴＴＰのｇｅｔメソッドまたはｐｏｓｔメソッドを使用して、「名前＋値」の対からなる情報として、くじＩＤを送信可能であるが、この場合、ｇｅｔメソッドによれば、「ｈｔｔｐ：／／ｈｏｓｔ．ｎｅｔ／ｐａｇｅ／？ｌｏｔＩＤ＝Ｌ００１」のようなＵＲＬ情報が情報管理サーバー５０に送信される。
【００３７】
［コード情報のパラメータ］
また、バーコードＢＣに対応するコード情報ＣＩ１は、図９中に二点鎖線で示すように、追加のパラメータを含むよう構成することもできる。即ち、この場合の追加のパラメータとしては、第１の情報ＩＤ（パラメータ２）、第２の情報ＩＤ（パラメータ３）、ロットＩＤ（パラメータ４）、店ＩＤ（パラメータ５）、広告ＩＤ（パラメータ６）等がある。第１の情報ＩＤは、スリーブ１０の第１の情報部に印刷される第１の情報に一意に割り当てられたＩＤであり、第１の情報ＩＤにより賞種別情報を一意に特定することができる。また、第２の情報ＩＤは、スリーブ１０の第２の情報部に印刷される第２の情報に一意に割り当てられたＩＤであり、第２の情報ＩＤにより賞内容情報を一意に特定することができる。また、ロットＩＤは、製造ロットごとにスリーブ１０を管理するためのＩＤであり、（例えば、１万個のスリーブを１ロットとして）スリーブ１０の属するロットごとに一意に割り当てられたＩＤであって、ロットＩＤにより個々のスリーブ１０の属するロットを一意に特定することができる。また、店ＩＤは、スリーブ１０の製造業者がスリーブ１０の購入者（即ち、前記スリーブ１０の提供者）としての店（飲食店舗やコンビニエンスストア等）を管理するためのＩＤであり、スリーブ１０を購入した店ごとに一意に割り当てられたＩＤであって、店ＩＤにより（通常はロット単位での販売となる）スリーブ１０の販売先である店を一意に特定することができる。また、広告ＩＤは、スリーブ１０の購入者である店の広告用に用意された広告コンテンツを管理するためのＩＤであり、スリーブ１０を購入した店の広告コンテンツごとに一意に割り当てられたＩＤであって、広告ＩＤにより（前記コード情報ＣＩ１に応じて情報管理サーバー５０から携帯端末装置４０に送信されることになる）広告内容を一意に特定することができる。これらのパラメータも、パラメータ１としてのくじＩＤと同様、前記コード情報ＣＩ１の送信時に、前記特定の通信プロトコル（典型的には、ＨＴＴＰ）に応じた所定のパラメータ（図９の場合はパラメータ２〜ｎ）として前記当落情報ページＵＲＬと共に情報管理サーバー５０に送信することができる。即ち、この場合、携帯端末装置４０は、典型的には、ＨＴＴＰのｇｅｔメソッドまたはｐｏｓｔメソッドを使用して、「名前＋値」の対からなる情報として、くじＩＤを送信可能であるが、この場合、ｇｅｔメソッドによれば、「ｈｔｔｐ：／／ｈｏｓｔ．ｎｅｔ／ｐａｇｅ０１／？ｌｏｔＩＤ＝Ｌ００１＆１ｓｔＩｎｆｏＩＤ＝Ｋ２＆２ｎｄＩｎｆｏＩＤ＝Ｐ２＆・・・」のようなＵＲＬ情報が情報管理サーバー５０に送信される。
【００３８】
［情報格納部］
情報格納部５１は、典型的には、リレーショナルデータベース（ＲＤＢ）により構成することができ、この場合、一例として、図１０に示すようなデータ構造（データスキーマ）を備えるよう構成することができる。詳細には、図１０の場合、情報格納部５１は、マスタファイル（即ち、ＲＤＢの場合はマスタテーブル）として、当落情報ファイルとしての当落情報テーブルＴ１、賞種別ファイルとしての賞種別テーブルＴ２、賞内容ファイルとしての賞内容テーブルＴ３、広告情報ファイルとしての広告情報テーブルＴ４、取引ファイルとしての取引テーブルＴ５、店ファイルとしての店テーブルＴ６を備えると共に、トランザクションファイル（即ち、ＲＤＢの場合はトランザクションテーブル）として引換情報ファイルとしての引換情報テーブルＴ７を備える。
【００３９】
［当落情報テーブルＴ１］
当落情報テーブルＴ１は、各レコードのフィールドとして、ロットＩＤ、くじＩＤ、賞種別ＩＤ、及び、賞内容ＩＤを格納する。なお、当落情報テーブルＴ１の主キーはくじＩＤであるが、ロットＩＤとくじＩＤとを複合キーとして使用することもできる。ロットＩＤは、スリーブ１０を製造する場合の１製造単位（例えば、１千個〜１万個等の１製造単位）としてのロットごとに一意に割り当てられたＩＤであり、ロットＩＤにより、特定のスリーブ１０が属するロットを判断することができる。また、くじＩＤは、スリーブ１０ごと（即ち、くじ情報を格納する隠蔽情報部２０ごと）に一意に割り当てられたＩＤであり、くじＩＤにより、特定のスリーブ１０のくじ情報（即ち、そのくじの賞種別や賞内容）を判断することができる。賞種別ＩＤは、前記第１の情報ＩＤに対応するものであり、賞種別情報を一意に特定するためのＩＤである。賞内容ＩＤは、前記第２の情報ＩＤに対応するものであり、賞内容情報を一意に特定するためのＩＤである。
【００４０】
［賞種別テーブルＴ２］
賞種別テーブルＴ２は、各レコードのフィールドとして、賞種別ＩＤ、及び、賞種別を格納する。賞種別ＩＤは、前記当落情報テーブルＴ１の賞種別ＩＤと同一のＩＤであり、例えば、図の例では、「Ｋ１」、「Ｋ２」、「Ｋ３」といったＩＤ体系にしたがって一意となるよう賞種別ごとに割り当てられている。賞種別は、賞種別ＩＤごとの賞の具体的な種別を表すものであり、例えば、図の例では、「Ａ賞」、「Ｂ賞」、「Ｃ賞」といった賞の種別を表す文字列が、それぞれ、賞種別ＩＤごとに予め定めた賞の種別に対応して格納されている。なお、賞種別テーブルＴ２の主キーは賞種別ＩＤである。そして、賞種別テーブルＴ２の賞種別ＩＤを主キーとし、前記当落情報テーブルＴ１の賞種別ＩＤを外部キーとして、当落情報テーブルＴ１と賞種別テーブルＴ２とが互いに関連付けられている。
【００４１】
［賞内容テーブルＴ３］
賞内容テーブルＴ３は、各レコードのフィールドとして、賞内容ＩＤ、及び、賞内容を格納する。賞内容ＩＤは、前記当落情報テーブルＴ１の賞内容ＩＤと同一のＩＤであり、例えば、図の例では、「Ｐ１」、「Ｐ２」、「Ｐ３」といったＩＤ体系にしたがって一意となるよう賞内容ごとに割り当てられている。賞内容は、賞内容ＩＤごとの賞の具体的な内容を表すものであり、例えば、図の例では、「コーヒーメーカー」、「マグカップ」、「カップトレー」といった賞の内容を表す文字列が、それぞれ、賞内容ＩＤごとに予め定めた賞の内容に対応して格納されている。なお、賞内容テーブルＴ３の主キーは賞内容ＩＤである。そして、賞内容テーブルＴ３の賞内容ＩＤを主キーとし、前記当落情報テーブルＴ１の賞内容ＩＤを外部キーとして、当落情報テーブルＴ１と賞内容テーブルＴ３とが互いに関連付けられている。
【００４２】
［店テーブルＴ４］
店テーブルＴ４は、各レコードのフィールドとして、店ＩＤ、及び、店名を格納する。店ＩＤは、前記パラメータとしての店ＩＤに対応するＩＤであり、（前記提供者として）スリーブ１０の製造者（又は卸業者）からスリーブ１０を購入する店ごとに一意に割り当てられたＩＤであって、例えば、図の例では、「Ｂ００１」、「Ｂ００２」、「Ｂ００３」といったＩＤ体系にしたがって一意となるよう割り当てられている。店名は、店ＩＤごとの店名を表すものである。なお、店テーブルＴ４の主キーは店ＩＤである。
【００４３】
［取引テーブルＴ５］
取引テーブルＴ５は、各レコードのフィールドとして、ロットＩＤ、及び、店ＩＤを格納する。ロットＩＤは、前記当落情報テーブルＴ１のロットＩＤと同一のＩＤである。また、店ＩＤは、前記店テーブルＴ４の店ＩＤと同一のＩＤである。なお、取引テーブルＴ５の主キーはロットＩＤである。そして、前記店テーブルＴ４の店ＩＤを主キーとし、取引テーブルＴ５の店ＩＤを外部キーとして、店テーブルＴ４と取引テーブルＴ５とが互いに関連付けられている。また、取引テーブルＴ５のロットＩＤを主キーとし、前記当落情報テーブルＴ１のロットＩＤを外部キーとして、取引テーブルＴ５と当落情報テーブルＴ１とが互いに関連付けられている。
【００４４】
［広告情報テーブルＴ６］
広告情報テーブルＴ６は、各レコードのフィールドとして、店ＩＤ、広告ＩＤ、広告内容、及び、賞内容ＩＤを格納する。店ＩＤは、前記店テーブルＴ４の店ＩＤと同一のＩＤである。広告ＩＤは、店が所有する広告コンテンツごとに一意に割り当てられたＩＤであって、例えば、図の例では、「Ｃ１」、「Ｃ２」、「Ｃ３」といったＩＤ体系にしたがって一意となるよう割り当てられている。広告内容は、前記広告ＩＤごとに対応付けられた広告コンテンツであり、典型的には、広告コンテンツを表示する（静的又は動的）ウエブページに対するリンク情報等からなる（図では、図示上の便宜上、「コンテンツ１」、「コンテンツ２」、「コンテンツ３」と表示されているが、実際は、リンク情報としてのＵＲＬ等が表示される）。賞内容ＩＤは、前記賞内容テーブルＴ３の賞内容ＩＤと同一のＩＤである。なお、広告情報テーブルＴ４の主キーは広告ＩＤである。また、広告情報テーブルＴ４の主キーは、店ＩＤと広告ＩＤとの複合キーとすることもできる。そして、前記店テーブルＴ４の店ＩＤを主キーとし、広告情報テーブルＴ６の店ＩＤを外部キーとして、店テーブルＴ４と広告情報テーブルＴ６とが互いに関連付けられている。
【００４５】
［広告連結テーブルＴ７］
広告連結テーブルＴ７は、各レコードのフィールドとして、賞内容ＩＤ、及び、広告ＩＤを格納する。賞内容ＩＤは、前記賞内容テーブルＴ３の賞内容ＩＤと同一のＩＤである。また、広告ＩＤは、前記広告情報テーブルＴ６の広告ＩＤと同一のＩＤである。なお、広告連結テーブルＴ７の主キーは賞内容ＩＤである。そして、前記広告情報テーブルＴ６の広告ＩＤを主キーとし、広告連結テーブルＴ７の広告ＩＤを外部キーとして、広告情報テーブルＴ６と広告連結テーブルＴ７とが互いに関連付けられている。
【００４６】
［引換情報テーブルＴ８］
引換情報テーブルＴ８は、各レコードのフィールドとして、くじＩＤ、コード受信日時、くじ引換日時、コードフラグ、及び、引換フラグを格納する。くじＩＤは、前記当落情報テーブルＴ１のくじＩＤと同一のＩＤである。また、コード受信日時には、前記スリーブ１０の被提供者（飲料の飲用者等）によって隠蔽情報部２０の第２の情報部３２のバーコードＢＣが携帯端末装置４０等のコード読取手段により読み取られ、そのバーコードＢＣに対応する第２の情報（前記くじＩＤ等）がコード読取手段から情報管理サーバー５０に送信されてきたときに、その第２の情報の送信日時が自動的に格納される。くじ引換日時は、前記スリーブ１０の提供者（飲料の販売者等）によって（被提供者からのくじの引換要求にしたがって）くじの引換が実行されると共に、提供者側のコンピュータ装置（以下、「提供者ＰＣ」という）によって、その被提供者のスリーブ１０のくじに関するくじの引換の事実を登録するための所定の処理（以下、「引換登録処理」という）が実行されたことを示す情報（以下、「引換登録情報」という）が情報管理サーバー５０に送信されてきたときに、その引換登録処理の実行時の日時（以下、「引換登録日時」という）が自動的に格納される。コードフラグは、例えば、第２の情報がコード読取手段から情報管理サーバー５０に送信されてきたときに、その第２の情報に含まれるくじＩＤについて賞内容の確認処理が実行されたことを示すフラグが「１」に設定して格納される。なお、コードフラグには、第２の情報に含まれるくじＩＤについて賞内容の確認処理が実行されたことを示すフラグが「１」に設定して格納されるまでは、「０」が初期値として格納されている。また、引換フラグは、例えば、引換登録情報が提供者ＰＣから情報管理サーバー５０に送信されてきたときに、その引換登録処理に係るくじＩＤについて引換登録処理が実行されたことを示すフラグが「１」に設定して格納される。なお、引換フラグには、引換登録情報に含まれるくじＩＤについて引換登録処理が実行されたことを示すフラグが「１」に設定して格納されるまでは、「０」が初期値として格納されている。なお、引換情報テーブルＴ８の主キーはくじＩＤである。引換情報テーブルＴ８は、くじＩＤにより当落情報テーブルＴ１と関連付けてもよい。
【００４７】
［情報処理手段による情報処理］
実施の形態１のスリーブ用情報処理システムは、図９に示す情報処理手段としてのコード情報管理手段５２、当落情報管理手段５３、広告情報管理手段５４、及び、情報抽出加工手段５５により、図１０の各テーブルＴ１〜Ｔ８を使用して、下記の所定の情報処理をコンピュータに実行させる機能を実現することができる。
【００４８】
［当落情報管理手段］
詳細には、図１１に示すように、当落情報管理手段５３は、各スリーブ１０に固有に割り当てた（即ち、固有の第２の情報部３２に含まれる）各くじＩＤについて、当落情報テーブルＴ１及び賞種別テーブルＴ２を参照して、そのくじＩＤに対応付けた賞種別ＩＤから賞種別を取得して、（そのくじＩＤがどのランクの賞に該当するのかを示す）賞ランクＩＦ１１として（即ち、前記賞種別情報ＤＩ１として）前記当落情報ＩＦ１に含める。また、当落情報管理手段５３は、そのくじＩＤについて、当落情報テーブルＴ１及び賞内容テーブルＴ３を参照して、そのくじＩＤに対応付けた賞内容ＩＤから賞内容を取得して、（そのくじＩＤがどの内容の賞に該当するのかを示す）賞内容ＩＦ１１１として（即ち、前記賞内容情報ＤＩ２として）前記当落情報ＩＦ１に含める。ここで、実施の形態１のスリーブ用情報処理システムは、一つのくじＩＤに対して、単一の賞内容を対応付けることもできるが、複数の賞内容ＩＦ１１１，Ｆ１１２，１１３，・・・，ｍを対応付けることもできる。即ち、スリーブ用情報処理システムは、一つの賞ランクＩＦ１１に対して所定の複数の賞内容ＩＦ１１１，ＩＦ１１２，ＩＦ１１３，・・・，ｍを対応付けるよう、各くじＩＤ（及び、そのくじＩＤに固有の一つの賞種別ＩＤ）に対して所定の複数の賞内容ＩＤを対応付けて（図１０に示すものと異なるデータ構造として）前記当落情報テーブルＴ１を構成することもできる。
【００４９】
［広告情報管理手段］
広告情報管理手段５４は、各店ＩＤについて、店テーブルＴ４及び広告情報テーブルＴ６を参照して、その店ＩＤに対応付けた店名ＩＦ２１を取得すると共に、その店ＩＤに対応付けた広告ＩＤを取得し、その広告ＩＤから（各店名ＩＦ２１に対応付けられる）広告内容ＩＦ２１１を取得する。ここで、実施の形態１のスリーブ用情報処理システムは、一つの店ＩＤに対して、単一の広告内容を対応付けることもできるが、複数の広告内容２１１，Ｆ２１２，２１３，・・・，ｌを対応付けることもできる。即ち、スリーブ用情報処理システムは、一つの店名ＩＦ２１に対して所定の複数の広告内容ＩＦ２１１，ＩＦ２１２，ＩＦ２１３，・・・，ｌを対応付けるよう、各店ＩＤに対して所定の複数の広告ＩＤを対応付けて（図１０に示すように）前記広告情報テーブルＴ６を構成することもできる。
【００５０】
［当落情報と広告情報との連携］
実施の形態１のスリーブ用情報処理システムは、前記情報抽出加工手段５５により、各賞内容ＩＤについて、広告連結テーブルＴ７及び広告情報テーブルＴ６を参照して、その賞内容ＩＤに対応付けた広告ＩＤから広告内容（コンテンツ）を取得し、更に、当落情報テーブルＴ１及び賞内容テーブルＴ３を参照して、その賞内容ＩＤに対応付けた広告内容を、その賞内容ＩＤが属するくじＩＤに対応付けて取得し、その広告内容をそのくじＩＤに対応付けて、前記広告情報ＤＩ３として前記当落情報ＩＦ１に含める。
【００５１】
ここで、上記のように、スリーブ用情報処理システムが、一つのくじＩＤに対して、複数の賞内容Ｆ１１１，Ｆ１１２，１１３，・・・，ｍを対応付ける場合、一つのスリーブ１０に固有のくじＩＤについて、単一の賞種別Ｆ１１を割り当てると共に、所定の複数の賞内容Ｆ１１１，Ｆ１１２，１１３，・・・，ｍを割り当てておき、それら複数の賞内容Ｆ１１１，Ｆ１１２，１１３，・・・，ｍの中から（例えば、予め定めた選択ロジックにより、又は、ランダム抽出により）選択した特定の賞内容を、前記当落情報ＩＦ１に含めることができる。この場合、当落情報ＩＦ１の賞内容情報を複数の選択肢から選択して被提供者の携帯端末装置４０のディスプレイ４１に表示することができ、特定の賞種別であっても場合に応じて異なる賞内容が被提供者に提示されるようにすることで、くじの嗜好性をより向上することができる。
【００５２】
また、この場合、実施の形態１のスリーブ用情報処理システムは、所定の複数の賞内容Ｆ１１１，Ｆ１１２，Ｆ１１３，・・・，ｍに対して、それぞれ、同一の複数の異なる広告内容ＩＦ２１１，ＩＦ２１２，ＩＦ２１３，・・・，ｌを割り当てておくことで、当落情報ＩＦ１の賞内容情報ＩＤ２を複数の選択肢の賞内容Ｆ１１１，Ｆ１１２，Ｆ１１３，・・・，ｍから選択して被提供者の携帯端末装置４０のディスプレイ４１に表示すると共に、各賞内容情報ＩＤ２に対応して異なる内容の広告情報ＩＤ３をディスプレイ４１に表示することができ、特定の賞種別であっても、場合に応じて異なる広告内容が被提供者に提示されるようにすることで、広告効果をより向上することができる。或いは、実施の形態１のスリーブ用情報処理システムは、一つの賞内容（例えば、賞内容Ｆ１１１）に対して、所定の複数の異なる広告内容ＩＦ２１１，ＩＦ２１２，ＩＦ２１３，・・・，ｌを割り当てておくことで、当落情報ＩＦ１の賞内容情報ＩＤ２を特定の単一の賞内容Ｆ１１１として被提供者の携帯端末装置４０のディスプレイ４１に表示すると共に、特定の単一の賞内容情報ＩＤ２に対応して異なる内容の広告情報ＩＤ３をディスプレイ４１に表示することができ、この場合も、特定の賞種別であっても、場合に応じて異なる広告内容が被提供者に提示されるようにすることで、広告効果をより向上することができる。
【００５３】
［コード情報管理手段］
コード情報管理手段５２は、各くじＩＤについて、当落情報テーブルＴ１及び取引テーブルＴ５を参照して、そのくじＩＤに対応付けたロットＩＤを取得すると共に、そのロットＩＤに対応付けた店ＩＤを取得し、更に、店テーブルＴ４を参照して、その店ＩＤに対応付けた店名を取得する。また、コード情報管理手段５２は、（情報管理サーバー５０に送信されてきた）前記バーコードＢＣに対応するコード情報ＣＩに含まれる（特定のくじＩＤに対応付けられた）当落情報ページＵＲＬを取得し、特定のくじＩＤと対応付けて管理する。なお、スリーブ用情報処理システムは、同一のロットＩＤについては、同一ＵＲＬのウエブページにより情報を提供するよう構成してもよいが、同一のロットＩＤであっても、くじＩＤの範囲ごとに異なＵＲＬのウエブページを用意し、各ＵＲＬのウエブページによって、異なるくじＩＤの範囲ごとに異なるコンテンツのウエブページを提示するよう構成することもできる。
【００５４】
［後付け物品としてのスリーブの性質］
ここで、実施の形態１のスリーブ用情報処理システムは、基本的には、一つのくじＩＤに対して、単一の店ＩＤ及び店名を対応付ける（即ち、あるくじＩＤを割り当てたスリーブ１０は一つの店舗に提供される）ことを想定し、また、通常は、同一ロットのスリーブ１０については単一の店舗に提供することを想定して上記の処理を構成している。しかし、例えば、あるロットＩＤのスリーブ１０の提供先である当初の店舗（以下、「当初提供先」という）が、（例えば、あるキャンペーン用に提供を受けた）そのロットＩＤのスリーブ１０を全く（即ち、１枚も）使用していない場合（例えば、それらのスリーブ１０を使用することなくキャンペーンが終了した場合）、その当初店舗のロットＩＤのスリーブ１０を、非使用のまま、他の新たな店ＩＤの店舗（以下、「新提供先」という）に提供することができる。例えば、図１１の店ＩＤ０１（店名０１）の当初提供先から、新提供先として、店ＩＤ０２（店名０２）、店ＩＤ０３（店名０３）、・・・、店ＩＤｋ（店名ｋ）へと、非使用のスリーブ１０を順次提供していくことができる。
【００５５】
この場合、スリーブ用情報処理システムは、広告連結テーブルＴ７において、そのロットＩＤに属する全てのくじＩＤについて、賞内容ＩＤに対する広告ＩＤの対応付けを、当初提供先の店ＩＤに対応付けた広告ＩＤから、新提供先の店ＩＤに対応付けた広告ＩＤとなるように更新するだけで、新品の場合とまったく同様にしてスリーブ１０を使用することができ、そのスリーブ１０に対して上記と同様の情報処理を実行することができる。なお、この場合、スリーブ用情報処理システムは、取引テーブルＴ５において、そのロットＩＤに対する店ＩＤの対応付けを、当初提供先の店ＩＤから新提供先の店ＩＤに更新することもできるが、更新しない場合でも、スリーブ１０のくじに関しては、同様の情報処理が可能である。また、当初提供先が、あるロットＩＤの一部の範囲のスリーブ１０を非使用の場合も、スリーブ用情報処理システムは、その範囲を（スリーブ１０に一意に割り当てた）くじＩＤにより特定することができるため、広告連結テーブルＴ７において、そのロットＩＤの非使用範囲に属する全てのくじＩＤについて、賞内容ＩＤに対する広告ＩＤの対応付けを、当初提供先の店ＩＤの広告ＩＤから新提供先の店ＩＤの広告ＩＤに更新するだけで、新品の場合とまったく同様にしてスリーブ１０を使用することができ、そのスリーブ１０に対して上記と同様の情報処理を実行することができる。
【００５６】
即ち、本実施の形態を含む本発明のスリーブを利用した情報処理システム（即ち、スリーブ利用くじ引きシステム）では、スリーブ１０は、装着対象の使い捨てコップとは別体として提供され、任意の使い捨てコップに後付けで装着されるという性質を備えており、また、装着対象の使い捨てコップも使い捨てとなる性質を備えているため、スリーブ１０ごとにくじＩＤは事前に付与して、スリーブ１０の量産性を損なわないようにする一方で、製造したスリーブ１０については、（典型的にはロットごとに）特定のキャンペーン用にスリーブ１０の使用を望む特定の提供先に提供し、その特定の提供先が非使用のスリーブ１０については、別の新たな提供先に提供することで、その新たな提供先の別のキャンペーンに使用することができる。この場合でも、その新たな提供先に応じて、スリーブ用情報処理システムにより広告連結テーブルＴ７等のデータを随時更新するだけで、全く同様にして、その新たな提供先の用途に完全にカスタマイズした状態で、使い捨てコップにスリーブ１０を装着してスリーブ１０によるくじ引きシステムを構築し、その新たな提供先が所望する所定のキャンペーンを実現することができる。また、スリーブ１０が後付け物品であることに着目し、スリーブ用情報処理システムは、当落情報テーブルＴ１において、くじＩＤに対する賞種別ＩＤや賞内容ＩＤの対応付けを更新することで、同一のスリーブ１０（即ち、同一のくじＩＤ）に対して、当初の賞種別や賞内容と異なる賞種別や賞内容、及び／又は、当初の広告内容と異なる広告内容を割り当てることもでき、使い捨てコップとの関係で、スリーブ１０によるくじ引きの自由度及び嗜好性を大幅に高めて、キャンペーンの用途に応じた柔軟なくじ引きシステムを構築することができる。
【００５７】
［くじ引換処理］
上記のように構成されたスリーブ用情報処理システムを利用して、スリーブ１０の被提供者（飲料の飲用者等）は、提供者から自己に提供された（飲料容器等としての外周に巻き回された）スリーブ１０の隠蔽情報部２０から、コイン等を利用して隠蔽層２３を剥離する。すると、被提供者は、印刷層２１に印刷された第１の情報部３１及び第２の情報部３２を視認することができる。このとき、被提供者は、自己のスリーブ１０に印刷されたくじ情報について、第１の情報部３１の読解可能情報としての賞種別情報、及び、第２の情報部３２の読解不能情報としての賞内容情報（即ち、読解不能なようにコード化された二次元コード等の情報）を視認することができる。一方、この状態では、被提供者は、賞種別については自己のスリーブ１０がどの賞種別に該当するのかを目視により確認することができるが、具体的な賞内容については目視により確認することができない。よって、被提供者は、必然的に、（賞内容を確認できないと、くじ本来の目的が達成できないため）賞内容を確認したいという欲求にしたがって、隠蔽情報部２０の第２の情報部３２のバーコードＢＣを、読取手段としての携帯端末装置４０のバーコードスキャナー等により読み取ることになる。
【００５８】
即ち、このとき、スリーブ用情報処理システムは、（ステップ１としての）コード情報読取処理により、携帯端末装置４０を使用して、スリーブ１０ごとに割り当てられた第２の情報部３２の賞内容情報を読解不能情報として含むバーコードＢＣを光学的に読み取る処理を実行し、次に、（ステップ２としての）コード送信処理により、携帯端末装置４０を使用して、読み取ったバーコードＢＣに対応するコード情報ＣＩ１を所定の通信プロトコルにしたがって情報管理サーバー５０に送信する。次に、スリーブ用情報処理システムは、（ステップ３としての）情報変換処理により、スリーブ１０ごとに割り当てられた読解不能情報としての第２の情報部３２のコード情報ＣＩ１に基づき、上記したように当落情報管理手段５３等を使用して、当落情報ＩＦ１及び広告情報ＩＦ２を生成し、次に、（ステップ４としての）情報送信処理により、携帯端末装置４０にその当落情報ＩＦ１及び広告情報ＩＦ２を送信する。次に、スリーブ用情報処理システムは、（ステップ５としての）情報表示処理により、携帯端末装置４０のディスプレイ４１に、賞種別情報ＤＩ１、賞内容情報ＤＩ２、及び、広告情報ＤＩ３を、それぞれ、読解可能情報として表示する。
【００５９】
このとき、ディスプレイ４１には、賞種別情報ＤＩ１が、前記第１の情報部３１の第１の情報と同様に読解可能情報として表示されているが、賞内容情報ＤＩ２は、（前記第２の情報部３２の第２の情報が読解不能情報として表示されているのに対し）読解可能情報として表示されている。したがって、被提供者は、ディスプレイ４１の賞種別情報ＤＩ１により（又はスリーブ１０の第１の情報部３１により）賞種別について自己のスリーブ１０がどの賞種別に該当するのかを目視により確認することができることに加え、具体的な賞内容についても、ディスプレイ４１の賞内容情報ＤＩ２を目視して読み取ることにより確認及び理解することができ、これにより、くじ本来の目的を達成することができる。
【００６０】
この状態で、スリーブ１０の被提供者が、自己のスリーブ１０について、賞内容情報ＤＩ２に応じたくじの引換処理を行うには、例えば、スリーブ１０の提供者に対して、自己の携帯端末装置４０のディスプレイ４１に表示されている賞種別情報ＤＩ１及び賞内容情報ＤＩ２を提示し、これに応じて、提供者が、賞内容情報ＤＩ２の賞内容に応じた賞品や景品（又は賞金）をその被提供者に贈呈するよう構成することができる。また、このとき、スリーブ１０の提供者は、そのスリーブ１０についてのくじの引換処理が完了したことを登録すべく、自己（提供者側）のコンピュータ装置（提供者ＰＣ）を使用して、ネットワークを介して、情報管理サーバー５０に対して引換登録情報を送信し、その被提供者のスリーブ１０のくじに関するくじの引換完了の事実を登録するための引換登録処理を実行するよう要求する。すると、情報管理サーバー５０が、前記当落情報管理手段５２等を使用して、該当するくじＩＤについて引換登録処理を実行する。
【００６１】
ここで、情報管理サーバー５０は、例えば、被提供者の携帯端末装置４０からコード情報ＣＩ１が送信されてきたときに、引換情報テーブルＴ８において、（例えば、情報管理サーバー５０の時計機能により）そのコード情報ＣＩ１の受信日時を特定し、その受信日時をコード受信日時としてそのくじＩＤに対応付けて格納すると共に、そのくじＩＤに対応付けたコードフラグを「１」に設定する。これにより、情報管理サーバー５０は、そのくじＩＤに対応するスリーブ１０についてくじ引きが行われたことを判断することができる。また、情報管理サーバー５０は、例えば、提供者ＰＣから引換処理情報が送信されてきたときに、引換情報テーブルＴ８において、（例えば、情報管理サーバー５０の時計機能により）その引換処理情報の受信日時を特定し、その受信日時をくじ引換日時としてそのくじＩＤに対応付けて格納すると共に、そのくじＩＤに対応付けた引換フラグを「１」に設定する。これにより、情報管理サーバー５０は、そのくじＩＤに対応するスリーブ１０についてくじ引換処理が行われたことを判断することができる。これにより、スリーブ用情報処理システムは、上記したように、引換情報テーブルＴ８のコードフラグや引換フラグを参照することにより、非使用のスリーブ１０（即ち、そのスリーブ１０のくじＩＤ）を特定することができる。また、情報管理サーバー５０は、引換情報テーブルＴ８のコード受信日時を参照することで、被提供者が、いつ、スリーブ１０の隠蔽情報部２０のバーコードＢＣを読み取ったかを確認することができると共に、引換情報テーブルＴ８のくじ引換日時を参照することで、非提供者が、いつ、くじの引換を行ったかを確認することができる。
【００６２】
実施の形態２
実施の形態２に係るスリーブ１０では、図１２に示すように、隠蔽情報部１２０の構成が実施の形態１の隠蔽情報部２０と異なっている。詳細には、隠蔽情報部１２０は、第１の情報部としての質問情報部Ｑ１，Ｑ２，Ｑ３と、質問情報部Ｑ１，Ｑ２，Ｑ３に対応する第２の情報部としての回答情報部Ａ１，Ａ２，Ａ３とを備えている。なお、図示の例では、３個の質問情報部Ｑ１，Ｑ２，Ｑ３と、これに対応して、同一数（３個）の回答情報部Ａ１，Ａ２，Ａ３とが隠蔽情報部１２０に設けられているが、２個または４個以上の質問情報部と回答情報部とを隠蔽情報部１２０に設けてもよく、単一の質問情報部と回答情報部とを隠蔽情報部１２０に設けてもよい。質問情報部Ｑ１，Ｑ２，Ｑ３には、それぞれ、所定の質問内容の文字列等（以下、「質問内容」という）が印刷される。また、回答情報部Ａ１，Ａ２，Ａ３には、それぞれ、質問情報部Ｑ１，Ｑ２，Ｑ３の質問内容に対応する所定の複数の異なる回答内容の文字列等（以下、「回答内容」という）が印刷される。また、回答情報部Ａ１，Ａ２，Ａ３は、それぞれ、複数対（図示の例では３対）の回答内容対Ａ１１ａ，Ａ１１ｂ：Ａ１２ａ，Ａ１２ｂ：Ａ１３ａ，Ａ１３ｂ：Ａ２１ａ，Ａ２１ｂ：・・・：Ａ３１ａ，Ａ３１ｂ：・・・を備えている。各回答内容対は、読解可能情報としての回答内容Ａ１１ａ，Ａ１２ａ，Ａ１３ａを回答の選択肢として備えると共に、回答内容Ａ１１ａ，Ａ１２ａ，Ａ１３ａとそれぞれ対となる読解不能情報としてのコード（二次元コード）Ａ１１ｂ，Ａ１２ｂ，Ａ１３ｂを備えている。更に、隠蔽情報部１２０は、実施の形態１の隠蔽情報部２０のように全体が隠蔽層２３により被覆されておらず、コードＡ１１ｂ，Ａ１２ｂ，Ａ１３ｂに対応する部分のみが、それぞれ、（個別にコードＡ１１ｂ，Ａ１２ｂ，Ａ１３ｂを完全に被覆するよう）隠蔽層２３により被覆されている。
【００６３】
実施の形態２では、スリーブ１０の被提供者が、質問情報部Ｑ１，Ｑ２，Ｑ３の質問内容に応じた回答内容の回答内容Ａ１１ａ，Ａ１２ａ，Ａ１３ａを選択し、選択した回答内容Ａ１１ａ，Ａ１２ａ，Ａ１３ａに対応する（即ち、その直下にある）隠蔽層２３を剥離することで、選択した回答内容Ａ１１ａ，Ａ１２ａ，Ａ１３ａに対応するコードＡ１１ｂ，Ａ１２ｂ，Ａ１３ｂが露出する。これにより、被提供者は、そのコードＡ１１ｂ，Ａ１２ｂ，Ａ１３ｂを、実施の形態１と同様にして、コード読取手段により読み取ることで、対応するコード情報を情報管理サーバー５０に送信することができる。なお、このコード情報は、実施の形態の１のコード情報ＣＩ１と同様のデータ構造（例えば、図９に示すようなデータ構造）とすることができ、そのコード情報に対応して、実施の形態１と同様にしてくじ引きに関する情報処理が実行されるよう、スリーブ用情報処理システムを構成することができる。即ち、実施の形態２では、質問内容に対する回答内容に応じて、異なるくじ引きの結果（及び、そのくじ引きの結果に対応する広告内容）が得られるように、スリーブ用情報処理システムを構成することができる。
【００６４】
実施の形態３
実施の形態３に係るスリーブ１０では、図１３に示すように、隠蔽情報部２２０の構成が実施の形態１の隠蔽情報部２０と異なっている。詳細には、隠蔽情報部２２０は、実施の形態２の隠蔽情報部１２０と同様、第１の情報部としての質問情報部Ｑ１，Ｑ２，Ｑ３と、質問情報部Ｑ１，Ｑ２，Ｑ３に対応する第２の情報部としての回答情報部Ａ１，Ａ２，Ａ３とを備えている。質問情報部Ｑ１，Ｑ２，Ｑ３には、それぞれ、所定の質問内容（質問１等）が印刷される。また、回答情報部Ａ１，Ａ２，Ａ３には、それぞれ、質問情報部Ｑ１，Ｑ２，Ｑ３の質問内容に対応する所定の複数の異なる回答内容が印刷される。また、回答情報部Ａ１，Ａ２，Ａ３は、それぞれ、実施の形態２と同様の複数対（図示の例では３対）の回答内容対を備えている。各回答内容対は、読解可能情報としての回答内容を回答の選択肢として備えると共に、回答内容とそれぞれ対となる読解不能情報としてのコードＢＣを備えている。更に、隠蔽情報部２２０は、実施の形態２の隠蔽情報部１２０と同様、回答情報部Ａ１，Ａ２，Ａ３のコードＢＣに対応する部分のみが、それぞれ、隠蔽層２３により被覆されている。
【００６５】
実施の形態３では、スリーブ１０の被提供者が、質問情報部Ｑ１，Ｑ２，Ｑ３の質問内容に応じた回答内容を回答内容部Ａ１，Ａ２，Ａ３から選択し、選択した回答内容に対応する（即ち、その直右にある）隠蔽層２３を剥離することで、選択した回答内容に対応するコードＢＣが露出する。これにより、被提供者は、そのコードＢＣを、実施の形態１と同様にして、コード読取手段により読み取ることで、対応するコード情報を情報管理サーバー５０に送信することができる。なお、このコード情報は、実施の形態の１のコード情報ＣＩ１と同様のデータ構造（例えば、図９に示すようなデータ構造）とすることができ、そのコード情報に対応して、実施の形態１と同様にしてくじ引きに関する情報処理が実行されるよう、スリーブ用情報処理システムを構成することができる。即ち、実施の形態３でも、実施の形態２と同様、質問内容に対する回答内容に応じて、異なるくじ引きの結果（及び、そのくじ引きの結果に対応する広告内容）が得られるように、スリーブ用情報処理システムを構成することができる。また、実施の形態３では（及び、実施の形態３においても）、図１３（ｂ）に示すように、３つの回答内容部Ａ１，Ａ２，Ａ３のそれぞれのコードＢＣの選択結果に応じて、異なるくじ引きの結果（及び、そのくじ引きの結果に対応する広告内容）が得られるように、スリーブ用情報処理システムを構成することができる。
【００６６】
実施の形態４
実施の形態４に係るスリーブ１０では、図１４に示すように、隠蔽情報部３２０の構成が実施の形態１の隠蔽情報部２０と異なっている。詳細には、隠蔽情報部３２０は、３行３列のマトリックスとなるようスリーブ１０に配設された選択隠蔽部３２１〜３２９を備えている。選択隠蔽部３２１〜３２９は、それぞれ、読解不能情報としてのコードＢＣを備えると共に、それぞれのコードＢＣを隠蔽層２３により被覆している。実施の形態４に係るスリーブ１０では、例えば、３行３列のマトリックス状の選択隠蔽部３２１〜３２９の任意の３つの被覆層２３を剥離してコードＢＣを露出し、それら３つのコードＢＣをコード読取手段により順次読み取ることで、３つのコードＢＣの選択結果に応じて、異なるくじ引きの結果（及び、そのくじ引きの結果に対応する広告内容）が得られるように、スリーブ用情報処理システムを構成することができる。
【００６７】
実施の形態５
実施の形態５に係るスリーブ１０では、図１５及び図１６に示すように、スリーブ１００の構成、及び、隠蔽情報部４２０の構成が、実施の形態１のスリーブ１０及び隠蔽情報部２０と異なっている。詳細には、スリーブ１００は、実施の形態１のスリーブ１０と同様、使い捨てコップ１の外周面の表面に巻き回した状態で装着自在なシート構造を有し、図１６（ｂ）に示すように、展開状態では、所定の幅寸法（図１６中の上下方向寸法）で所定の長さ寸法（図１６中の左右方向寸法）だけ延びる帯状のシート状をなすと共に、そその幅寸法は、実施の形態１のスリーブ１０と同様、装着対象の使い捨てコップ１の高さ寸法よりも小さい寸法とされている。一方、実施の形態５のスリーブ１００は、その長さ寸法が、装着対象の使い捨てコップ１のうち、最大寸法の使い捨てコップ１の外周面の全周長よりも所定長さだけ（即ち、接合部分の長さだけ）長い寸法とされているが、更に、複数種類の寸法（図示の例では、大中小の３種類の寸法）の使い捨てコップ１に装着できるよう、使い捨てコップ１への装着状態でその長さ寸法を調節自在なように構成されている。なお、スリーブ１００は、大小２種類の寸法の使い捨てコップ１に装着できるよう、使い捨てコップ１への装着状態でその長さ寸法を調節自在なように構成することもできる。
【００６８】
［スリーブの寸法調整手段］
具体的には、スリーブ１００の巻回部１４４の長さ方向一端縁には、所定形状（例えば、平行四辺形状）の突片状の係止部１１５が、スリーブ１００の幅方向上端側から下端付近まで延びるよう一体形成され、巻回部１４４の長さ方向他端部には、前記係止部１１５を挿入して係止自在な所定形状（例えば、平行四辺形状）の突片状の係合部１１６が、スリーブ１００の幅方向に延びるよう形成されている。係合部１１６は、スリーブ１００の長さ方向に一定間隔をおいて形成された第１の係合部１１６Ａ、第２の係合部１１６Ｂ、及び、第３の係合部１１６Ｃからなる。第１の係合部１１６Ａ、第２の係合部１１６Ｂ、及び、第３の係合部１１６Ｃは、それぞれ、前記係止部１１５と（スリーブ１００の幅方向中心線に対して）線対称となる突片状をなしている。更に、第１の係合部１１６Ａ、第２の係合部１１６Ｂ、及び、第３の係合部１１６Ｃの相互の寸法の差異は、装着対象の使い捨てコップ１の寸法の差異に合わせて設定されている。即ち、スリーブ１００の長さ方向で最も内側となる第１の係合部１１６Ａについては、前記係止部１１５の内側縁（図１６中の右側縁）と第１の係合部１１６Ａの内側縁（図１６中の左側縁）との間の間隔が、装着対象の使い捨てコップ１のうちの最小寸法の使い捨てコップ１の外周長と同一になるよう、スリーブ１００の長さ方向における位置及び寸法が設定されている。また、スリーブ１００の長さ方向で中間となる第２の係合部１１６Ｂについては、前記係止部１１５の内側縁と第２の係合部１１６Ｂの内側縁（図１６中の左側縁）との間の間隔が、装着対象の使い捨てコップ１のうちの中間寸法の使い捨てコップ１の外周長と同一になるよう、スリーブ１００の長さ方向における位置及び寸法が設定されている。また、スリーブ１００の長さ方向で最も外側となる第３の係合部１１６Ｃについては、前記係止部１１５の内側縁と第３の係合部１１６Ｃの内側縁（図１６中の左側縁）との間の間隔が、装着対象の使い捨てコップ１のうちの最大寸法の使い捨てコップ１の外周長と同一になるよう、スリーブ１００の長さ方向における位置及び寸法が設定されている。
【００６９】
そして、スリーブ１００は、巻回部１４４を使い捨てコップ１の外周面の表面に巻き回し、その使い捨てコップ１の寸法（即ち、外周長）に合わせて、第１の係合部１１６Ａ、第２の係合部１１６Ｂ、及び、第３の係合部１１６Ｃのうちのいずれかの内側縁に係止部１１５の内側縁を挿入して係止することにより、使い捨てコップ１の外周面の表面の所定位置に後付けで装着して取り付けることができる。即ち、前記係止部１１５及び係合部１１６は、スリーブ１００の寸法調整手段を構成すると共に、係止部１１５は寸法調整手段の固定部を構成し、係合部１１６の第１の係合部１１６Ａ、第２の係合部１１６Ｂ、及び、第３の係合部１１６Ｃは、それぞれ、寸法調整手段の可変部を構成している。そして、実施の形態５のスリーブ１００は、寸法調整手段を介して（即ち、固定部としての係止部１１５を、可変部としての第１の係合部１１６Ａ、第２の係合部１１６Ｂ、及び、第３の係合部１１６Ｃのいずれかと係合することで）、複数種類の寸法の使い捨てコップに対して後付け可能（及び、別体で着脱自在）な構造を有している。
【００７０】
なお、スリーブ１００は、実施の形態１と同様の所定の層構造を有する所定素材の原料シートから形成されると共に、巻回部１０４の外側層の表面（即ち、スリーブ１００の外表面）は、平滑面とされ、その表面に所定の印刷技術により所望の印刷を施せるようになっている。即ち、実施の形態５では、実施の形態１と同様、スリーブ１００の巻回部１０４における外側層は、外側表面を平滑面とした印刷基材層を構成しており、印刷基材層としての外側層の表面に、実施の形態１と同様の印刷技術を使用して所望の態様の印刷部を形成自在である。そして、巻回部の外側層の表面には、長さ方向の所定部位（図示の例の場合は長さ方向中央部）に、印刷部としての隠蔽情報部４２０が印刷により一体的に形成されている。
【００７１】
［隠蔽情報部］
隠蔽情報部４２０は、第１の隠蔽情報部４２０Ａ、第２の隠蔽情報部４２０Ｂ、及び、第３の隠蔽情報部４２０Ｃを備えている。第１の隠蔽情報部４２０Ａ、第２の隠蔽情報部４２０Ｂ、及び、第３の隠蔽情報部４２０Ｃは、それぞれ、実施の形態１の隠蔽情報部２０と同様の三層構造を有している。また、第１の隠蔽情報部４２０Ａ、第２の隠蔽情報部４２０Ｂ、及び、第３の隠蔽情報部４２０Ｃは、それぞれ、スリーブ１００の幅方向に直線的に延びる細長い長方形状又は帯状をなし、互いに隣接又は密接して平行に配設されている。更に、第１の隠蔽情報部４２０Ａ、第２の隠蔽情報部４２０Ｂ、及び、第３の隠蔽情報部４２０Ｃは、それぞれ、実施の形態１の隠蔽情報部２０と同様、読解可能情報としての賞種別情報を印刷した第１の情報部４２１Ａ，４２１Ｂ，４２１Ｃと、賞内容情報を所定のコード（二次元コード）へとコード化してなる読解不能情報としての第２の情報部４２２Ａ，４２２Ｂ，４２２Ｃとを有している。また、スリーブ１００において、第１の隠蔽情報部４２０Ａ、第２の隠蔽情報部４２０Ｂ、及び、第３の隠蔽情報部４２０Ｃの直上の位置には、それぞれ、「小」、「中」、「大」等の寸法の程度を表す文字又は記号等からなる寸法表示部４２３が印刷等により設けられている。
【００７２】
一方、第１の情報隠蔽部４２０Ａ、第２の情報隠蔽部４２０Ｂ、及び、第３の情報隠蔽部４２０Ｃの（スリーブ１００の長さ方向における）相互の位置関係は、装着対象の使い捨てコップ１の寸法の差異に合わせて設定されている。即ち、スリーブ１００の長さ方向で（寸法調整手段の固定部となる）係止部１１５に最も近接する第１の情報隠蔽部４２０Ａについては、前記係止部１１５の内側縁を第１の係合部１１６Ａの内側縁に係止して、スリーブ１００を装着対象の使い捨てコップ１のうちの最小寸法の使い捨てコップ１に装着したときに、第１の情報隠蔽部４２０Ａが、使い捨てコップ１上のスリーブ１００の周方向中央位置にくるよう（即ち、係止部１１５の内側縁と第１の係合部１１６Ａの内側縁との間の中間位置にくるよう）、スリーブ１００の長さ方向における配設位置が設定されている。また、スリーブ１００の長さ方向で係止部１１５に２番目に近接する第２の情報隠蔽部４２０Ｂについては、前記係止部１１５の内側縁を第２の係合部１１６Ｂの内側縁に係止して、スリーブ１００を装着対象の使い捨てコップ１のうちの中間寸法の使い捨てコップ１に装着したときに、第２の情報隠蔽部４２０Ｂが、使い捨てコップ１上のスリーブ１００の周方向中央位置にくるよう（即ち、係止部１１５の内側縁と第２の係合部１１６Ｂの内側縁との間の中間位置にくるよう）、スリーブ１００の長さ方向における配設位置が設定されている。また、スリーブ１００の長さ方向で係止部１１５から最も離間する第３の情報隠蔽部４２０Ｃについては、前記係止部１１５の内側縁を第３の係合部１１６Ｃの内側縁に係止して、スリーブ１００を装着対象の使い捨てコップ１のうちの最大寸法の使い捨てコップ１に装着したときに、第３の情報隠蔽部４２０Ｃが、使い捨てコップ１上のスリーブ１００の周方向中央位置にくるよう（即ち、係止部１１５の内側縁と第３の係合部１１６Ｃの内側縁との間の中間位置にくるよう）、スリーブ１００の長さ方向における配設位置が設定されている。
【００７３】
そして、スリーブ１００は、巻回部１４４を使い捨てコップ１の外周面の表面に巻き回し、その使い捨てコップ１の寸法に合わせて、第１の係合部１１６Ａ、第２の係合部１１６Ｂ、及び、第３の係合部１１６Ｃのうちのいずれかの内側縁に係止部１１５の内側縁を挿入して係止することにより、使い捨てコップ１の外周面の表面の所定位置に後付けで装着して取り付けたときに、装着対象の使い捨てコップ１の寸法に応じて、第１の情報隠蔽部４２０Ａ、第２の情報隠蔽部４２０Ｂ、及び、第３の情報隠蔽部４２０Ｃのうちのいずれかが、使い捨てコップ１上のスリーブ１００の周方向中央位置にくる（即ち、そのときに互いに係止状態にある係止部１１５と第１〜第３の係合部１１６Ａ〜１１６Ｃとの間の中間位置にくる）ようになっている。例えば、最小寸法の使い捨てコップ１にスリーブ１００を（係止部１１５と第１の係合部１１６Ａにより）装着すると、第１の情報隠蔽部４２０Ａがスリーブ１００の周方向中央位置に配置されると共に、その直上の寸法表示部の「小」がスリーブ１００の周方向中央位置に配置される。また、例えば、中間寸法の使い捨てコップ１にスリーブ１００を（係止部１１５と第２の係合部１１６Ｂにより）装着すると、第２の情報隠蔽部４２０Ｂがスリーブ１００の周方向中央位置に配置されると共に、その直上の寸法表示部４２３の「中」がスリーブ１００の周方向中央位置に配置される。また、例えば、最大寸法の使い捨てコップ１にスリーブ１００を（係止部１１５と第３の係合部１１６Ｃにより）装着すると、第３の情報隠蔽部４２０Ｃがスリーブ１００の周方向中央位置に配置されると共に、その直上の寸法表示部の「大」がスリーブ１００の周方向中央位置に配置される。
【００７４】
即ち、実施の形態５では、隠蔽情報部４２０は、スリーブ１００の装着対象の使い捨てコップ１の寸法に応じて３種類の隠蔽情報部（第１の情報隠蔽部４２０Ａ、第２の情報隠蔽部４２０Ｂ、及び、第３の情報隠蔽部４２０Ｃ）を設けると共に、（スリーブ１００を装着した使い捨てコップ１による飲料等の）提供者が、被提供者に対して、提供された飲料等のサイズ（即ち、使い捨てコップ１の寸法）に合わせて、第１〜第３の情報隠蔽部４２０Ａ〜４２０Ｃのいずれかの隠蔽層を剥離して、その第２の情報部４２２Ａ〜４２２Ｃによりくじ引きを行うよう促すことで、くじ引きに伴う上記の情報処理において、例えば、第２の情報部４２２Ａ〜４２２Ｃのコードに、スリーブ１００が装着された使い捨てコップ１の寸法を表す情報（例えば、「小」、「中」、「大」のような寸法を表す情報）を含ませることで）その被提供者に提供された飲料等のサイズを自動的に認識し、その後の販売管理等に活用することができる。この際、提供された飲料等のサイズ（即ち、使い捨てコップ１の寸法）に合わせて、第１〜第３の情報隠蔽部４２０Ａ〜４２０Ｃのいずれかが使い捨てコップ１の周方向中央位置に自動的に配置されると共に、その直上に、「小」、「中」又は「大」の寸法表示部４２３が表示されているため、被提供者は、自己が提供された飲料等のサイズに合わせて第１〜第３の情報隠蔽部４２０Ａ〜４２０Ｃのいずれかの剥離層を剥離し、その第２の情報部４２２Ａ〜４２２Ｃによるくじ引きを実行することができる。
【００７５】
［別例］
ところで、本発明において、上記賞種別情報と賞内容情報とは、当落情報ＩＦ１を構成する。ここで、前記くじ情報の賞種別情報としては、上記のように賞や景品のランクや種別を表す情報以外に、くじが「当選」したか「落選」したかの区別を表す情報（以下、「当落情報」という）を使用することもできるが、消費者が必ずバーコードＢＣを読取り手段により読み取ってスリーブ用情報処理システムにアクセスするインセンティブを与えるためには、くじの結果が必ず「当選」であり、何らかの景品や特典がもらえること保証することが好ましいため、景品や特典のランク情報とすることが好ましい。また、本発明では、上記のとおり、賞内容情報を読解不能情報として設けることで、賞内容情報の具体的な内容を知るために、スリーブの被提供者（飲料の消費者等）が必ずバーコードＢＣを読取り手段により読み取ってスリーブ用情報処理システムにアクセスするインセンティブを与えている。そして、これにより、スリーブ用情報処理システムにより、スリーブの被提供者のスマートフォン等のディスプレイに、賞内容情報と共に広告情報を表示することで、スリーブの被提供者が、必ず、（賞内容情報の近傍位置にある）広告情報を閲覧するようにして、広告閲覧効果を大幅に向上することができる。
【００７６】
［スリーブの別例］
また、本発明のスリーブは、巻回部の厚さ方向一側の表面が全体的に又は部分的に平滑面を有し、その平滑面に前記隠蔽情報部を印刷により形成可能な構成とする限りにおいて、任意の構成とすることができる。即ち、スリーブは、隠蔽情報部を印刷するための印刷基材層を、少なくとも隠蔽情報部の外形を内包する形状で、かつ、隠蔽部の面積以上の面積で備える構成であれば、任意の構成とすることができる。例えば、スリーブは、巻回部の外側層において隠蔽情報部に対応する部分にのみ印刷基材層を設け、それ以外の部分は印刷基材層以外の構成（例えば、印刷可能な平滑面ではなく、印刷不能又は印刷困難な凹凸面や波形状面の構成）としてもよい。また、スリーブは、少なくとも隠蔽情報部を設ける部分に印刷基材層を備える限りにおいて、上記の二層構造とする以外にも、三層以上の層構造としたり、一層構造としたりしてもよい。スリーブの素材も、前記印刷基材層を形成できる限りにおいて、紙素材以外にも任意の素材から形成することができる。
【００７７】
［隠蔽情報部の情報の範囲］
更に、隠蔽情報部の情報部の情報としては、典型的には、使い捨てコップを事業の用等で提供する提供者（例えば、飲食店舗やコンビニエンスストア等）の営業上の企画（以下、「営業企画」という）に関連する情報であって、かつ、親子関係のような木構造等の階層構造を有する情報を印刷することができる。営業企画に関連する情報（以下、「営業企画関連情報」という）としては、例えば、（１）使用者が、使い捨てコップを利用する自らの商品（例えば、コーヒーや紅茶等の飲料等）に関連付けてキャンペーンやイベントやアンケート等、販促や顧客属性情報取得等を目的とした営業企画を行う場合に、その営業企画での集客の増大やアンケート用の母集団の獲得等を目的として、隠蔽情報部２０の情報部の情報として、くじに関する情報（以下、「くじ情報」という）を印刷することができる。
【産業上の利用可能性】
【００７８】
本発明の使い捨てコップ用スリーブは、飲料を提供する店舗等における販促キャンペーン用に使い捨てコップに装着して提供されるスリーブとして利用することができる。
【符号の説明】
【００７９】
１：使い捨てコップ、２：キャップ
１０：使い捨てコップ用スリーブ、１４：巻回部
２０：隠蔽情報部
３１：第１の情報部、３２：第２の情報部、３３：第３の情報部